(57)【特許請求の範囲】
【請求項１】
一般式（１）
【化１】
0005928176.tif 000007
［式中、Ｒ１及びＲ２は、同一又は異なって、それぞれ炭素数３〜１７の直鎖状若しくは分岐鎖状の脂肪族飽和モノカルボン酸からカルボキシル基を除いて得られる残基を表す。Ａは、主鎖である直鎖状アルキレン基と、これに結合した１個若しくは２個以上のアルキル基とからなり、且つ、２個以上のアルキル基を有する場合にそれらのアルキル基は主鎖である直鎖状アルキレン基の同一炭素原子に同時に結合していない、炭素数４〜１０の分岐鎖状の脂肪族ジオールから水酸基を除いて得られる残基を示す。Ｂは、下記の一般式（ａ）、（ｂ）又は（ｃ）で示される基を表す。］
【化２】
0005928176.tif 000008
で表される脂肪族二価アルコールジエステルの１種又は２種以上を含有する潤滑油。
【請求項２】
一般式（１）に記載のＡが、２−メチル−１，３−プロパンジオール残基、１，３−ブタンジオール残基、２−メチル−１，４−ブタンジオール残基、１，４−ペンタンジオール残基、２−メチル−１，５−ペンタンジオール残基、３−メチル−１，５−ペンタンジオール残基、１，５−ヘキサンジオール残基、２−メチル−１，６−ヘキサンジオール残基、３−メチル−１，６−ヘキサンジオール残基、１，６−ヘプタンジオール残基、２−メチル−１，７−ヘプタンジオール残基、３−メチル−１，７−ヘプタンジオール残基、４−メチル−１，７−ヘプタンジオール残基、１，７−オクタンジオール残基、２−メチル−１，８−オクタンジオール残基、３−メチル−１，８−オクタンジオール残基、４−メチル−１，８−オクタンジオール残基、１，８−ノナンジオール残基、２−メチル−１，９−ノナンジオール残基、３−メチル−１，９−ノナンジオール残基、４−メチル−１，９−ノナンジオール残基、５−メチル−１，９−ノナンジオール残基、２−エチル−１，３−ヘキサンジオール残基又は２，４−ジエチル−１，５−ペンタンジオール残基である、請求項１に記載の潤滑油。
【請求項３】
一般式（１）に記載のＡが、２−メチル−１，４−ブタンジオール残基、２−メチル−１，５−ペンタンジオール残基、３−メチル−１，５−ペンタンジオール残基、２−メチル−１，６−ヘキサンジオール残基、３−メチル−１，６−ヘキサンジオール残基、２−メチル−１，７−ヘプタンジオール残基、３−メチル−１，７−ヘプタンジオール残基、４−メチル−１，７−ヘプタンジオール残基、２−メチル−１，８−オクタンジオール残基、３−メチル−１，８−オクタンジオール残基、４−メチル−１，８−オクタンジオール残基、２−メチル−１，９−ノナンジオール残基、３−メチル−１，９−ノナンジオール残基、４−メチル−１，９−ノナンジオール残基、５−メチル−１，９−ノナンジオール残基、２−エチル−１，３−ヘキサンジオール残基又は２，４−ジエチル−１，５−ペンタンジオール残基である、請求項１に記載の潤滑油。
【請求項４】
一般式（１）に記載のＡが、３−メチル−１，５−ペンタンジオール残基又は２，４−ジエチル−１，５−ペンタンジオール残基である、請求項１に記載の潤滑油。
【請求項５】
一般式（１）に記載のＲ１及びＲ２が、同一又は異なって、それぞれ炭素数６〜９の直鎖状脂肪族飽和モノカルボン酸からカルボキシル基を除いて得られる残基である、請求項１〜４のいずれかに記載の潤滑油。
【請求項６】
前記潤滑油が、冷凍機用潤滑油、エンジン用潤滑油、ギヤ用潤滑油、軸受用潤滑油、自動変速機用潤滑油、無段変速機用潤滑油、パワーステアリング用潤滑油、アクティブサスペンション用潤滑油、ショックアブゾーバー用潤滑油、タービン用潤滑油、コンプレッサー用潤滑油、油圧作動油又はグリース用基油である、請求項１〜５のいずれかに記載の潤滑油。
【請求項７】
前記軸受用潤滑油が、スピンドルモータ用潤滑油である、請求項６に記載の潤滑油。
【請求項８】
前記スピンドルモータ用潤滑油が、動圧流体軸受用潤滑油又は焼結含油軸受用潤滑油である、請求項７に記載の潤滑油。
【請求項９】
請求項１〜５のいずれかに記載の潤滑油及び酸化防止剤を含有することを特徴とする、スピンドルモータ用潤滑油組成物。
【請求項１０】
酸化防止剤が、フェノール系酸化防止剤及び／又はアミン系酸化防止剤である、請求項９に記載のスピンドルモータ用潤滑油組成物。
【請求項１１】
軸とスリーブとからなる流体軸受において、請求項９又は請求項１０に記載のスピンドルモータ用潤滑油組成物を用いることを特徴とする流体軸受。
【請求項１２】
請求項１１に記載の流体軸受を備えたスピンドルモータ。
【請求項１３】
一般式（１）
【化３】
0005928176.tif 000009
［式中、Ｒ１及びＲ２は、同一又は異なって、それぞれ炭素数６〜９の直鎖状若しくは分岐鎖状の脂肪族飽和モノカルボン酸からカルボキシル基を除いて得られる残基を表す。Ａは、３−メチル−１，５−ペンタンジオール又は２，４−ジエチル−１，５−ペンタンジオールから水酸基を除いて得られる残基を示す。Ｂは、下記の一般式（ａ）、（ｂ）又は（ｃ）で示される基を表す。］
【化４】
0005928176.tif 000010
で表される脂肪族二価アルコールジエステル。
【請求項１４】
一般式（１）に記載のＲ１及びＲ２が、同一又は異なって、それぞれ炭素数６〜９の直鎖状脂肪族飽和モノカルボン酸からカルボキシル基を除いて得られる残基である、請求項１３に記載の脂肪族二価アルコールジエステル。
【発明の詳細な説明】
【技術分野】
【０００１】
本発明は、潤滑油に関する。
【背景技術】
【０００２】
近年の地球温暖化問題に対して、自動車、家電、電子情報機器、工業用機械など様々な産業分野で機器の高効率化が検討されている。これらの機器に使用される潤滑油についても高効率化のために種々の改良が要求されており、その効果的な改良方法の一つとして、粘性摩擦によるエネルギー損失を低減するために、潤滑油の低粘度化が進められている。
【０００３】
従来、潤滑油としては安価で入手容易な鉱物油が主に使用されてきた。鉱物油は種々の化学構造を有する炭化水素油の混合物であり、主成分の炭化水素によりパラフィン系とナフテン系（シクロパラフィン系）に大別される。パラフィン系鉱物油とナフテン系鉱物油は、粘度特性（例えば、粘度指数）、潤滑特性、低温流動性、更には精製度により耐熱性、添加剤との適合性にも違いがみられ、潤滑油の基材に使用する際には、各々の特性を生かした使い分けがなされている。
【０００４】
例えば、自動車用途では、エンジン用潤滑油、ギヤ用潤滑油、自動変速機用潤滑油、ショックアブゾーバー用潤滑油など、各所に潤滑油が使用されている。これらの潤滑油に対しては、省燃費性能の向上を目的に低粘度で潤滑性能の高い潤滑油の検討が進められている。更に最近では、始動時や低温下での摩擦の低減に重点が置かれ、常温から低温に至る広い温度範囲で粘度が低く、摩擦抵抗の少ない潤滑油が必要となっている。
【０００５】
本用途においては、従来から鉱油が主に使用されてきているが、広い温度範囲で粘度が低いことを満足するためには、粘度指数が高い潤滑油、即ち、合成炭化水素やエステル類の使用が必要となっている。このうち、エステル類としては、脂肪族二塩基酸と一価アルコールの反応から得られる脂肪族二塩基酸ジエステルや、ネオペンチルポリオール（ネオペンチル型構造を有する多価アルコール）と脂肪族カルボン酸との反応によって得られるネオペンチル型ポリオールエステルの使用が知られている。しかしながら、このような脂肪族二塩基酸ジエステルやネオペンチル型ポリオールエステルを用いて低粘度化を検討する場合、より分子量の小さいエステルが使用されるが、最近の厳しい使用条件においては、低粘度のこれらのエステル類では、耐熱性、特に耐揮発性を満足することは困難となってきている。
【０００６】
又、ＨＤＤ（ハードディスクドライブ）などに搭載されるモータでは、軸受として球軸受やころ軸受が用いられていたが、モータの小型化、低振動・低騒音化などの要請から、近年、すべり軸受の一種である動圧流体軸受や焼結含油軸受が開発され、実用化されている。
【０００７】
動圧流体軸受は、軸外周面とスリーブ内周面の隙間に介在する潤滑油の油膜圧力によって、回転軸を支持し、軸外周面またはスリーブ内周面の少なくともいずれか一方に動圧溝を設け、その動圧効果によって形成された潤滑油膜によって回転軸の摺動面を浮上支持する。
【０００８】
また、焼結金属などから構成される多孔質体に、潤滑油または潤滑グリースを含浸させて自己潤滑機能を持たせ、回転軸を支持する焼結含油軸受や、さらに焼結含油軸受の軸受面に動圧溝を設けた動圧型焼結含油軸受も回転装置に使用されている。
【０００９】
これらは、ボールベアリングをもたないため、小型・軽量化に好適である上、静寂性、経済性などに優れており、パーソナルコンピュ−タ、音響機器、ビジュアル機器、カ−ナビゲーション向けなどに需要が増大している。
【００１０】
このような動圧流体軸受や焼結含油軸受に用いられる潤滑油に対しては、低温域でも低い粘度を有し、低温流動性が良好であると共に、高温域においても粘度低下が少ないなどの粘度特性、さらに低蒸発性などが要求される。
【００１１】
さらに、すべり軸受においては、油膜で隔てられた軸と軸受とは完全に非接触となる。そのため、流動帯電により静電気が発生しやすく、これらの放電により、重要な電子部品、磁気部品（ハードデイスクのＭＲヘッド等）が支障をきたすおそれがある。
【００１２】
従って、磁気ディスクなどの精密機械に使用されるすべり軸受には、特に静電気をアースして、電子部品、磁気部品を保護する必要がある。このような観点からも、動圧流体軸受又は焼結含油軸受用の潤滑油には、上記で示した性能以外に導電性が求められるようになっている。
【００１３】
これまで動圧流体軸受用又は焼結含油軸受用潤滑油としては、ポリ−α−オレフィンなどの合成炭化水素油、脂肪族二塩基酸ジエステル、ネオペンチル型ポリオールエステル、脂肪酸モノエステルなどのエステル油を用いた潤滑油が開示されている（特許文献１〜５）。
【００１４】
しかしながら、上記潤滑油においては、導電性を確保するために添加剤が使用されるが、耐熱性などの物性に悪影響を及ぼすものもある。そのため、潤滑油基油での改善がもとめられているが、導電性を含めた諸性能を満足する潤滑油の開発には、未だ至っていないのが現状である。
【先行技術文献】
【特許文献】
【００１５】
【特許文献１】特開平７−５３９８４号公報
【特許文献２】特開平９−１２５０８６号公報
【特許文献３】特開平１１−１７２２６７号公報
【特許文献４】特開２００１−３１６６８７号公報
【特許文献５】特開２００２−１４６３７４号公報
【発明の概要】
【発明が解決しようとする課題】
【００１６】
本発明は、広い温度範囲で粘度の変化率が小さく（粘度指数が高い）、低温においても低粘度であり、導電性がよく且つ耐揮発性が良好な潤滑油を提供することを目的とする。
【課題を解決するための手段】
【００１７】
本発明者らは、上記課題を達成すべく鋭意検討の結果、特定の構造を有する脂肪族二価アルコールジエステルが、粘度指数が高く、低温においても低粘度であり、導電性がよく且つ耐揮発性が良好な潤滑油であることを見出し、本発明を完成するに至った。
【００１８】
即ち、本発明は、以下の潤滑油を提供するものである。
【００１９】
［項１］
一般式（１）
【化１】
0005928176.tif 000002
［式中、Ｒ１及びＲ２は、同一又は異なって、それぞれ炭素数３〜１７の直鎖状若しくは分岐鎖状の脂肪族飽和モノカルボン酸からカルボキシル基を除いて得られる残基を表す。Ａは、炭素数４〜１０の直鎖状又は分岐鎖状の脂肪族ジオールから水酸基を除いて得られる残基を示す。Ｂは、下記の一般式（ａ）、（ｂ）又は（ｃ）で示される基を表す。］
【化２】
0005928176.tif 000003
で表される脂肪族二価アルコールジエステルの１種又は２種以上を含有する潤滑油。
【００２０】
［項２］
一般式（１）に記載のＡが、主鎖である直鎖状アルキレン基と、これに結合した１個若しくは２個以上のアルキル基とからなり、炭素数が４〜１０である分岐鎖状の脂肪族ジオールから水酸基を除いて得られる残基である、項１に記載の潤滑油。
【００２１】
［項３］
一般式（１）に記載のＡが、主鎖である直鎖状アルキレン基と、これに結合した１個若しくは２個以上のアルキル基とからなり、且つ、２個以上のアルキル基を有する場合にそれらのアルキル基は主鎖である直鎖状アルキレン基の同一炭素原子に同時に結合していない、炭素数が４〜１０である分岐鎖状の脂肪族ジオールから水酸基を除いて得られる残基である、項１に記載の潤滑油。
【００２２】
［項４］
一般式（１）に記載のＡが、１，４−ブタンジオール残基、１，５−ペンタンジオール残基、１，６−ヘキサンジオール残基、１，７−ヘプタンジオール残基、１，８−オクタンジオール残基、１，９−ノナンジオール残基、１，１０−デカンジオール残基、２−メチル−１，３−プロパンジオール残基、１，３−ブタンジオール残基、２−メチル−１，４−ブタンジオール残基、１，４−ペンタンジオール残基、２−メチル−１，５−ペンタンジオール残基、３−メチル−１，５−ペンタンジオール残基、１，５−ヘキサンジオール残基、２−メチル−１，６−ヘキサンジオール残基、３−メチル−１，６−ヘキサンジオール残基、１，６−ヘプタンジオール残基、２−メチル−１，７−ヘプタンジオール残基、３−メチル−１，７−ヘプタンジオール残基、４−メチル−１，７−ヘプタンジオール残基、１，７−オクタンジオール残基、２−メチル−１，８−オクタンジオール残基、３−メチル−１，８−オクタンジオール残基、４−メチル−１，８−オクタンジオール残基、１，８−ノナンジオール残基、２−メチル−１，９−ノナンジオール残基、３−メチル−１，９−ノナンジオール残基、４−メチル−１，９−ノナンジオール残基、５−メチル−１，９−ノナンジオール残基、２−エチル−１，３−ヘキサンジオール残基、２，４−ジエチル−１，５−ペンタンジオール残基、ネオペンチルグリコール残基、２，２−ジエチルプロパンジオール残基又は２−ブチル−２−エチルプロパンンジオール残基である、項１に記載の潤滑油。
【００２３】
［項５］
一般式（１）に記載のＡが、２−メチル−１，４−ブタンジオール残基、２−メチル−１，５−ペンタンジオール残基、３−メチル−１，５−ペンタンジオール残基、２−メチル−１，６−ヘキサンジオール残基、３−メチル−１，６−ヘキサンジオール残基、２−メチル−１，７−ヘプタンジオール残基、３−メチル−１，７−ヘプタンジオール残基、４−メチル−１，７−ヘプタンジオール残基、２−メチル−１，８−オクタンジオール残基、３−メチル−１，８−オクタンジオール残基、４−メチル−１，８−オクタンジオール残基、２−メチル−１，９−ノナンジオール残基、３−メチル−１，９−ノナンジオール残基、４−メチル−１，９−ノナンジオール残基、５−メチル−１，９−ノナンジオール残基、２−エチル−１，３−ヘキサンジオール残基又は２，４−ジエチル−１，５−ペンタンジオール残基である、項１に記載の潤滑油。
【００２４】
［項６］
一般式（１）に記載のＡが、３−メチル−１，５−ペンタンジオール残基又は２，４−ジエチル−１，５−ペンタンジオール残基である、項１に記載の潤滑油。
【００２５】
［項７］
一般式（１）に記載のＲ１及びＲ２が、同一又は異なって、それぞれ炭素数６〜９の直鎖状脂肪族飽和モノカルボン酸からカルボキシル基を除いて得られる残基である、項１〜６のいずれかに記載の潤滑油。
【００２６】
［項８］
前記潤滑油が、冷凍機用潤滑油、エンジン用潤滑油、ギヤ用潤滑油、軸受用潤滑油、自動変速機用潤滑油、無段変速機用潤滑油、パワーステアリング用潤滑油、アクティブサスペンション用潤滑油、ショックアブゾーバー用潤滑油、タービン用潤滑油、コンプレッサー用潤滑油、油圧作動油又はグリース用基油である、項１〜７のいずれかに記載の潤滑油。
【００２７】
［項９］
前記軸受用潤滑油が、スピンドルモータ用潤滑油である、項８に記載の潤滑油。
【００２８】
［項１０］
前記スピンドルモータ用潤滑油が、動圧流体軸受用潤滑油又は焼結含油軸受用潤滑油である、項９に記載の潤滑油。
【００２９】
［項１１］
項１〜７のいずれかに記載の潤滑油及び酸化防止剤を含有することを特徴とする、スピンドルモータ用潤滑油組成物。
【００３０】
［項１２］
酸化防止剤が、フェノール系酸化防止剤及び／又はアミン系酸化防止剤である、項１１に記載のスピンドルモータ用潤滑油組成物。
【００３１】
［項１３］
軸とスリーブとからなる流体軸受において、項１１又は項１２に記載のスピンドルモータ用潤滑油組成物を用いることを特徴とする流体軸受。
【００３２】
［項１４］
項１３に記載の流体軸受を備えたスピンドルモータ。
【００３３】
［項１５］
一般式（１）
【化３】
0005928176.tif 000004
［式中、Ｒ１及びＲ２は、同一又は異なって、それぞれ炭素数６〜９の直鎖状若しくは分岐鎖状の脂肪族飽和モノカルボン酸からカルボキシル基を除いて得られる残基を表す。Ａは、３−メチル−１，５−ペンタンジオール又は２，４−ジエチル−１，５−ペンタンジオールから水酸基を除いて得られる残基を示す。Ｂは、下記の一般式（ａ）、（ｂ）又は（ｃ）で示される基を表す。］
【化４】
0005928176.tif 000005
で表される脂肪族二価アルコールジエステル。
【００３４】
［項１６］
一般式（１）に記載のＲ１及びＲ２が、同一又は異なって、それぞれ炭素数６〜９の直鎖状脂肪族飽和モノカルボン酸からカルボキシル基を除いて得られる残基である、項１５に記載の脂肪族二価アルコールジエステル。
【発明の効果】
【００３５】
本発明によれば、広い温度範囲で粘度の変化率が小さく（粘度指数が高い）、低温においても低粘度であり、導電性がよく且つ耐揮発性が良好な潤滑油を得ることができる。
【図面の簡単な説明】
【００３６】
【図１】本発明の流体軸受の概略構成を模式的に示した断面図の一例である。
【図２】本発明のスピンドルモータの概略構成を模式的に示した断面図の一例である。
【図３】実施例１の１Ｈ−ＮＭＲである。
【図４】実施例１のＩＲスペクトルである。
【図５】実施例２の１Ｈ−ＮＭＲである。
【図６】実施例２のＩＲスペクトルである。
【図７】実施例３の１Ｈ−ＮＭＲである。
【図８】実施例３のＩＲスペクトルである。
【図９】実施例４の１Ｈ−ＮＭＲである。
【図１０】実施例４のＩＲスペクトルである。
【図１１】実施例５の１Ｈ−ＮＭＲである。
【図１２】実施例５のＩＲスペクトルである。
【図１３】実施例６の１Ｈ−ＮＭＲである。
【図１４】実施例６のＩＲスペクトルである。
【図１５】実施例７の１Ｈ−ＮＭＲである。
【図１６】実施例７のＩＲスペクトルである。
【図１７】実施例８の１Ｈ−ＮＭＲである。
【図１８】実施例８のＩＲスペクトルである。
【図１９】実施例９の１Ｈ−ＮＭＲである。
【図２０】実施例９のＩＲスペクトルである。
【図２１】実施例１０の１Ｈ−ＮＭＲである。
【図２２】実施例１０のＩＲスペクトルである。
【発明を実施するための形態】
【００３７】
本発明の潤滑油は、一般式（１）で表される脂肪族二価アルコールジエステルの１種又は２種以上を含有することを特徴とする潤滑油である。
【００３８】
＜脂肪族二価アルコールジエステル＞
本発明に係る脂肪族二価アルコールジエステルは、上記一般式（１）で表されるものである。
【００３９】
一般式（１）において、Ｒ１及びＲ２は、同一又は異なって、それぞれ炭素数が３〜１７の直鎖状若しくは分岐鎖状の脂肪族飽和モノカルボン酸からカルボキシル基を除いて得られる残基である。
本明細書及び特許請求の範囲において、「脂肪族飽和モノカルボン酸からカルボキシル基を除いて得られる残基」を、単に「脂肪族飽和モノカルボン酸残基」と言うことがあるが、何れの表現も同義である。また前記「炭素数」とは、「脂肪族飽和モノカルボン酸からカルボキシル基を除いて得られる残基」の総炭素数をいう。
直鎖状の脂肪族飽和モノカルボン酸残基としては、ｎ−ブタン酸残基、ｎ−ペンタン酸残基、ｎ−ヘキサン酸残基、ｎ−ヘプタン酸残基、ｎ−オクタン酸残基、ｎ−ノナン酸残基、ｎ−デカン酸残基、ｎ−ウンデカン酸残基、ｎ−ドデカン酸残基、ｎ−トリデカン酸残基、ｎ−テトラデカン酸残基、ｎ−ペンタデカン酸残基、ｎ−ヘキサデカン酸残基、ｎ−ヘプタデカン酸残基及びｎ−オクタデカン酸残基が挙げられる。また、分岐鎖状の脂肪族飽和モノカルボン酸残基としては、イソブタン酸残基、イソペンタン酸残基、イソヘキサン酸残基、イソヘプタン酸残基、イソオクタン酸残基、２−エチルヘキサン酸残基、イソノナン酸残基、３，５，５−トリメチルヘキサン酸残基、イソデカン酸残基、イソウンデカン酸残基等が例示される。これらは、夫々単独で又は２種以上を適宜組み合わせることができる。
【００４０】
上記の中でも、直鎖状の脂肪族飽和モノカルボン酸残基が好ましく、特に炭素数６〜９の直鎖状の脂肪族飽和モノカルボン酸残基が好ましい。
【００４１】
一般式（１）において、Ａは、炭素数４〜１０の直鎖状又は分岐鎖状の脂肪族ジオールから水酸基を除いて得られる残基である。本明細書及び特許請求の範囲において、「脂肪族ジオールから水酸基を除いて得られる残基」を、単に「脂肪族ジオール残基」と言うことがあるが、何れの表現も同義である。また前記「炭素数」とは、「脂肪族ジオールから水酸基を除いて得られる残基」の総炭素数をいう。
直鎖状の脂肪族ジオール残基としては、１，４−ブタンジオール残基、１，５−ペンタンジオール残基、１，６−ヘキサンジオール残基、１，７−ヘプタンジオール残基、１，８−オクタンジオール残基、１，９−ノナンジオール残基、１，１０−デカンジオール残基が挙げられる。また、分岐鎖状の脂肪族ジオール残基としては、２−メチル−１，３−プロパンジオール残基、１，３−ブタンジオール残基、２−メチル−１，４−ブタンジオール残基、１，４−ペンタンジオール残基、２−メチル−１，５−ペンタンジオール残基、３−メチル−１，５−ペンタンジオール残基、１，５−ヘキサンジオール残基、２−メチル−１，６−ヘキサンジオール残基、３−メチル−１，６−ヘキサンジオール残基、１，６−ヘプタンジオール残基、２−メチル−１，７−ヘプタンジオール残基、３−メチル−１，７−ヘプタンジオール残基、４−メチル−１，７−ヘプタンジオール残基、１，７−オクタンジオール残基、２−メチル−１，８−オクタンジオール残基、３−メチル−１，８−オクタンジオール残基、４−メチル−１，８−オクタンジオール残基、１，８−ノナンジオール残基、２−メチル−１，９−ノナンジオール残基、３−メチル−１，９−ノナンジオール残基、４−メチル−１，９−ノナンジオール残基、５−メチル−１，９−ノナンジオール残基、２−エチル−１，３−ヘキサンジオール残基、２，４−ジエチル−１，５−ペンタンジオール残基、ネオペンチルグリコール残基、２，２−ジエチルプロパンジオール残基、２−ブチル−２−エチルプロパンンジオール残基等が例示される。
【００４２】
上記の中でも、一般式（１）で表される脂肪族二価アルコールジエステルのＡは、主鎖である直鎖状アルキレン基と、これに結合した１個若しくは２個以上のアルキル基（分枝）とからなり、炭素数が４〜１０である分岐鎖状の脂肪族ジオールから水酸基を除いて得られる残基が好ましい。
具体的には、２−メチル−１，３−プロパンジオール残基、１，３−ブタンジオール残基、２−メチル−１，４−ブタンジオール残基、１，４−ペンタンジオール残基、２−メチル−１，５−ペンタンジオール残基、３−メチル−１，５−ペンタンジオール残基、１，５−ヘキサンジオール残基、２−メチル−１，６−ヘキサンジオール残基、３−メチル−１，６−ヘキサンジオール残基、１，６−ヘプタンジオール残基、２−メチル−１，７−ヘプタンジオール残基、３−メチル−１，７−ヘプタンジオール残基、４−メチル−１，７−ヘプタンジオール残基、１，７−オクタンジオール残基、２−メチル−１，８−オクタンジオール残基、３−メチル−１，８−オクタンジオール残基、４−メチル−１，８−オクタンジオール残基、１，８−ノナンジオール残基、２−メチル−１，９−ノナンジオール残基、３−メチル−１，９−ノナンジオール残基、４−メチル−１，９−ノナンジオール残基、５−メチル−１，９−ノナンジオール残基、２−エチル−１，３−ヘキサンジオール残基、２，４−ジエチル−１，５−ペンタンジオール残基、ネオペンチルグリコール残基、２，２−ジエチルプロパンジオール残基、２−ブチル−２−エチルプロパンンジオール残基等が例示される。特に、３−メチル−１，５−ペンタンジオール残基又は２，４−ジエチル−１，５−ペンタンジオール残基が好ましい。
【００４３】
一般式（１）において、Ｂは、上記一般式（ａ）、（ｂ）又は（ｃ）で示される基である。
【００４４】
本発明に係る脂肪族二価アルコールジエステルは、上記一般式（１）で表されるように、脂肪族ジオールのアルキレンオキシド１モル付加物と飽和脂肪族モノカルボン酸とのジエステルで構成されている。具体的には、１，４−ブタンジオールのエチレンオキシド１モル付加物、１，５−ペンタンジオールのエチレンオキシド１モル付加物、１，６−ヘキサンジオールのエチレンオキシド１モル付加物、１，７−ヘプタンジオールのエチレンオキシド１モル付加物、１，８−オクタンジオールのエチレンオキシド１モル付加物、１，９−ノナンジオールのエチレンオキシド１モル付加物、１，１０−デカンジオールのエチレンオキシド１モル付加物、２−メチル−１，３−プロパンジオールのエチレンオキシド１モル付加物、１，３−ブタンジオールのエチレンオキシド１モル付加物、２−メチル−１，４−ブタンジオールのエチレンオキシド１モル付加物、１，４−ペンタンジオールのエチレンオキシド１モル付加物、２−メチル−１，５−ペンタンジオールのエチレンオキシド１モル付加物、３−メチル−１，５−ペンタンジオールのエチレンオキシド１モル付加物、１，５−ヘキサンジオールのエチレンオキシド１モル付加物、２−メチル−１，６−ヘキサンジオールのエチレンオキシド１モル付加物、３−メチル−１，６−ヘキサンジオールのエチレンオキシド１モル付加物、１，６−ヘプタンジオールのエチレンオキシド１モル付加物、２−メチル−１，７−ヘプタンジオールのエチレンオキシド１モル付加物、３−メチル−１，７−ヘプタンジオールのエチレンオキシド１モル付加物、４−メチル−１，７−ヘプタンジオールのエチレンオキシド１モル付加物、１，７−オクタンジオールのエチレンオキシド１モル付加物、２−メチル−１，８−オクタンジオールのエチレンオキシド１モル付加物、３−メチル−１，８−オクタンジオールのエチレンオキシド１モル付加物、４−メチル−１，８−オクタンジオールのエチレンオキシド１モル付加物、１，８−ノナンジオールのエチレンオキシド１モル付加物、２−メチル−１，９−ノナンジオールのエチレンオキシド１モル付加物、３−メチル−１，９−ノナンジオールのエチレンオキシド１モル付加物、４−メチル−１，９−ノナンジオールのエチレンオキシド１モル付加物、５−メチル−１，９−ノナンジオールのエチレンオキシド１モル付加物、２−エチル−１，３−ヘキサンジオールのエチレンオキシド１モル付加物、２，４−ジエチル−１，５−ペンタンジオールのエチレンオキシド１モル付加物、ネオペンチルグリコールのエチレンオキシド１モル付加物、２，２−ジエチルプロパンジオールのエチレンオキシド１モル付加物、２−ブチル−２−エチルプロパンンジオールのエチレンオキシド１モル付加物、１，４−ブタンジオールのプロピレンオキシド１モル付加物、１，５−ペンタンジオールのプロピレンオキシド１モル付加物、１，６−ヘキサンジオールのプロピレンオキシド１モル付加物、１，７−ヘプタンジオールのプロピレンオキシド１モル付加物、１，８−オクタンジオールのプロピレンオキシド１モル付加物、１，９−ノナンジオールのプロピレンオキシド１モル付加物、１，１０−デカンジオールのプロピレンオキシド１モル付加物、２−メチル−１，３−プロパンジオールのプロピレンオキシド１モル付加物、１，３−ブタンジオールのプロピレンオキシド１モル付加物、２−メチル−１，４−ブタンジオールのプロピレンオキシド１モル付加物、１，４−ペンタンジオールのプロピレンオキシド１モル付加物、２−メチル−１，５−ペンタンジオールのプロピレンオキシド１モル付加物、３−メチル−１，５−ペンタンジオールのプロピレンオキシド１モル付加物、１，５−ヘキサンジオールのプロピレンオキシド１モル付加物、２−メチル−１，６−ヘキサンジオールのプロピレンオキシド１モル付加物、３−メチル−１，６−ヘキサンジオールのプロピレンオキシド１モル付加物、１，６−ヘプタンジオールのプロピレンオキシド１モル付加物、２−メチル−１，７−ヘプタンジオールのプロピレンオキシド１モル付加物、３−メチル−１，７−ヘプタンジオールのプロピレンオキシド１モル付加物、４−メチル−１，７−ヘプタンジオールのプロピレンオキシド１モル付加物、１，７−オクタンジオールのプロピレンオキシド１モル付加物、２−メチル−１，８−オクタンジオールのプロピレンオキシド１モル付加物、３−メチル−１，８−オクタンジオールのプロピレンオキシド１モル付加物、４−メチル−１，８−オクタンジオールのプロピレンオキシド１モル付加物、１，８−ノナンジオールのプロピレンオキシド１モル付加物、２−メチル−１，９−ノナンジオールのプロピレンオキシド１モル付加物、３−メチル−１，９−ノナンジオールのプロピレンオキシド１モル付加物、４−メチル−１，９−ノナンジオールのプロピレンオキシド１モル付加物、５−メチル−１，９−ノナンジオールのプロピレンオキシド１モル付加物、２−エチル−１，３−ヘキサンジオールのプロピレンオキシド１モル付加物、２，４−ジエチル−１，５−ペンタンジオールのプロピレンオキシド１モル付加物、ネオペンチルグリコールのプロピレンオキシド１モル付加物、２，２−ジエチルプロパンジオールのプロピレンオキシド１モル付加物、２−ブチル−２−エチルプロパンンジオールのプロピレンオキシド１モル付加物と炭素数４〜１８の直鎖状若しくは分岐鎖状飽和脂肪族モノカルボン酸とのジエステルが例示される。
【００４５】
特に好ましい脂肪族二価アルコールジエステルとしては、
２−メチル−１，４−ブタンジオールのエチレンオキシド１モル付加物と炭素数７〜１０の直鎖状若しくは分岐鎖状飽和脂肪族モノカルボン酸とのジエステル、
２−メチル−１，４−ブタンジオールのプロピレンオキシド１モル付加物と炭素数７〜１０の直鎖状若しくは分岐鎖状飽和脂肪族モノカルボン酸とのジエステル、
２−メチル−１，５−ペンタンジオールのエチレンオキシド１モル付加物と炭素数７〜１０の直鎖状若しくは分岐鎖状飽和脂肪族モノカルボン酸とのジエステル、
３−メチル−１，５−ペンタンジオールのエチレンオキシド１モル付加物と炭素数７〜１０の直鎖状若しくは分岐鎖状飽和脂肪族モノカルボン酸とのジエステル、
３−メチル−１，５−ペンタンジオールのプロピレンオキシド１モル付加物と炭素数７〜１０の直鎖状若しくは分岐鎖状飽和脂肪族モノカルボン酸とのジエステル、
２−メチル−１，６−ヘキサンジオールのエチレンオキシド１モル付加物と炭素数７〜１０の直鎖状若しくは分岐鎖状飽和脂肪族モノカルボン酸とのジエステル、
２−メチル−１，６−ヘキサンジオールのプロピレンオキシド１モル付加物と炭素数７〜１０の直鎖状若しくは分岐鎖状飽和脂肪族モノカルボン酸とのジエステル、
３−メチル−１，６−ヘキサンジオールのエチレンオキシド１モル付加物と炭素数７〜１０の直鎖状若しくは分岐鎖状飽和脂肪族モノカルボン酸とのジエステル、
３−メチル−１，６−ヘキサンジオールのプロピレンオキシド１モル付加物と炭素数７〜１０の直鎖状若しくは分岐鎖状飽和脂肪族モノカルボン酸とのジエステル、
２−メチル−１，７−ヘプタンジオールのエチレンオキシド１モル付加物と炭素数７〜１０の直鎖状若しくは分岐鎖状飽和脂肪族モノカルボン酸とのジエステル、
２−メチル−１，７−ヘプタンジオールのプロピレンオキシド１モル付加物と炭素数７〜１０の直鎖状若しくは分岐鎖状飽和脂肪族モノカルボン酸とのジエステル
３−メチル−１，７−ヘプタンジオールのエチレンオキシド１モル付加物と炭素数７〜１０の直鎖状若しくは分岐鎖状飽和脂肪族モノカルボン酸とのジエステル、
３−メチル−１，７−ヘプタンジオールのプロピレンオキシド１モル付加物と炭素数７〜１０の直鎖状若しくは分岐鎖状飽和脂肪族モノカルボン酸とのジエステル、
４−メチル−１，７−ヘプタンジオールのエチレンオキシド１モル付加物と炭素数７〜１０の直鎖状若しくは分岐鎖状飽和脂肪族モノカルボン酸とのジエステル、
４−メチル−１，７−ヘプタンジオールのプロピレンオキシド１モル付加物と炭素数７〜１０の直鎖状若しくは分岐鎖状飽和脂肪族モノカルボン酸とのジエステル、
２−メチル−１，８−オクタンジオールのエチレンオキシド１モル付加物と炭素数７〜１０の直鎖状若しくは分岐鎖状飽和脂肪族モノカルボン酸とのジエステル、
２−メチル−１，８−オクタンジオールのプロピレンオキシド１モル付加物と炭素数７〜１０の直鎖状若しくは分岐鎖状飽和脂肪族モノカルボン酸とのジエステル、
３−メチル−１，８−オクタンジオールのエチレンオキシド１モル付加物と炭素数７〜１０の直鎖状若しくは分岐鎖状飽和脂肪族モノカルボン酸とのジエステル、
３−メチル−１，８−オクタンジオールのプロピレンオキシド１モル付加物と炭素数７〜１０の直鎖状若しくは分岐鎖状飽和脂肪族モノカルボン酸とのジエステル、
４−メチル−１，８−オクタンジオールのエチレンオキシド１モル付加物と炭素数７〜１０の直鎖状若しくは分岐鎖状飽和脂肪族モノカルボン酸とのジエステル、
４−メチル−１，８−オクタンジオールのプロピレンオキシド１モル付加物と炭素数７〜１０の直鎖状若しくは分岐鎖状飽和脂肪族モノカルボン酸とのジエステル、
２−メチル−１，９−ノナンジオールのエチレンオキシド１モル付加物と炭素数７〜１０の直鎖状若しくは分岐鎖状飽和脂肪族モノカルボン酸とのジエステル、
２−メチル−１，９−ノナンジオールのプロピレンオキシド１モル付加物と炭素数７〜１０の直鎖状若しくは分岐鎖状飽和脂肪族モノカルボン酸とのジエステル、
３−メチル−１，９−ノナンジオールのエチレンオキシド１モル付加物と炭素数７〜１０の直鎖状若しくは分岐鎖状飽和脂肪族モノカルボン酸とのジエステル、
３−メチル−１，９−ノナンジオールのプロピレンオキシド１モル付加物と炭素数７〜１０の直鎖状若しくは分岐鎖状飽和脂肪族モノカルボン酸とのジエステル、
４−メチル−１，９−ノナンジオールのエチレンオキシド１モル付加物と炭素数７〜１０の直鎖状若しくは分岐鎖状飽和脂肪族モノカルボン酸とのジエステル、
４−メチル−１，９−ノナンジオールのプロピレンオキシド１モル付加物と炭素数７〜１０の直鎖状若しくは分岐鎖状飽和脂肪族モノカルボン酸とのジエステル、
５−メチル−１，９−ノナンジオールのエチレンオキシド１モル付加物と炭素数７〜１０の直鎖状若しくは分岐鎖状飽和脂肪族モノカルボン酸とのジエステル、
５−メチル−１，９−ノナンジオールのプロピレンオキシド１モル付加物と炭素数７〜１０の直鎖状若しくは分岐鎖状飽和脂肪族モノカルボン酸とのジエステル、
２−エチル−１，３−ヘキサンジオールのエチレンオキシド１モル付加物と炭素数７〜１０の直鎖状若しくは分岐鎖状飽和脂肪族モノカルボン酸とのジエステル、
２−エチル−１，３−ヘキサンジオールのプロピレンオキシド１モル付加物と炭素数７〜１０の直鎖状若しくは分岐鎖状飽和脂肪族モノカルボン酸とのジエステル、
２，４−ジエチル−１，５−ペンタンジオールのエチレンオキシド１モル付加物と炭素数７〜１０の直鎖状若しくは分岐鎖状飽和脂肪族モノカルボン酸とのジエステル、
２，４−ジエチル−１，５−ペンタンジオールのプロピレンオキシド１モル付加物と炭素数７〜１０の直鎖状若しくは分岐鎖状飽和脂肪族モノカルボン酸とのジエステルである。
【００４６】
２−メチル−１，４−ブタンジオールのエチレンオキシド１モル付加物と炭素数７〜１０の直鎖状若しくは分岐鎖状飽和脂肪族モノカルボン酸とのジエステルとしては、具体的には、２−メチル−１，４−ブタンジオールのエチレンオキシド１モル付加物ジ（ｎ−ヘプタノエ−ト）、２−メチル−１，４−ブタンジオールのエチレンオキシド１モル付加物ジ（ｎ−オクタノエート）、２−メチル−１，４−ブタンジオールのエチレンオキシド１モル付加物ジ（ｎ−ノナノエート）、２−メチル−１，４−ブタンジオールのエチレンオキシド１モル付加物ジ（ｎ−デカノエート）、２−メチル−１，４−ブタンジオールのエチレンオキシド１モル付加物とｎ−ヘプタン酸及びｎ−オクタン酸から得られるジエステル、２−メチル−１，４−ブタンジオールのエチレンオキシド１モル付加物とｎ−ヘプタン酸及びｎ−ノナン酸から得られるジエステル、２−メチル−１，４−ブタンジオールのエチレンオキシド１モル付加物とｎ−ヘプタン酸及びｎ−デカン酸から得られるジエステル、２−メチル−１，４−ブタンジオールのエチレンオキシド１モル付加物とｎ−オクタン酸及びｎ−ノナン酸から得られるジエステル、２−メチル−１，４−ブタンジオールのエチレンオキシド１モル付加物とｎ−オクタン酸及びｎ−デカン酸から得られるジエステル、２−メチル−１，４−ブタンジオールのエチレンオキシド１モル付加物とｎ−ノナン酸及びｎ−デカン酸から得られるジエステル、２−メチル−１，４−ブタンジオールのエチレンオキシド１モル付加物ジイソヘプタノエート、２−メチル−１，４−ブタンジオールのエチレンオキシド１モル付加物ジイソオクタノエート、２−メチル−１，４−ブタンジオールのエチレンオキシド１モル付加物ジ（２−エチルヘキサノエート）、２−メチル−１，４−ブタンジオールのエチレンオキシド１モル付加物ジイソノナノエート、２−メチル−１，４−ブタンジオールのエチレンオキシド１モル付加物ジ（３，５，５−トリメチルヘキサノエート）、２−メチル−１，４−ブタンジオールのエチレンオキシド１モル付加物ジイソデカノエート、２−メチル−１，４−ブタンジオールのエチレンオキシド１モル付加物とイソヘプタン酸及びイソオクタン酸から得られるジエステル、２−メチル−１，４−ブタンジオールのエチレンオキシド１モル付加物とイソヘプタン酸及び２−エチルヘキサン酸から得られるジエステル、２−メチル−１，４−ブタンジオールのエチレンオキシド１モル付加物とイソヘプタン酸及びイソノナン酸から得られるジエステル、２−メチル−１，４−ブタンジオールのエチレンオキシド１モル付加物とイソヘプタン酸及び３，５，５−トリメチルヘキサン酸から得られるジエステル、２−メチル−１，４−ブタンジオールのエチレンオキシド１モル付加物とイソヘプタン酸及びイソデカン酸から得られるジエステル、２−メチル−１，４−ブタンジオールのエチレンオキシド１モル付加物とイソオクタン酸及び２−エチルヘキサン酸から得られるジエステル、２−メチル−１，４−ブタンジオールのエチレンオキシド１モル付加物とイソオクタン酸及びイソノナン酸から得られるジエステル、２−メチル−１，４−ブタンジオールのエチレンオキシド１モル付加物とイソオクタン酸及び３，５，５−トリメチルヘキサン酸から得られるジエステル、２−メチル−１，４−ブタンジオールのエチレンオキシド１モル付加物とイソオクタン酸及びイソデカン酸から得られるジエステル、２−メチル−１，４−ブタンジオールのエチレンオキシド１モル付加物と２−エチルヘキサン酸及びイソノナン酸から得られるジエステル、２−メチル−１，４−ブタンジオールのエチレンオキシド１モル付加物と２−エチルヘキサン酸及び３，５，５−トリメチルヘキサン酸から得られるジエステル、２−メチル−１，４−ブタンジオールのエチレンオキシド１モル付加物と２−エチルヘキサン酸及びイソデカン酸から得られるジエステル、２−メチル−１，４−ブタンジオールのエチレンオキシド１モル付加物とイソノナン酸及び３，５，５−トリメチルヘキサン酸から得られるジエステル、２−メチル−１，４−ブタンジオールのエチレンオキシド１モル付加物とイソノナン酸及びイソデカン酸から得られるジエステル、２−メチル−１，４−ブタンジオールのエチレンオキシド１モル付加物と３，５，５−トリメチルヘキサン酸及びイソデカン酸から得られるジエステル、２−メチル−１，４−ブタンジオールのエチレンオキシド１モル付加物とｎ−ヘプタン酸及び２−エチルヘキサン酸から得られるジエステル、２−メチル−１，４−ブタンジオールのエチレンオキシド１モル付加物とｎ−ヘプタン酸及びイソノナン酸から得られるジエステル、２−メチル−１，４−ブタンジオールのエチレンオキシド１モル付加物とｎ−ヘプタン酸及び３，５，５−トリメチルヘキサン酸から得られるジエステル、２−メチル−１，４−ブタンジオールのエチレンオキシド１モル付加物とｎ−オクタン酸及びイソヘプタン酸から得られるジエステル、２−メチル−１，４−ブタンジオールのエチレンオキシド１モル付加物とｎ−オクタン酸及びイソオクタン酸から得られるジエステル、２−メチル−１，４−ブタンジオールのエチレンオキシド１モル付加物とｎ−オクタン酸及び２−エチルヘキサン酸から得られるジエステル、２−メチル−１，４−ブタンジオールのエチレンオキシド１モル付加物とｎ−オクタン酸及びイソノナン酸から得られるジエステル、２−メチル−１，４−ブタンジオールのエチレンオキシド１モル付加物とｎ−オクタン酸及び３，５，５−トリメチルヘキサン酸から得られるジエステル、２−メチル−１，４−ブタンジオールのエチレンオキシド１モル付加物とｎ−ノナン酸及びイソヘプタン酸から得られるジエステル、２−メチル−１，４−ブタンジオールのエチレンオキシド１モル付加物とｎ−ノナン酸及びイソオクタン酸から得られるジエステル、２−メチル−１，４−ブタンジオールのエチレンオキシド１モル付加物とｎ−ノナン酸及び２−エチルヘキサン酸から得られるジエステル、２−メチル−１，４−ブタンジオールのエチレンオキシド１モル付加物とｎ−ノナン酸及びイソノナン酸から得られるジエステル、２−メチル−１，４−ブタンジオールのエチレンオキシド１モル付加物とｎ−ノナン酸及び３，５，５−トリメチルヘキサン酸から得られるジエステル、２−メチル−１，４−ブタンジオールのエチレンオキシド１モル付加物とｎ−デカン酸及びイソヘプタン酸から得られるジエステル、２−メチル−１，４−ブタンジオールのエチレンオキシド１モル付加物とｎ−デカン酸及びイソオクタン酸から得られるジエステル、２−メチル−１，４−ブタンジオールのエチレンオキシド１モル付加物とｎ−デカン酸及び２−エチルヘキサン酸から得られるジエステル、２−メチル−１，４−ブタンジオールのエチレンオキシド１モル付加物とｎ−デカン酸及びイソノナン酸から得られるジエステル、２−メチル−１，４−ブタンジオールのエチレンオキシド１モル付加物とｎ−デカン酸及び３，５，５−トリメチルヘキサン酸から得られるジエステルが例示される。
【００４７】
２−メチル−１，４−ブタンジオールのプロピレンオキシド１モル付加物と炭素数７〜１０の直鎖状若しくは分岐鎖状飽和脂肪族モノカルボン酸とのジエステルとしては、具体的には、２−メチル−１，４−ブタンジオールのプロピレンオキシド１モル付加物ジ（ｎ−ヘプタノエ−ト）、２−メチル−１，４−ブタンジオールのプロピレンオキシド１モル付加物ジ（ｎ−オクタノエート）、２−メチル−１，４−ブタンジオールのプロピレンオキシド１モル付加物ジ（ｎ−ノナノエート）、２−メチル−１，４−ブタンジオールのプロピレンオキシド１モル付加物ジ（ｎ−デカノエート）、２−メチル−１，４−ブタンジオールのプロピレンオキシド１モル付加物とｎ−ヘプタン酸及びｎ−オクタン酸から得られるジエステル、２−メチル−１，４−ブタンジオールのプロピレンオキシド１モル付加物とｎ−ヘプタン酸及びｎ−ノナン酸から得られるジエステル、２−メチル−１，４−ブタンジオールのプロピレンオキシド１モル付加物とｎ−ヘプタン酸及びｎ−デカン酸から得られるジエステル、２−メチル−１，４−ブタンジオールのプロピレンオキシド１モル付加物とｎ−オクタン酸及びｎ−ノナン酸から得られるジエステル、２−メチル−１，４−ブタンジオールのプロピレンオキシド１モル付加物とｎ−オクタン酸及びｎ−デカン酸から得られるジエステル、２−メチル−１，４−ブタンジオールのプロピレンオキシド１モル付加物とｎ−ノナン酸及びｎ−デカン酸から得られるジエステル、２−メチル−１，４−ブタンジオールのプロピレンオキシド１モル付加物ジイソヘプタノエート、２−メチル−１，４−ブタンジオールのプロピレンオキシド１モル付加物ジイソオクタノエート、２−メチル−１，４−ブタンジオールのプロピレンオキシド１モル付加物ジ（２−エチルヘキサノエート）、２−メチル−１，４−ブタンジオールのプロピレンオキシド１モル付加物ジイソノナノエート、２−メチル−１，４−ブタンジオールのプロピレンオキシド１モル付加物ジ（３，５，５−トリメチルヘキサノエート）、２−メチル−１，４−ブタンジオールのプロピレンオキシド１モル付加物ジイソデカノエート、２−メチル−１，４−ブタンジオールのプロピレンオキシド１モル付加物とイソヘプタン酸及びイソオクタン酸から得られるジエステル、２−メチル−１，４−ブタンジオールのプロピレンオキシド１モル付加物とイソヘプタン酸及び２−エチルヘキサン酸から得られるジエステル、２−メチル−１，４−ブタンジオールのプロピレンオキシド１モル付加物とイソヘプタン酸及びイソノナン酸から得られるジエステル、２−メチル−１，４−ブタンジオールのプロピレンオキシド１モル付加物とイソヘプタン酸及び３，５，５−トリメチルヘキサン酸から得られるジエステル、２−メチル−１，４−ブタンジオールのプロピレンオキシド１モル付加物とイソヘプタン酸及びイソデカン酸から得られるジエステル、２−メチル−１，４−ブタンジオールのプロピレンオキシド１モル付加物とイソオクタン酸及び２−エチルヘキサン酸から得られるジエステル、２−メチル−１，４−ブタンジオールのプロピレンオキシド１モル付加物とイソオクタン酸及びイソノナン酸から得られるジエステル、２−メチル−１，４−ブタンジオールのプロピレンオキシド１モル付加物とイソオクタン酸及び３，５，５−トリメチルヘキサン酸から得られるジエステル、２−メチル−１，４−ブタンジオールのプロピレンオキシド１モル付加物とイソオクタン酸及びイソデカン酸から得られるジエステル、２−メチル−１，４−ブタンジオールのプロピレンオキシド１モル付加物と２−エチルヘキサン酸及びイソノナン酸から得られるジエステル、２−メチル−１，４−ブタンジオールのプロピレンオキシド１モル付加物と２−エチルヘキサン酸及び３，５，５−トリメチルヘキサン酸から得られるジエステル、２−メチル−１，４−ブタンジオールのプロピレンオキシド１モル付加物と２−エチルヘキサン酸及びイソデカン酸から得られるジエステル、２−メチル−１，４−ブタンジオールのプロピレンオキシド１モル付加物とイソノナン酸及び３，５，５−トリメチルヘキサン酸から得られるジエステル、２−メチル−１，４−ブタンジオールのプロピレンオキシド１モル付加物とイソノナン酸及びイソデカン酸から得られるジエステル、２−メチル−１，４−ブタンジオールのプロピレンオキシド１モル付加物と３，５，５−トリメチルヘキサン酸及びイソデカン酸から得られるジエステル、２−メチル−１，４−ブタンジオールのプロピレンオキシド１モル付加物とｎ−ヘプタン酸及び２−エチルヘキサン酸から得られるジエステル、２−メチル−１，４−ブタンジオールのプロピレンオキシド１モル付加物とｎ−ヘプタン酸及びイソノナン酸から得られるジエステル、２−メチル−１，４−ブタンジオールのプロピレンオキシド１モル付加物とｎ−ヘプタン酸及び３，５，５−トリメチルヘキサン酸から得られるジエステル、２−メチル−１，４−ブタンジオールのプロピレンオキシド１モル付加物とｎ−オクタン酸及びイソヘプタン酸から得られるジエステル、２−メチル−１，４−ブタンジオールのプロピレンオキシド１モル付加物とｎ−オクタン酸及びイソオクタン酸から得られるジエステル、２−メチル−１，４−ブタンジオールのプロピレンオキシド１モル付加物とｎ−オクタン酸及び２−エチルヘキサン酸から得られるジエステル、２−メチル−１，４−ブタンジオールのプロピレンオキシド１モル付加物とｎ−オクタン酸及びイソノナン酸から得られるジエステル、２−メチル−１，４−ブタンジオールのプロピレンオキシド１モル付加物とｎ−オクタン酸及び３，５，５−トリメチルヘキサン酸から得られるジエステル、２−メチル−１，４−ブタンジオールのプロピレンオキシド１モル付加物とｎ−ノナン酸及びイソヘプタン酸から得られるジエステル、２−メチル−１，４−ブタンジオールのプロピレンオキシド１モル付加物とｎ−ノナン酸及びイソオクタン酸から得られるジエステル、２−メチル−１，４−ブタンジオールのプロピレンオキシド１モル付加物とｎ−ノナン酸及び２−エチルヘキサン酸から得られるジエステル、２−メチル−１，４−ブタンジオールのプロピレンオキシド１モル付加物とｎ−ノナン酸及びイソノナン酸から得られるジエステル、２−メチル−１，４−ブタンジオールのプロピレンオキシド１モル付加物とｎ−ノナン酸及び３，５，５−トリメチルヘキサン酸から得られるジエステル、２−メチル−１，４−ブタンジオールのプロピレンオキシド１モル付加物とｎ−デカン酸及びイソヘプタン酸から得られるジエステル、２−メチル−１，４−ブタンジオールのプロピレンオキシド１モル付加物とｎ−デカン酸及びイソオクタン酸から得られるジエステル、２−メチル−１，４−ブタンジオールのプロピレンオキシド１モル付加物とｎ−デカン酸及び２−エチルヘキサン酸から得られるジエステル、２−メチル−１，４−ブタンジオールのプロピレンオキシド１モル付加物とｎ−デカン酸及びイソノナン酸から得られるジエステル、２−メチル−１，４−ブタンジオールのプロピレンオキシド１モル付加物とｎ−デカン酸及び３，５，５−トリメチルヘキサン酸から得られるジエステルが例示される。
【００４８】
２−メチル−１，５−ペンタンジオールのエチレンオキシド１モル付加物と炭素数７〜１０の直鎖状若しくは分岐鎖状飽和脂肪族モノカルボン酸とのジエステルとしては、具体的には、２−メチル−１，５−ペンタンジオールのエチレンオキシド１モル付加物ジ（ｎ−ヘプタノエ−ト）、２−メチル−１，５−ペンタンジオールのエチレンオキシド１モル付加物ジ（ｎ−オクタノエート）、２−メチル−１，５−ペンタンジオールのエチレンオキシド１モル付加物ジ（ｎ−ノナノエート）、２−メチル−１，５−ペンタンジオールのエチレンオキシド１モル付加物ジ（ｎ−デカノエート）、２−メチル−１，５−ペンタンジオールのエチレンオキシド１モル付加物とｎ−ヘプタン酸及びｎ−オクタン酸から得られるジエステル、２−メチル−１，５−ペンタンジオールのエチレンオキシド１モル付加物とｎ−ヘプタン酸及びｎ−ノナン酸から得られるジエステル、２−メチル−１，５−ペンタンジオールのエチレンオキシド１モル付加物とｎ−ヘプタン酸及びｎ−デカン酸から得られるジエステル、２−メチル−１，５−ペンタンジオールのエチレンオキシド１モル付加物とｎ−オクタン酸及びｎ−ノナン酸から得られるジエステル、２−メチル−１，５−ペンタンジオールのエチレンオキシド１モル付加物とｎ−オクタン酸及びｎ−デカン酸から得られるジエステル、２−メチル−１，５−ペンタンジオールのエチレンオキシド１モル付加物とｎ−ノナン酸及びｎ−デカン酸から得られるジエステル、２−メチル−１，５−ペンタンジオールのエチレンオキシド１モル付加物ジイソヘプタノエート、２−メチル−１，５−ペンタンジオールのエチレンオキシド１モル付加物ジイソオクタノエート、２−メチル−１，５−ペンタンジオールのエチレンオキシド１モル付加物ジ（２−エチルヘキサノエート）、２−メチル−１，５−ペンタンジオールのエチレンオキシド１モル付加物ジイソノナノエート、２−メチル−１，５−ペンタンジオールのエチレンオキシド１モル付加物ジ（３，５，５−トリメチルヘキサノエート）、２−メチル−１，５−ペンタンジオールのエチレンオキシド１モル付加物ジイソデカノエート、２−メチル−１，５−ペンタンジオールのエチレンオキシド１モル付加物とイソヘプタン酸及びイソオクタン酸から得られるジエステル、２−メチル−１，５−ペンタンジオールのエチレンオキシド１モル付加物とイソヘプタン酸及び２−エチルヘキサン酸から得られるジエステル、２−メチル−１，５−ペンタンジオールのエチレンオキシド１モル付加物とイソヘプタン酸及びイソノナン酸から得られるジエステル、２−メチル−１，５−ペンタンジオールのエチレンオキシド１モル付加物とイソヘプタン酸及び３，５，５−トリメチルヘキサン酸から得られるジエステル、２−メチル−１，５−ペンタンジオールのエチレンオキシド１モル付加物とイソヘプタン酸及びイソデカン酸から得られるジエステル、２−メチル−１，５−ペンタンジオールのエチレンオキシド１モル付加物とイソオクタン酸及び２−エチルヘキサン酸から得られるジエステル、２−メチル−１，５−ペンタンジオールのエチレンオキシド１モル付加物とイソオクタン酸及びイソノナン酸から得られるジエステル、２−メチル−１，５−ペンタンジオールのエチレンオキシド１モル付加物とイソオクタン酸及び３，５，５−トリメチルヘキサン酸から得られるジエステル、２−メチル−１，５−ペンタンジオールのエチレンオキシド１モル付加物とイソオクタン酸及びイソデカン酸から得られるジエステル、２−メチル−１，５−ペンタンジオールのエチレンオキシド１モル付加物と２−エチルヘキサン酸及びイソノナン酸から得られるジエステル、２−メチル−１，５−ペンタンジオールのエチレンオキシド１モル付加物と２−エチルヘキサン酸及び３，５，５−トリメチルヘキサン酸から得られるジエステル、２−メチル−１，５−ペンタンジオールのエチレンオキシド１モル付加物と２−エチルヘキサン酸及びイソデカン酸から得られるジエステル、２−メチル−１，５−ペンタンジオールのエチレンオキシド１モル付加物とイソノナン酸及び３，５，５−トリメチルヘキサン酸から得られるジエステル、２−メチル−１，５−ペンタンジオールのエチレンオキシド１モル付加物とイソノナン酸及びイソデカン酸から得られるジエステル、２−メチル−１，５−ペンタンジオールのエチレンオキシド１モル付加物と３，５，５−トリメチルヘキサン酸及びイソデカン酸から得られるジエステル、２−メチル−１，５−ペンタンジオールのエチレンオキシド１モル付加物とｎ−ヘプタン酸及び２−エチルヘキサン酸から得られるジエステル、２−メチル−１，５−ペンタンジオールのエチレンオキシド１モル付加物とｎ−ヘプタン酸及びイソノナン酸から得られるジエステル、２−メチル−１，５−ペンタンジオールのエチレンオキシド１モル付加物とｎ−ヘプタン酸及び３，５，５−トリメチルヘキサン酸から得られるジエステル、２−メチル−１，５−ペンタンジオールのエチレンオキシド１モル付加物とｎ−オクタン酸及びイソヘプタン酸から得られるジエステル、２−メチル−１，５−ペンタンジオールのエチレンオキシド１モル付加物とｎ−オクタン酸及びイソオクタン酸から得られるジエステル、２−メチル−１，５−ペンタンジオールのエチレンオキシド１モル付加物とｎ−オクタン酸及び２−エチルヘキサン酸から得られるジエステル、２−メチル−１，５−ペンタンジオールのエチレンオキシド１モル付加物とｎ−オクタン酸及びイソノナン酸から得られるジエステル、２−メチル−１，５−ペンタンジオールのエチレンオキシド１モル付加物とｎ−オクタン酸及び３，５，５−トリメチルヘキサン酸から得られるジエステル、２−メチル−１，５−ペンタンジオールのエチレンオキシド１モル付加物とｎ−ノナン酸及びイソヘプタン酸から得られるジエステル、２−メチル−１，５−ペンタンジオールのエチレンオキシド１モル付加物とｎ−ノナン酸及びイソオクタン酸から得られるジエステル、２−メチル−１，５−ペンタンジオールのエチレンオキシド１モル付加物とｎ−ノナン酸及び２−エチルヘキサン酸から得られるジエステル、２−メチル−１，５−ペンタンジオールのエチレンオキシド１モル付加物とｎ−ノナン酸及びイソノナン酸から得られるジエステル、２−メチル−１，５−ペンタンジオールのエチレンオキシド１モル付加物とｎ−ノナン酸及び３，５，５−トリメチルヘキサン酸から得られるジエステル、２−メチル−１，５−ペンタンジオールのエチレンオキシド１モル付加物とｎ−デカン酸及びイソヘプタン酸から得られるジエステル、２−メチル−１，５−ペンタンジオールのエチレンオキシド１モル付加物とｎ−デカン酸及びイソオクタン酸から得られるジエステル、２−メチル−１，５−ペンタンジオールのエチレンオキシド１モル付加物とｎ−デカン酸及び２−エチルヘキサン酸から得られるジエステル、２−メチル−１，５−ペンタンジオールのエチレンオキシド１モル付加物とｎ−デカン酸及びイソノナン酸から得られるジエステル、２−メチル−１，５−ペンタンジオールのエチレンオキシド１モル付加物とｎ−デカン酸及び３，５，５−トリメチルヘキサン酸から得られるジエステルが例示される。
【００４９】
２−メチル−１，５−ペンタンジオールのプロピレンオキシド１モル付加物と炭素数７〜１０の直鎖状若しくは分岐鎖状飽和脂肪族モノカルボン酸とのジエステルとしては、具体的には、２−メチル−１，５−ペンタンジオールのプロピレンオキシド１モル付加物ジ（ｎ−ヘプタノエ−ト）、２−メチル−１，５−ペンタンジオールのプロピレンオキシド１モル付加物ジ（ｎ−オクタノエート）、２−メチル−１，５−ペンタンジオールのプロピレンオキシド１モル付加物ジ（ｎ−ノナノエート）、２−メチル−１，５−ペンタンジオールのプロピレンオキシド１モル付加物ジ（ｎ−デカノエート）、２−メチル−１，５−ペンタンジオールのプロピレンオキシド１モル付加物とｎ−ヘプタン酸及びｎ−オクタン酸から得られるジエステル、２−メチル−１，５−ペンタンジオールのプロピレンオキシド１モル付加物とｎ−ヘプタン酸及びｎ−ノナン酸から得られるジエステル、２−メチル−１，５−ペンタンジオールのプロピレンオキシド１モル付加物とｎ−ヘプタン酸及びｎ−デカン酸から得られるジエステル、２−メチル−１，５−ペンタンジオールのプロピレンオキシド１モル付加物とｎ−オクタン酸及びｎ−ノナン酸から得られるジエステル、２−メチル−１，５−ペンタンジオールのプロピレンオキシド１モル付加物とｎ−オクタン酸及びｎ−デカン酸から得られるジエステル、２−メチル−１，５−ペンタンジオールのプロピレンオキシド１モル付加物とｎ−ノナン酸及びｎ−デカン酸から得られるジエステル、２−メチル−１，５−ペンタンジオールのプロピレンオキシド１モル付加物ジイソヘプタノエート、２−メチル−１，５−ペンタンジオールのプロピレンオキシド１モル付加物ジイソオクタノエート、２−メチル−１，５−ペンタンジオールのプロピレンオキシド１モル付加物ジ（２−エチルヘキサノエート）、２−メチル−１，５−ペンタンジオールのプロピレンオキシド１モル付加物ジイソノナノエート、２−メチル−１，５−ペンタンジオールのプロピレンオキシド１モル付加物ジ（３，５，５−トリメチルヘキサノエート）、２−メチル−１，５−ペンタンジオールのプロピレンオキシド１モル付加物ジイソデカノエート、２−メチル−１，５−ペンタンジオールのプロピレンオキシド１モル付加物とイソヘプタン酸及びイソオクタン酸から得られるジエステル、２−メチル−１，５−ペンタンジオールのプロピレンオキシド１モル付加物とイソヘプタン酸及び２−エチルヘキサン酸から得られるジエステル、２−メチル−１，５−ペンタンジオールのプロピレンオキシド１モル付加物とイソヘプタン酸及びイソノナン酸から得られるジエステル、２−メチル−１，５−ペンタンジオールのプロピレンオキシド１モル付加物とイソヘプタン酸及び３，５，５−トリメチルヘキサン酸から得られるジエステル、２−メチル−１，５−ペンタンジオールのプロピレンオキシド１モル付加物とイソヘプタン酸及びイソデカン酸から得られるジエステル、２−メチル−１，５−ペンタンジオールのプロピレンオキシド１モル付加物とイソオクタン酸及び２−エチルヘキサン酸から得られるジエステル、２−メチル−１，５−ペンタンジオールのプロピレンオキシド１モル付加物とイソオクタン酸及びイソノナン酸から得られるジエステル、２−メチル−１，５−ペンタンジオールのプロピレンオキシド１モル付加物とイソオクタン酸及び３，５，５−トリメチルヘキサン酸から得られるジエステル、２−メチル−１，５−ペンタンジオールのプロピレンオキシド１モル付加物とイソオクタン酸及びイソデカン酸から得られるジエステル、２−メチル−１，５−ペンタンジオールのプロピレンオキシド１モル付加物と２−エチルヘキサン酸及びイソノナン酸から得られるジエステル、２−メチル−１，５−ペンタンジオールのプロピレンオキシド１モル付加物と２−エチルヘキサン酸及び３，５，５−トリメチルヘキサン酸から得られるジエステル、２−メチル−１，５−ペンタンジオールのプロピレンオキシド１モル付加物と２−エチルヘキサン酸及びイソデカン酸から得られるジエステル、２−メチル−１，５−ペンタンジオールのプロピレンオキシド１モル付加物とイソノナン酸及び３，５，５−トリメチルヘキサン酸から得られるジエステル、２−メチル−１，５−ペンタンジオールのプロピレンオキシド１モル付加物とイソノナン酸及びイソデカン酸から得られるジエステル、２−メチル−１，５−ペンタンジオールのプロピレンオキシド１モル付加物と３，５，５−トリメチルヘキサン酸及びイソデカン酸から得られるジエステル、２−メチル−１，５−ペンタンジオールのプロピレンオキシド１モル付加物とｎ−ヘプタン酸及び２−エチルヘキサン酸から得られるジエステル、２−メチル−１，５−ペンタンジオールのプロピレンオキシド１モル付加物とｎ−ヘプタン酸及びイソノナン酸から得られるジエステル、２−メチル−１，５−ペンタンジオールのプロピレンオキシド１モル付加物とｎ−ヘプタン酸及び３，５，５−トリメチルヘキサン酸から得られるジエステル、２−メチル−１，５−ペンタンジオールのプロピレンオキシド１モル付加物とｎ−オクタン酸及びイソヘプタン酸から得られるジエステル、２−メチル−１，５−ペンタンジオールのプロピレンオキシド１モル付加物とｎ−オクタン酸及びイソオクタン酸から得られるジエステル、２−メチル−１，５−ペンタンジオールのプロピレンオキシド１モル付加物とｎ−オクタン酸及び２−エチルヘキサン酸から得られるジエステル、２−メチル−１，５−ペンタンジオールのプロピレンオキシド１モル付加物とｎ−オクタン酸及びイソノナン酸から得られるジエステル、２−メチル−１，５−ペンタンジオールのプロピレンオキシド１モル付加物とｎ−オクタン酸及び３，５，５−トリメチルヘキサン酸から得られるジエステル、２−メチル−１，５−ペンタンジオールのプロピレンオキシド１モル付加物とｎ−ノナン酸及びイソヘプタン酸から得られるジエステル、２−メチル−１，５−ペンタンジオールのプロピレンオキシド１モル付加物とｎ−ノナン酸及びイソオクタン酸から得られるジエステル、２−メチル−１，５−ペンタンジオールのプロピレンオキシド１モル付加物とｎ−ノナン酸及び２−エチルヘキサン酸から得られるジエステル、２−メチル−１，５−ペンタンジオールのプロピレンオキシド１モル付加物とｎ−ノナン酸及びイソノナン酸から得られるジエステル、２−メチル−１，５−ペンタンジオールのプロピレンオキシド１モル付加物とｎ−ノナン酸及び３，５，５−トリメチルヘキサン酸から得られるジエステル、２−メチル−１，５−ペンタンジオールのプロピレンオキシド１モル付加物とｎ−デカン酸及びイソヘプタン酸から得られるジエステル、２−メチル−１，５−ペンタンジオールのプロピレンオキシド１モル付加物とｎ−デカン酸及びイソオクタン酸から得られるジエステル、２−メチル−１，５−ペンタンジオールのプロピレンオキシド１モル付加物とｎ−デカン酸及び２−エチルヘキサン酸から得られるジエステル、２−メチル−１，５−ペンタンジオールのプロピレンオキシド１モル付加物とｎ−デカン酸及びイソノナン酸から得られるジエステル、２−メチル−１，５−ペンタンジオールのプロピレンオキシド１モル付加物とｎ−デカン酸及び３，５，５−トリメチルヘキサン酸から得られるジエステルが例示される。
【００５０】
３−メチル−１，５−ペンタンジオールのエチレンオキシド１モル付加物と炭素数７〜１０の直鎖状若しくは分岐鎖状飽和脂肪族モノカルボン酸とのジエステルとしては、具体的には、３−メチル−１，５−ペンタンジオールのエチレンオキシド１モル付加物ジ（ｎ−ヘプタノエ−ト）、３−メチル−１，５−ペンタンジオールのエチレンオキシド１モル付加物ジ（ｎ−オクタノエート）、３−メチル−１，５−ペンタンジオールのエチレンオキシド１モル付加物ジ（ｎ−ノナノエート）、３−メチル−１，５−ペンタンジオールのエチレンオキシド１モル付加物ジ（ｎ−デカノエート）、３−メチル−１，５−ペンタンジオールのエチレンオキシド１モル付加物とｎ−ヘプタン酸及びｎ−オクタン酸から得られるジエステル、３−メチル−１，５−ペンタンジオールのエチレンオキシド１モル付加物とｎ−ヘプタン酸及びｎ−ノナン酸から得られるジエステル、３−メチル−１，５−ペンタンジオールのエチレンオキシド１モル付加物とｎ−ヘプタン酸及びｎ−デカン酸から得られるジエステル、３−メチル−１，５−ペンタンジオールのエチレンオキシド１モル付加物とｎ−オクタン酸及びｎ−ノナン酸から得られるジエステル、３−メチル−１，５−ペンタンジオールのエチレンオキシド１モル付加物とｎ−オクタン酸及びｎ−デカン酸から得られるジエステル、３−メチル−１，５−ペンタンジオールのエチレンオキシド１モル付加物とｎ−ノナン酸及びｎ−デカン酸から得られるジエステル、３−メチル−１，５−ペンタンジオールのエチレンオキシド１モル付加物ジイソヘプタノエート、３−メチル−１，５−ペンタンジオールのエチレンオキシド１モル付加物ジイソオクタノエート、３−メチル−１，５−ペンタンジオールのエチレンオキシド１モル付加物ジ（２−エチルヘキサノエート）、３−メチル−１，５−ペンタンジオールのエチレンオキシド１モル付加物ジイソノナノエート、３−メチル−１，５−ペンタンジオールのエチレンオキシド１モル付加物ジ（３，５，５−トリメチルヘキサノエート）、３−メチル−１，５−ペンタンジオールのエチレンオキシド１モル付加物ジイソデカノエート、３−メチル−１，５−ペンタンジオールのエチレンオキシド１モル付加物とイソヘプタン酸及びイソオクタン酸から得られるジエステル、３−メチル−１，５−ペンタンジオールのエチレンオキシド１モル付加物とイソヘプタン酸及び２−エチルヘキサン酸から得られるジエステル、３−メチル−１，５−ペンタンジオールのエチレンオキシド１モル付加物とイソヘプタン酸及びイソノナン酸から得られるジエステル、３−メチル−１，５−ペンタンジオールのエチレンオキシド１モル付加物とイソヘプタン酸及び３，５，５−トリメチルヘキサン酸から得られるジエステル、３−メチル−１，５−ペンタンジオールのエチレンオキシド１モル付加物とイソヘプタン酸及びイソデカン酸から得られるジエステル、３−メチル−１，５−ペンタンジオールのエチレンオキシド１モル付加物とイソオクタン酸及び２−エチルヘキサン酸から得られるジエステル、３−メチル−１，５−ペンタンジオールのエチレンオキシド１モル付加物とイソオクタン酸及びイソノナン酸から得られるジエステル、３−メチル−１，５−ペンタンジオールのエチレンオキシド１モル付加物とイソオクタン酸及び３，５，５−トリメチルヘキサン酸から得られるジエステル、３−メチル−１，５−ペンタンジオールのエチレンオキシド１モル付加物とイソオクタン酸及びイソデカン酸から得られるジエステル、３−メチル−１，５−ペンタンジオールのエチレンオキシド１モル付加物と２−エチルヘキサン酸及びイソノナン酸から得られるジエステル、３−メチル−１，５−ペンタンジオールのエチレンオキシド１モル付加物と２−エチルヘキサン酸及び３，５，５−トリメチルヘキサン酸から得られるジエステル、３−メチル−１，５−ペンタンジオールのエチレンオキシド１モル付加物と２−エチルヘキサン酸及びイソデカン酸から得られるジエステル、３−メチル−１，５−ペンタンジオールのエチレンオキシド１モル付加物とイソノナン酸及び３，５，５−トリメチルヘキサン酸から得られるジエステル、３−メチル−１，５−ペンタンジオールのエチレンオキシド１モル付加物とイソノナン酸及びイソデカン酸から得られるジエステル、３−メチル−１，５−ペンタンジオールのエチレンオキシド１モル付加物と３，５，５−トリメチルヘキサン酸及びイソデカン酸から得られるジエステル、３−メチル−１，５−ペンタンジオールのエチレンオキシド１モル付加物とｎ−ヘプタン酸及び２−エチルヘキサン酸から得られるジエステル、３−メチル−１，５−ペンタンジオールのエチレンオキシド１モル付加物とｎ−ヘプタン酸及びイソノナン酸から得られるジエステル、３−メチル−１，５−ペンタンジオールのエチレンオキシド１モル付加物とｎ−ヘプタン酸及び３，５，５−トリメチルヘキサン酸から得られるジエステル、３−メチル−１，５−ペンタンジオールのエチレンオキシド１モル付加物とｎ−オクタン酸及びイソヘプタン酸から得られるジエステル、３−メチル−１，５−ペンタンジオールのエチレンオキシド１モル付加物とｎ−オクタン酸及びイソオクタン酸から得られるジエステル、３−メチル−１，５−ペンタンジオールのエチレンオキシド１モル付加物とｎ−オクタン酸及び２−エチルヘキサン酸から得られるジエステル、３−メチル−１，５−ペンタンジオールのエチレンオキシド１モル付加物とｎ−オクタン酸及びイソノナン酸から得られるジエステル、３−メチル−１，５−ペンタンジオールのエチレンオキシド１モル付加物とｎ−オクタン酸及び３，５，５−トリメチルヘキサン酸から得られるジエステル、３−メチル−１，５−ペンタンジオールのエチレンオキシド１モル付加物とｎ−ノナン酸及びイソヘプタン酸から得られるジエステル、３−メチル−１，５−ペンタンジオールのエチレンオキシド１モル付加物とｎ−ノナン酸及びイソオクタン酸から得られるジエステル、３−メチル−１，５−ペンタンジオールのエチレンオキシド１モル付加物とｎ−ノナン酸及び２−エチルヘキサン酸から得られるジエステル、３−メチル−１，５−ペンタンジオールのエチレンオキシド１モル付加物とｎ−ノナン酸及びイソノナン酸から得られるジエステル、３−メチル−１，５−ペンタンジオールのエチレンオキシド１モル付加物とｎ−ノナン酸及び３，５，５−トリメチルヘキサン酸から得られるジエステル、３−メチル−１，５−ペンタンジオールのエチレンオキシド１モル付加物とｎ−デカン酸及びイソヘプタン酸から得られるジエステル、３−メチル−１，５−ペンタンジオールのエチレンオキシド１モル付加物とｎ−デカン酸及びイソオクタン酸から得られるジエステル、３−メチル−１，５−ペンタンジオールのエチレンオキシド１モル付加物とｎ−デカン酸及び２−エチルヘキサン酸から得られるジエステル、３−メチル−１，５−ペンタンジオールのエチレンオキシド１モル付加物とｎ−デカン酸及びイソノナン酸から得られるジエステル、３−メチル−１，５−ペンタンジオールのエチレンオキシド１モル付加物とｎ−デカン酸及び３，５，５−トリメチルヘキサン酸から得られるジエステルが例示される。
【００５１】
３−メチル−１，５−ペンタンジオールのプロピレンオキシド１モル付加物と炭素数７〜１０の直鎖状若しくは分岐鎖状飽和脂肪族モノカルボン酸とのジエステルとしては、具体的には、３−メチル−１，５−ペンタンジオールのプロピレンオキシド１モル付加物ジ（ｎ−ヘプタノエ−ト）、３−メチル−１，５−ペンタンジオールのプロピレンオキシド１モル付加物ジ（ｎ−オクタノエート）、３−メチル−１，５−ペンタンジオールのプロピレンオキシド１モル付加物ジ（ｎ−ノナノエート）、３−メチル−１，５−ペンタンジオールのプロピレンオキシド１モル付加物ジ（ｎ−デカノエート）、３−メチル−１，５−ペンタンジオールのプロピレンオキシド１モル付加物とｎ−ヘプタン酸及びｎ−オクタン酸から得られるジエステル、３−メチル−１，５−ペンタンジオールのプロピレンオキシド１モル付加物とｎ−ヘプタン酸及びｎ−ノナン酸から得られるジエステル、３−メチル−１，５−ペンタンジオールのプロピレンオキシド１モル付加物とｎ−ヘプタン酸及びｎ−デカン酸から得られるジエステル、３−メチル−１，５−ペンタンジオールのプロピレンオキシド１モル付加物とｎ−オクタン酸及びｎ−ノナン酸から得られるジエステル、３−メチル−１，５−ペンタンジオールのプロピレンオキシド１モル付加物とｎ−オクタン酸及びｎ−デカン酸から得られるジエステル、３−メチル−１，５−ペンタンジオールのプロピレンオキシド１モル付加物とｎ−ノナン酸及びｎ−デカン酸から得られるジエステル、３−メチル−１，５−ペンタンジオールのプロピレンオキシド１モル付加物ジイソヘプタノエート、３−メチル−１，５−ペンタンジオールのプロピレンオキシド１モル付加物ジイソオクタノエート、３−メチル−１，５−ペンタンジオールのプロピレンオキシド１モル付加物ジ（２−エチルヘキサノエート）、３−メチル−１，５−ペンタンジオールのプロピレンオキシド１モル付加物ジイソノナノエート、３−メチル−１，５−ペンタンジオールのプロピレンオキシド１モル付加物ジ（３，５，５−トリメチルヘキサノエート）、３−メチル−１，５−ペンタンジオールのプロピレンオキシド１モル付加物ジイソデカノエート、３−メチル−１，５−ペンタンジオールのプロピレンオキシド１モル付加物とイソヘプタン酸及びイソオクタン酸から得られるジエステル、３−メチル−１，５−ペンタンジオールのプロピレンオキシド１モル付加物とイソヘプタン酸及び２−エチルヘキサン酸から得られるジエステル、３−メチル−１，５−ペンタンジオールのプロピレンオキシド１モル付加物とイソヘプタン酸及びイソノナン酸から得られるジエステル、３−メチル−１，５−ペンタンジオールのプロピレンオキシド１モル付加物とイソヘプタン酸及び３，５，５−トリメチルヘキサン酸から得られるジエステル、３−メチル−１，５−ペンタンジオールのプロピレンオキシド１モル付加物とイソヘプタン酸及びイソデカン酸から得られるジエステル、３−メチル−１，５−ペンタンジオールのプロピレンオキシド１モル付加物とイソオクタン酸及び２−エチルヘキサン酸から得られるジエステル、３−メチル−１，５−ペンタンジオールのプロピレンオキシド１モル付加物とイソオクタン酸及びイソノナン酸から得られるジエステル、３−メチル−１，５−ペンタンジオールのプロピレンオキシド１モル付加物とイソオクタン酸及び３，５，５−トリメチルヘキサン酸から得られるジエステル、３−メチル−１，５−ペンタンジオールのプロピレンオキシド１モル付加物とイソオクタン酸及びイソデカン酸から得られるジエステル、３−メチル−１，５−ペンタンジオールのプロピレンオキシド１モル付加物と２−エチルヘキサン酸及びイソノナン酸から得られるジエステル、３−メチル−１，５−ペンタンジオールのプロピレンオキシド１モル付加物と２−エチルヘキサン酸及び３，５，５−トリメチルヘキサン酸から得られるジエステル、３−メチル−１，５−ペンタンジオールのプロピレンオキシド１モル付加物と２−エチルヘキサン酸及びイソデカン酸から得られるジエステル、３−メチル−１，５−ペンタンジオールのプロピレンオキシド１モル付加物とイソノナン酸及び３，５，５−トリメチルヘキサン酸から得られるジエステル、３−メチル−１，５−ペンタンジオールのプロピレンオキシド１モル付加物とイソノナン酸及びイソデカン酸から得られるジエステル、３−メチル−１，５−ペンタンジオールのプロピレンオキシド１モル付加物と３，５，５−トリメチルヘキサン酸及びイソデカン酸から得られるジエステル、３−メチル−１，５−ペンタンジオールのプロピレンオキシド１モル付加物とｎ−ヘプタン酸及び２−エチルヘキサン酸から得られるジエステル、３−メチル−１，５−ペンタンジオールのプロピレンオキシド１モル付加物とｎ−ヘプタン酸及びイソノナン酸から得られるジエステル、３−メチル−１，５−ペンタンジオールのプロピレンオキシド１モル付加物とｎ−ヘプタン酸及び３，５，５−トリメチルヘキサン酸から得られるジエステル、３−メチル−１，５−ペンタンジオールのプロピレンオキシド１モル付加物とｎ−オクタン酸及びイソヘプタン酸から得られるジエステル、３−メチル−１，５−ペンタンジオールのプロピレンオキシド１モル付加物とｎ−オクタン酸及びイソオクタン酸から得られるジエステル、３−メチル−１，５−ペンタンジオールのプロピレンオキシド１モル付加物とｎ−オクタン酸及び２−エチルヘキサン酸から得られるジエステル、３−メチル−１，５−ペンタンジオールのプロピレンオキシド１モル付加物とｎ−オクタン酸及びイソノナン酸から得られるジエステル、３−メチル−１，５−ペンタンジオールのプロピレンオキシド１モル付加物とｎ−オクタン酸及び３，５，５−トリメチルヘキサン酸から得られるジエステル、３−メチル−１，５−ペンタンジオールのプロピレンオキシド１モル付加物とｎ−ノナン酸及びイソヘプタン酸から得られるジエステル、３−メチル−１，５−ペンタンジオールのプロピレンオキシド１モル付加物とｎ−ノナン酸及びイソオクタン酸から得られるジエステル、３−メチル−１，５−ペンタンジオールのプロピレンオキシド１モル付加物とｎ−ノナン酸及び２−エチルヘキサン酸から得られるジエステル、３−メチル−１，５−ペンタンジオールのプロピレンオキシド１モル付加物とｎ−ノナン酸及びイソノナン酸から得られるジエステル、３−メチル−１，５−ペンタンジオールのプロピレンオキシド１モル付加物とｎ−ノナン酸及び３，５，５−トリメチルヘキサン酸から得られるジエステル、３−メチル−１，５−ペンタンジオールのプロピレンオキシド１モル付加物とｎ−デカン酸及びイソヘプタン酸から得られるジエステル、３−メチル−１，５−ペンタンジオールのプロピレンオキシド１モル付加物とｎ−デカン酸及びイソオクタン酸から得られるジエステル、３−メチル−１，５−ペンタンジオールのプロピレンオキシド１モル付加物とｎ−デカン酸及び２−エチルヘキサン酸から得られるジエステル、３−メチル−１，５−ペンタンジオールのプロピレンオキシド１モル付加物とｎ−デカン酸及びイソノナン酸から得られるジエステル、３−メチル−１，５−ペンタンジオールのプロピレンオキシド１モル付加物とｎ−デカン酸及び３，５，５−トリメチルヘキサン酸から得られるジエステルが例示される。
【００５２】
２−メチル−１，６−ヘキサンジオールのエチレンオキシド１モル付加物と炭素数７〜１０の直鎖状若しくは分岐鎖状飽和脂肪族モノカルボン酸とのジエステルとしては、具体的には、２−メチル−１，６−ヘキサンジオールのエチレンオキシド１モル付加物ジ（ｎ−ヘプタノエ−ト）、２−メチル−１，６−ヘキサンジオールのエチレンオキシド１モル付加物ジ（ｎ−オクタノエート）、２−メチル−１，６−ヘキサンジオールのエチレンオキシド１モル付加物ジ（ｎ−ノナノエート）、２−メチル−１，６−ヘキサンジオールのエチレンオキシド１モル付加物ジ（ｎ−デカノエート）、２−メチル−１，６−ヘキサンジオールのエチレンオキシド１モル付加物とｎ−ヘプタン酸及びｎ−オクタン酸から得られるジエステル、２−メチル−１，６−ヘキサンジオールのエチレンオキシド１モル付加物とｎ−ヘプタン酸及びｎ−ノナン酸から得られるジエステル、２−メチル−１，６−ヘキサンジオールのエチレンオキシド１モル付加物とｎ−ヘプタン酸及びｎ−デカン酸から得られるジエステル、２−メチル−１，６−ヘキサンジオールのエチレンオキシド１モル付加物とｎ−オクタン酸及びｎ−ノナン酸から得られるジエステル、２−メチル−１，６−ヘキサンジオールのエチレンオキシド１モル付加物とｎ−オクタン酸及びｎ−デカン酸から得られるジエステル、２−メチル−１，６−ヘキサンジオールのエチレンオキシド１モル付加物とｎ−ノナン酸及びｎ−デカン酸から得られるジエステル、２−メチル−１，６−ヘキサンジオールのエチレンオキシド１モル付加物ジイソヘプタノエート、２−メチル−１，６−ヘキサンジオールのエチレンオキシド１モル付加物ジイソオクタノエート、２−メチル−１，６−ヘキサンジオールのエチレンオキシド１モル付加物ジ（２−エチルヘキサノエート）、２−メチル−１，６−ヘキサンジオールのエチレンオキシド１モル付加物ジイソノナノエート、２−メチル−１，６−ヘキサンジオールのエチレンオキシド１モル付加物ジ（３，５，５−トリメチルヘキサノエート）、２−メチル−１，６−ヘキサンジオールのエチレンオキシド１モル付加物ジイソデカノエート、２−メチル−１，６−ヘキサンジオールのエチレンオキシド１モル付加物とイソヘプタン酸及びイソオクタン酸から得られるジエステル、２−メチル−１，６−ヘキサンジオールのエチレンオキシド１モル付加物とイソヘプタン酸及び２−エチルヘキサン酸から得られるジエステル、２−メチル−１，６−ヘキサンジオールのエチレンオキシド１モル付加物とイソヘプタン酸及びイソノナン酸から得られるジエステル、２−メチル−１，６−ヘキサンジオールのエチレンオキシド１モル付加物とイソヘプタン酸及び３，５，５−トリメチルヘキサン酸から得られるジエステル、２−メチル−１，６−ヘキサンジオールのエチレンオキシド１モル付加物とイソヘプタン酸及びイソデカン酸から得られるジエステル、２−メチル−１，６−ヘキサンジオールのエチレンオキシド１モル付加物とイソオクタン酸及び２−エチルヘキサン酸から得られるジエステル、２−メチル−１，６−ヘキサンジオールのエチレンオキシド１モル付加物とイソオクタン酸及びイソノナン酸から得られるジエステル、２−メチル−１，６−ヘキサンジオールのエチレンオキシド１モル付加物とイソオクタン酸及び３，５，５−トリメチルヘキサン酸から得られるジエステル、２−メチル−１，６−ヘキサンジオールのエチレンオキシド１モル付加物とイソオクタン酸及びイソデカン酸から得られるジエステル、２−メチル−１，６−ヘキサンジオールのエチレンオキシド１モル付加物と２−エチルヘキサン酸及びイソノナン酸から得られるジエステル、２−メチル−１，６−ヘキサンジオールのエチレンオキシド１モル付加物と２−エチルヘキサン酸及び３，５，５−トリメチルヘキサン酸から得られるジエステル、２−メチル−１，６−ヘキサンジオールのエチレンオキシド１モル付加物と２−エチルヘキサン酸及びイソデカン酸から得られるジエステル、２−メチル−１，６−ヘキサンジオールのエチレンオキシド１モル付加物とイソノナン酸及び３，５，５−トリメチルヘキサン酸から得られるジエステル、２−メチル−１，６−ヘキサンジオールのエチレンオキシド１モル付加物とイソノナン酸及びイソデカン酸から得られるジエステル、２−メチル−１，６−ヘキサンジオールのエチレンオキシド１モル付加物と３，５，５−トリメチルヘキサン酸及びイソデカン酸から得られるジエステル、２−メチル−１，６−ヘキサンジオールのエチレンオキシド１モル付加物とｎ−ヘプタン酸及び２−エチルヘキサン酸から得られるジエステル、２−メチル−１，６−ヘキサンジオールのエチレンオキシド１モル付加物とｎ−ヘプタン酸及びイソノナン酸から得られるジエステル、２−メチル−１，６−ヘキサンジオールのエチレンオキシド１モル付加物とｎ−ヘプタン酸及び３，５，５−トリメチルヘキサン酸から得られるジエステル、２−メチル−１，６−ヘキサンジオールのエチレンオキシド１モル付加物とｎ−オクタン酸及びイソヘプタン酸から得られるジエステル、２−メチル−１，６−ヘキサンジオールのエチレンオキシド１モル付加物とｎ−オクタン酸及びイソオクタン酸から得られるジエステル、２−メチル−１，６−ヘキサンジオールのエチレンオキシド１モル付加物とｎ−オクタン酸及び２−エチルヘキサン酸から得られるジエステル、２−メチル−１，６−ヘキサンジオールのエチレンオキシド１モル付加物とｎ−オクタン酸及びイソノナン酸から得られるジエステル、２−メチル−１，６−ヘキサンジオールのエチレンオキシド１モル付加物とｎ−オクタン酸及び３，５，５−トリメチルヘキサン酸から得られるジエステル、２−メチル−１，６−ヘキサンジオールのエチレンオキシド１モル付加物とｎ−ノナン酸及びイソヘプタン酸から得られるジエステル、２−メチル−１，６−ヘキサンジオールのエチレンオキシド１モル付加物とｎ−ノナン酸及びイソオクタン酸から得られるジエステル、２−メチル−１，６−ヘキサンジオールのエチレンオキシド１モル付加物とｎ−ノナン酸及び２−エチルヘキサン酸から得られるジエステル、２−メチル−１，６−ヘキサンジオールのエチレンオキシド１モル付加物とｎ−ノナン酸及びイソノナン酸から得られるジエステル、２−メチル−１，６−ヘキサンジオールのエチレンオキシド１モル付加物とｎ−ノナン酸及び３，５，５−トリメチルヘキサン酸から得られるジエステル、２−メチル−１，６−ヘキサンジオールのエチレンオキシド１モル付加物とｎ−デカン酸及びイソヘプタン酸から得られるジエステル、２−メチル−１，６−ヘキサンジオールのエチレンオキシド１モル付加物とｎ−デカン酸及びイソオクタン酸から得られるジエステル、２−メチル−１，６−ヘキサンジオールのエチレンオキシド１モル付加物とｎ−デカン酸及び２−エチルヘキサン酸から得られるジエステル、２−メチル−１，６−ヘキサンジオールのエチレンオキシド１モル付加物とｎ−デカン酸及びイソノナン酸から得られるジエステル、２−メチル−１，６−ヘキサンジオールのエチレンオキシド１モル付加物とｎ−デカン酸及び３，５，５−トリメチルヘキサン酸から得られるジエステルが例示される。
【００５３】
２−メチル−１，６−ヘキサンジオールのプロピレンオキシド１モル付加物と炭素数７〜１０の直鎖状若しくは分岐鎖状飽和脂肪族モノカルボン酸とのジエステルとしては、具体的には、２−メチル−１，６−ヘキサンジオールのプロピレンオキシド１モル付加物ジ（ｎ−ヘプタノエ−ト）、２−メチル−１，６−ヘキサンジオールのプロピレンオキシド１モル付加物ジ（ｎ−オクタノエート）、２−メチル−１，６−ヘキサンジオールのプロピレンオキシド１モル付加物ジ（ｎ−ノナノエート）、２−メチル−１，６−ヘキサンジオールのプロピレンオキシド１モル付加物ジ（ｎ−デカノエート）、２−メチル−１，６−ヘキサンジオールのプロピレンオキシド１モル付加物とｎ−ヘプタン酸及びｎ−オクタン酸から得られるジエステル、２−メチル−１，６−ヘキサンジオールのプロピレンオキシド１モル付加物とｎ−ヘプタン酸及びｎ−ノナン酸から得られるジエステル、２−メチル−１，６−ヘキサンジオールのプロピレンオキシド１モル付加物とｎ−ヘプタン酸及びｎ−デカン酸から得られるジエステル、２−メチル−１，６−ヘキサンジオールのプロピレンオキシド１モル付加物とｎ−オクタン酸及びｎ−ノナン酸から得られるジエステル、２−メチル−１，６−ヘキサンジオールのプロピレンオキシド１モル付加物とｎ−オクタン酸及びｎ−デカン酸から得られるジエステル、２−メチル−１，６−ヘキサンジオールのプロピレンオキシド１モル付加物とｎ−ノナン酸及びｎ−デカン酸から得られるジエステル、２−メチル−１，６−ヘキサンジオールのプロピレンオキシド１モル付加物ジイソヘプタノエート、２−メチル−１，６−ヘキサンジオールのプロピレンオキシド１モル付加物ジイソオクタノエート、２−メチル−１，６−ヘキサンジオールのプロピレンオキシド１モル付加物ジ（２−エチルヘキサノエート）、２−メチル−１，６−ヘキサンジオールのプロピレンオキシド１モル付加物ジイソノナノエート、２−メチル−１，６−ヘキサンジオールのプロピレンオキシド１モル付加物ジ（３，５，５−トリメチルヘキサノエート）、２−メチル−１，６−ヘキサンジオールのプロピレンオキシド１モル付加物ジイソデカノエート、２−メチル−１，６−ヘキサンジオールのプロピレンオキシド１モル付加物とイソヘプタン酸及びイソオクタン酸から得られるジエステル、２−メチル−１，６−ヘキサンジオールのプロピレンオキシド１モル付加物とイソヘプタン酸及び２−エチルヘキサン酸から得られるジエステル、２−メチル−１，６−ヘキサンジオールのプロピレンオキシド１モル付加物とイソヘプタン酸及びイソノナン酸から得られるジエステル、２−メチル−１，６−ヘキサンジオールのプロピレンオキシド１モル付加物とイソヘプタン酸及び３，５，５−トリメチルヘキサン酸から得られるジエステル、２−メチル−１，６−ヘキサンジオールのプロピレンオキシド１モル付加物とイソヘプタン酸及びイソデカン酸から得られるジエステル、２−メチル−１，６−ヘキサンジオールのプロピレンオキシド１モル付加物とイソオクタン酸及び２−エチルヘキサン酸から得られるジエステル、２−メチル−１，６−ヘキサンジオールのプロピレンオキシド１モル付加物とイソオクタン酸及びイソノナン酸から得られるジエステル、２−メチル−１，６−ヘキサンジオールのプロピレンオキシド１モル付加物とイソオクタン酸及び３，５，５−トリメチルヘキサン酸から得られるジエステル、２−メチル−１，６−ヘキサンジオールのプロピレンオキシド１モル付加物とイソオクタン酸及びイソデカン酸から得られるジエステル、２−メチル−１，６−ヘキサンジオールのプロピレンオキシド１モル付加物と２−エチルヘキサン酸及びイソノナン酸から得られるジエステル、２−メチル−１，６−ヘキサンジオールのプロピレンオキシド１モル付加物と２−エチルヘキサン酸及び３，５，５−トリメチルヘキサン酸から得られるジエステル、２−メチル−１，６−ヘキサンジオールのプロピレンオキシド１モル付加物と２−エチルヘキサン酸及びイソデカン酸から得られるジエステル、２−メチル−１，６−ヘキサンジオールのプロピレンオキシド１モル付加物とイソノナン酸及び３，５，５−トリメチルヘキサン酸から得られるジエステル、２−メチル−１，６−ヘキサンジオールのプロピレンオキシド１モル付加物とイソノナン酸及びイソデカン酸から得られるジエステル、２−メチル−１，６−ヘキサンジオールのプロピレンオキシド１モル付加物と３，５，５−トリメチルヘキサン酸及びイソデカン酸から得られるジエステル、２−メチル−１，６−ヘキサンジオールのプロピレンオキシド１モル付加物とｎ−ヘプタン酸及び２−エチルヘキサン酸から得られるジエステル、２−メチル−１，６−ヘキサンジオールのプロピレンオキシド１モル付加物とｎ−ヘプタン酸及びイソノナン酸から得られるジエステル、２−メチル−１，６−ヘキサンジオールのプロピレンオキシド１モル付加物とｎ−ヘプタン酸及び３，５，５−トリメチルヘキサン酸から得られるジエステル、２−メチル−１，６−ヘキサンジオールのプロピレンオキシド１モル付加物とｎ−オクタン酸及びイソヘプタン酸から得られるジエステル、２−メチル−１，６−ヘキサンジオールのプロピレンオキシド１モル付加物とｎ−オクタン酸及びイソオクタン酸から得られるジエステル、２−メチル−１，６−ヘキサンジオールのプロピレンオキシド１モル付加物とｎ−オクタン酸及び２−エチルヘキサン酸から得られるジエステル、２−メチル−１，６−ヘキサンジオールのプロピレンオキシド１モル付加物とｎ−オクタン酸及びイソノナン酸から得られるジエステル、２−メチル−１，６−ヘキサンジオールのプロピレンオキシド１モル付加物とｎ−オクタン酸及び３，５，５−トリメチルヘキサン酸から得られるジエステル、２−メチル−１，６−ヘキサンジオールのプロピレンオキシド１モル付加物とｎ−ノナン酸及びイソヘプタン酸から得られるジエステル、２−メチル−１，６−ヘキサンジオールのプロピレンオキシド１モル付加物とｎ−ノナン酸及びイソオクタン酸から得られるジエステル、２−メチル−１，６−ヘキサンジオールのプロピレンオキシド１モル付加物とｎ−ノナン酸及び２−エチルヘキサン酸から得られるジエステル、２−メチル−１，６−ヘキサンジオールのプロピレンオキシド１モル付加物とｎ−ノナン酸及びイソノナン酸から得られるジエステル、２−メチル−１，６−ヘキサンジオールのプロピレンオキシド１モル付加物とｎ−ノナン酸及び３，５，５−トリメチルヘキサン酸から得られるジエステル、２−メチル−１，６−ヘキサンジオールのプロピレンオキシド１モル付加物とｎ−デカン酸及びイソヘプタン酸から得られるジエステル、２−メチル−１，６−ヘキサンジオールのプロピレンオキシド１モル付加物とｎ−デカン酸及びイソオクタン酸から得られるジエステル、２−メチル−１，６−ヘキサンジオールのプロピレンオキシド１モル付加物とｎ−デカン酸及び２−エチルヘキサン酸から得られるジエステル、２−メチル−１，６−ヘキサンジオールのプロピレンオキシド１モル付加物とｎ−デカン酸及びイソノナン酸から得られるジエステル、２−メチル−１，６−ヘキサンジオールのプロピレンオキシド１モル付加物とｎ−デカン酸及び３，５，５−トリメチルヘキサン酸から得られるジエステルが例示される。
【００５４】
３−メチル−１，６−ヘキサンジオールのエチレンオキシド１モル付加物と炭素数７〜１０の直鎖状若しくは分岐鎖状飽和脂肪族モノカルボン酸とのジエステルとしては、具体的には、３−メチル−１，６−ヘキサンジオールのエチレンオキシド１モル付加物ジ（ｎ−ヘプタノエ−ト）、３−メチル−１，６−ヘキサンジオールのエチレンオキシド１モル付加物ジ（ｎ−オクタノエート）、３−メチル−１，６−ヘキサンジオールのエチレンオキシド１モル付加物ジ（ｎ−ノナノエート）、３−メチル−１，６−ヘキサンジオールのエチレンオキシド１モル付加物ジ（ｎ−デカノエート）、３−メチル−１，６−ヘキサンジオールのエチレンオキシド１モル付加物とｎ−ヘプタン酸及びｎ−オクタン酸から得られるジエステル、３−メチル−１，６−ヘキサンジオールのエチレンオキシド１モル付加物とｎ−ヘプタン酸及びｎ−ノナン酸から得られるジエステル、３−メチル−１，６−ヘキサンジオールのエチレンオキシド１モル付加物とｎ−ヘプタン酸及びｎ−デカン酸から得られるジエステル、３−メチル−１，６−ヘキサンジオールのエチレンオキシド１モル付加物とｎ−オクタン酸及びｎ−ノナン酸から得られるジエステル、３−メチル−１，６−ヘキサンジオールのエチレンオキシド１モル付加物とｎ−オクタン酸及びｎ−デカン酸から得られるジエステル、３−メチル−１，６−ヘキサンジオールのエチレンオキシド１モル付加物とｎ−ノナン酸及びｎ−デカン酸から得られるジエステル、３−メチル−１，６−ヘキサンジオールのエチレンオキシド１モル付加物ジイソヘプタノエート、３−メチル−１，６−ヘキサンジオールのエチレンオキシド１モル付加物ジイソオクタノエート、３−メチル−１，６−ヘキサンジオールのエチレンオキシド１モル付加物ジ（２−エチルヘキサノエート）、３−メチル−１，６−ヘキサンジオールのエチレンオキシド１モル付加物ジイソノナノエート、３−メチル−１，６−ヘキサンジオールのエチレンオキシド１モル付加物ジ（３，５，５−トリメチルヘキサノエート）、３−メチル−１，６−ヘキサンジオールのエチレンオキシド１モル付加物ジイソデカノエート、３−メチル−１，６−ヘキサンジオールのエチレンオキシド１モル付加物とイソヘプタン酸及びイソオクタン酸から得られるジエステル、３−メチル−１，６−ヘキサンジオールのエチレンオキシド１モル付加物とイソヘプタン酸及び２−エチルヘキサン酸から得られるジエステル、３−メチル−１，６−ヘキサンジオールのエチレンオキシド１モル付加物とイソヘプタン酸及びイソノナン酸から得られるジエステル、３−メチル−１，６−ヘキサンジオールのエチレンオキシド１モル付加物とイソヘプタン酸及び３，５，５−トリメチルヘキサン酸から得られるジエステル、３−メチル−１，６−ヘキサンジオールのエチレンオキシド１モル付加物とイソヘプタン酸及びイソデカン酸から得られるジエステル、３−メチル−１，６−ヘキサンジオールのエチレンオキシド１モル付加物とイソオクタン酸及び２−エチルヘキサン酸から得られるジエステル、３−メチル−１，６−ヘキサンジオールのエチレンオキシド１モル付加物とイソオクタン酸及びイソノナン酸から得られるジエステル、３−メチル−１，６−ヘキサンジオールのエチレンオキシド１モル付加物とイソオクタン酸及び３，５，５−トリメチルヘキサン酸から得られるジエステル、３−メチル−１，６−ヘキサンジオールのエチレンオキシド１モル付加物とイソオクタン酸及びイソデカン酸から得られるジエステル、３−メチル−１，６−ヘキサンジオールのエチレンオキシド１モル付加物と２−エチルヘキサン酸及びイソノナン酸から得られるジエステル、３−メチル−１，６−ヘキサンジオールのエチレンオキシド１モル付加物と２−エチルヘキサン酸及び３，５，５−トリメチルヘキサン酸から得られるジエステル、３−メチル−１，６−ヘキサンジオールのエチレンオキシド１モル付加物と２−エチルヘキサン酸及びイソデカン酸から得られるジエステル、３−メチル−１，６−ヘキサンジオールのエチレンオキシド１モル付加物とイソノナン酸及び３，５，５−トリメチルヘキサン酸から得られるジエステル、３−メチル−１，６−ヘキサンジオールのエチレンオキシド１モル付加物とイソノナン酸及びイソデカン酸から得られるジエステル、３−メチル−１，６−ヘキサンジオールのエチレンオキシド１モル付加物と３，５，５−トリメチルヘキサン酸及びイソデカン酸から得られるジエステル、３−メチル−１，６−ヘキサンジオールのエチレンオキシド１モル付加物とｎ−ヘプタン酸及び２−エチルヘキサン酸から得られるジエステル、３−メチル−１，６−ヘキサンジオールのエチレンオキシド１モル付加物とｎ−ヘプタン酸及びイソノナン酸から得られるジエステル、３−メチル−１，６−ヘキサンジオールのエチレンオキシド１モル付加物とｎ−ヘプタン酸及び３，５，５−トリメチルヘキサン酸から得られるジエステル、３−メチル−１，６−ヘキサンジオールのエチレンオキシド１モル付加物とｎ−オクタン酸及びイソヘプタン酸から得られるジエステル、３−メチル−１，６−ヘキサンジオールのエチレンオキシド１モル付加物とｎ−オクタン酸及びイソオクタン酸から得られるジエステル、３−メチル−１，６−ヘキサンジオールのエチレンオキシド１モル付加物とｎ−オクタン酸及び２−エチルヘキサン酸から得られるジエステル、３−メチル−１，６−ヘキサンジオールのエチレンオキシド１モル付加物とｎ−オクタン酸及びイソノナン酸から得られるジエステル、３−メチル−１，６−ヘキサンジオールのエチレンオキシド１モル付加物とｎ−オクタン酸及び３，５，５−トリメチルヘキサン酸から得られるジエステル、３−メチル−１，６−ヘキサンジオールのエチレンオキシド１モル付加物とｎ−ノナン酸及びイソヘプタン酸から得られるジエステル、３−メチル−１，６−ヘキサンジオールのエチレンオキシド１モル付加物とｎ−ノナン酸及びイソオクタン酸から得られるジエステル、３−メチル−１，６−ヘキサンジオールのエチレンオキシド１モル付加物とｎ−ノナン酸及び２−エチルヘキサン酸から得られるジエステル、３−メチル−１，６−ヘキサンジオールのエチレンオキシド１モル付加物とｎ−ノナン酸及びイソノナン酸から得られるジエステル、３−メチル−１，６−ヘキサンジオールのエチレンオキシド１モル付加物とｎ−ノナン酸及び３，５，５−トリメチルヘキサン酸から得られるジエステル、３−メチル−１，６−ヘキサンジオールのエチレンオキシド１モル付加物とｎ−デカン酸及びイソヘプタン酸から得られるジエステル、３−メチル−１，６−ヘキサンジオールのエチレンオキシド１モル付加物とｎ−デカン酸及びイソオクタン酸から得られるジエステル、３−メチル−１，６−ヘキサンジオールのエチレンオキシド１モル付加物とｎ−デカン酸及び２−エチルヘキサン酸から得られるジエステル、３−メチル−１，６−ヘキサンジオールのエチレンオキシド１モル付加物とｎ−デカン酸及びイソノナン酸から得られるジエステル、３−メチル−１，６−ヘキサンジオールのエチレンオキシド１モル付加物とｎ−デカン酸及び３，５，５−トリメチルヘキサン酸から得られるジエステルが例示される。
【００５５】
３−メチル−１，６−ヘキサンジオールのプロピレンオキシド１モル付加物と炭素数７〜１０の直鎖状若しくは分岐鎖状飽和脂肪族モノカルボン酸とのジエステルとしては、具体的には、３−メチル−１，６−ヘキサンジオールのプロピレンオキシド１モル付加物ジ（ｎ−ヘプタノエ−ト）、３−メチル−１，６−ヘキサンジオールのプロピレンオキシド１モル付加物ジ（ｎ−オクタノエート）、３−メチル−１，６−ヘキサンジオールのプロピレンオキシド１モル付加物ジ（ｎ−ノナノエート）、３−メチル−１，６−ヘキサンジオールのプロピレンオキシド１モル付加物ジ（ｎ−デカノエート）、３−メチル−１，６−ヘキサンジオールのプロピレンオキシド１モル付加物とｎ−ヘプタン酸及びｎ−オクタン酸から得られるジエステル、３−メチル−１，６−ヘキサンジオールのプロピレンオキシド１モル付加物とｎ−ヘプタン酸及びｎ−ノナン酸から得られるジエステル、３−メチル−１，６−ヘキサンジオールのプロピレンオキシド１モル付加物とｎ−ヘプタン酸及びｎ−デカン酸から得られるジエステル、３−メチル−１，６−ヘキサンジオールのプロピレンオキシド１モル付加物とｎ−オクタン酸及びｎ−ノナン酸から得られるジエステル、３−メチル−１，６−ヘキサンジオールのプロピレンオキシド１モル付加物とｎ−オクタン酸及びｎ−デカン酸から得られるジエステル、３−メチル−１，６−ヘキサンジオールのプロピレンオキシド１モル付加物とｎ−ノナン酸及びｎ−デカン酸から得られるジエステル、３−メチル−１，６−ヘキサンジオールのプロピレンオキシド１モル付加物ジイソヘプタノエート、３−メチル−１，６−ヘキサンジオールのプロピレンオキシド１モル付加物ジイソオクタノエート、３−メチル−１，６−ヘキサンジオールのプロピレンオキシド１モル付加物ジ（２−エチルヘキサノエート）、３−メチル−１，６−ヘキサンジオールのプロピレンオキシド１モル付加物ジイソノナノエート、３−メチル−１，６−ヘキサンジオールのプロピレンオキシド１モル付加物ジ（３，５，５−トリメチルヘキサノエート）、３−メチル−１，６−ヘキサンジオールのプロピレンオキシド１モル付加物ジイソデカノエート、３−メチル−１，６−ヘキサンジオールのプロピレンオキシド１モル付加物とイソヘプタン酸及びイソオクタン酸から得られるジエステル、３−メチル−１，６−ヘキサンジオールのプロピレンオキシド１モル付加物とイソヘプタン酸及び２−エチルヘキサン酸から得られるジエステル、３−メチル−１，６−ヘキサンジオールのプロピレンオキシド１モル付加物とイソヘプタン酸及びイソノナン酸から得られるジエステル、３−メチル−１，６−ヘキサンジオールのプロピレンオキシド１モル付加物とイソヘプタン酸及び３，５，５−トリメチルヘキサン酸から得られるジエステル、３−メチル−１，６−ヘキサンジオールのプロピレンオキシド１モル付加物とイソヘプタン酸及びイソデカン酸から得られるジエステル、３−メチル−１，６−ヘキサンジオールのプロピレンオキシド１モル付加物とイソオクタン酸及び２−エチルヘキサン酸から得られるジエステル、３−メチル−１，６−ヘキサンジオールのプロピレンオキシド１モル付加物とイソオクタン酸及びイソノナン酸から得られるジエステル、３−メチル−１，６−ヘキサンジオールのプロピレンオキシド１モル付加物とイソオクタン酸及び３，５，５−トリメチルヘキサン酸から得られるジエステル、３−メチル−１，６−ヘキサンジオールのプロピレンオキシド１モル付加物とイソオクタン酸及びイソデカン酸から得られるジエステル、３−メチル−１，６−ヘキサンジオールのプロピレンオキシド１モル付加物と２−エチルヘキサン酸及びイソノナン酸から得られるジエステル、３−メチル−１，６−ヘキサンジオールのプロピレンオキシド１モル付加物と２−エチルヘキサン酸及び３，５，５−トリメチルヘキサン酸から得られるジエステル、３−メチル−１，６−ヘキサンジオールのプロピレンオキシド１モル付加物と２−エチルヘキサン酸及びイソデカン酸から得られるジエステル、３−メチル−１，６−ヘキサンジオールのプロピレンオキシド１モル付加物とイソノナン酸及び３，５，５−トリメチルヘキサン酸から得られるジエステル、３−メチル−１，６−ヘキサンジオールのプロピレンオキシド１モル付加物とイソノナン酸及びイソデカン酸から得られるジエステル、３−メチル−１，６−ヘキサンジオールのプロピレンオキシド１モル付加物と３，５，５−トリメチルヘキサン酸及びイソデカン酸から得られるジエステル、３−メチル−１，６−ヘキサンジオールのプロピレンオキシド１モル付加物とｎ−ヘプタン酸及び２−エチルヘキサン酸から得られるジエステル、３−メチル−１，６−ヘキサンジオールのプロピレンオキシド１モル付加物とｎ−ヘプタン酸及びイソノナン酸から得られるジエステル、３−メチル−１，６−ヘキサンジオールのプロピレンオキシド１モル付加物とｎ−ヘプタン酸及び３，５，５−トリメチルヘキサン酸から得られるジエステル、３−メチル−１，６−ヘキサンジオールのプロピレンオキシド１モル付加物とｎ−オクタン酸及びイソヘプタン酸から得られるジエステル、３−メチル−１，６−ヘキサンジオールのプロピレンオキシド１モル付加物とｎ−オクタン酸及びイソオクタン酸から得られるジエステル、３−メチル−１，６−ヘキサンジオールのプロピレンオキシド１モル付加物とｎ−オクタン酸及び２−エチルヘキサン酸から得られるジエステル、３−メチル−１，６−ヘキサンジオールのプロピレンオキシド１モル付加物とｎ−オクタン酸及びイソノナン酸から得られるジエステル、３−メチル−１，６−ヘキサンジオールのプロピレンオキシド１モル付加物とｎ−オクタン酸及び３，５，５−トリメチルヘキサン酸から得られるジエステル、３−メチル−１，６−ヘキサンジオールのプロピレンオキシド１モル付加物とｎ−ノナン酸及びイソヘプタン酸から得られるジエステル、３−メチル−１，６−ヘキサンジオールのプロピレンオキシド１モル付加物とｎ−ノナン酸及びイソオクタン酸から得られるジエステル、３−メチル−１，６−ヘキサンジオールのプロピレンオキシド１モル付加物とｎ−ノナン酸及び２−エチルヘキサン酸から得られるジエステル、３−メチル−１，６−ヘキサンジオールのプロピレンオキシド１モル付加物とｎ−ノナン酸及びイソノナン酸から得られるジエステル、３−メチル−１，６−ヘキサンジオールのプロピレンオキシド１モル付加物とｎ−ノナン酸及び３，５，５−トリメチルヘキサン酸から得られるジエステル、３−メチル−１，６−ヘキサンジオールのプロピレンオキシド１モル付加物とｎ−デカン酸及びイソヘプタン酸から得られるジエステル、３−メチル−１，６−ヘキサンジオールのプロピレンオキシド１モル付加物とｎ−デカン酸及びイソオクタン酸から得られるジエステル、３−メチル−１，６−ヘキサンジオールのプロピレンオキシド１モル付加物とｎ−デカン酸及び２−エチルヘキサン酸から得られるジエステル、３−メチル−１，６−ヘキサンジオールのプロピレンオキシド１モル付加物とｎ−デカン酸及びイソノナン酸から得られるジエステル、３−メチル−１，６−ヘキサンジオールのプロピレンオキシド１モル付加物とｎ−デカン酸及び３，５，５−トリメチルヘキサン酸から得られるジエステルが例示される。
【００５６】
２−メチル−１，７−ヘプタンジオールのエチレンオキシド１モル付加物と炭素数７〜１０の直鎖状若しくは分岐鎖状飽和脂肪族モノカルボン酸とのジエステルとしては、具体的には、２−メチル−１，７−ヘプタンジオールのエチレンオキシド１モル付加物ジ（ｎ−ヘプタノエ−ト）、２−メチル−１，７−ヘプタンジオールのエチレンオキシド１モル付加物ジ（ｎ−オクタノエート）、２−メチル−１，７−ヘプタンジオールのエチレンオキシド１モル付加物ジ（ｎ−ノナノエート）、２−メチル−１，７−ヘプタンジオールのエチレンオキシド１モル付加物ジ（ｎ−デカノエート）、２−メチル−１，７−ヘプタンジオールのエチレンオキシド１モル付加物とｎ−ヘプタン酸及びｎ−オクタン酸から得られるジエステル、２−メチル−１，７−ヘプタンジオールのエチレンオキシド１モル付加物とｎ−ヘプタン酸及びｎ−ノナン酸から得られるジエステル、２−メチル−１，７−ヘプタンジオールのエチレンオキシド１モル付加物とｎ−ヘプタン酸及びｎ−デカン酸から得られるジエステル、２−メチル−１，７−ヘプタンジオールのエチレンオキシド１モル付加物とｎ−オクタン酸及びｎ−ノナン酸から得られるジエステル、２−メチル−１，７−ヘプタンジオールのエチレンオキシド１モル付加物とｎ−オクタン酸及びｎ−デカン酸から得られるジエステル、２−メチル−１，７−ヘプタンジオールのエチレンオキシド１モル付加物とｎ−ノナン酸及びｎ−デカン酸から得られるジエステル、２−メチル−１，７−ヘプタンジオールのエチレンオキシド１モル付加物ジイソヘプタノエート、２−メチル−１，７−ヘプタンジオールのエチレンオキシド１モル付加物ジイソオクタノエート、２−メチル−１，７−ヘプタンジオールのエチレンオキシド１モル付加物ジ（２−エチルヘキサノエート）、２−メチル−１，７−ヘプタンジオールのエチレンオキシド１モル付加物ジイソノナノエート、２−メチル−１，７−ヘプタンジオールのエチレンオキシド１モル付加物ジ（３，５，５−トリメチルヘキサノエート）、２−メチル−１，７−ヘプタンジオールのエチレンオキシド１モル付加物ジイソデカノエート、２−メチル−１，７−ヘプタンジオールのエチレンオキシド１モル付加物とイソヘプタン酸及びイソオクタン酸から得られるジエステル、２−メチル−１，７−ヘプタンジオールのエチレンオキシド１モル付加物とイソヘプタン酸及び２−エチルヘキサン酸から得られるジエステル、２−メチル−１，７−ヘプタンジオールのエチレンオキシド１モル付加物とイソヘプタン酸及びイソノナン酸から得られるジエステル、２−メチル−１，７−ヘプタンジオールのエチレンオキシド１モル付加物とイソヘプタン酸及び３，５，５−トリメチルヘキサン酸から得られるジエステル、２−メチル−１，７−ヘプタンジオールのエチレンオキシド１モル付加物とイソヘプタン酸及びイソデカン酸から得られるジエステル、２−メチル−１，７−ヘプタンジオールのエチレンオキシド１モル付加物とイソオクタン酸及び２−エチルヘキサン酸から得られるジエステル、２−メチル−１，７−ヘプタンジオールのエチレンオキシド１モル付加物とイソオクタン酸及びイソノナン酸から得られるジエステル、２−メチル−１，７−ヘプタンジオールのエチレンオキシド１モル付加物とイソオクタン酸及び３，５，５−トリメチルヘキサン酸から得られるジエステル、２−メチル−１，７−ヘプタンジオールのエチレンオキシド１モル付加物とイソオクタン酸及びイソデカン酸から得られるジエステル、２−メチル−１，７−ヘプタンジオールのエチレンオキシド１モル付加物と２−エチルヘキサン酸及びイソノナン酸から得られるジエステル、２−メチル−１，７−ヘプタンジオールのエチレンオキシド１モル付加物と２−エチルヘキサン酸及び３，５，５−トリメチルヘキサン酸から得られるジエステル、２−メチル−１，７−ヘプタンジオールのエチレンオキシド１モル付加物と２−エチルヘキサン酸及びイソデカン酸から得られるジエステル、２−メチル−１，７−ヘプタンジオールのエチレンオキシド１モル付加物とイソノナン酸及び３，５，５−トリメチルヘキサン酸から得られるジエステル、２−メチル−１，７−ヘプタンジオールのエチレンオキシド１モル付加物とイソノナン酸及びイソデカン酸から得られるジエステル、２−メチル−１，７−ヘプタンジオールのエチレンオキシド１モル付加物と３，５，５−トリメチルヘキサン酸及びイソデカン酸から得られるジエステル、２−メチル−１，７−ヘプタンジオールのエチレンオキシド１モル付加物とｎ−ヘプタン酸及び２−エチルヘキサン酸から得られるジエステル、２−メチル−１，７−ヘプタンジオールのエチレンオキシド１モル付加物とｎ−ヘプタン酸及びイソノナン酸から得られるジエステル、２−メチル−１，７−ヘプタンジオールのエチレンオキシド１モル付加物とｎ−ヘプタン酸及び３，５，５−トリメチルヘキサン酸から得られるジエステル、２−メチル−１，７−ヘプタンジオールのエチレンオキシド１モル付加物とｎ−オクタン酸及びイソヘプタン酸から得られるジエステル、２−メチル−１，７−ヘプタンジオールのエチレンオキシド１モル付加物とｎ−オクタン酸及びイソオクタン酸から得られるジエステル、２−メチル−１，７−ヘプタンジオールのエチレンオキシド１モル付加物とｎ−オクタン酸及び２−エチルヘキサン酸から得られるジエステル、２−メチル−１，７−ヘプタンジオールのエチレンオキシド１モル付加物とｎ−オクタン酸及びイソノナン酸から得られるジエステル、２−メチル−１，７−ヘプタンジオールのエチレンオキシド１モル付加物とｎ−オクタン酸及び３，５，５−トリメチルヘキサン酸から得られるジエステル、２−メチル−１，７−ヘプタンジオールのエチレンオキシド１モル付加物とｎ−ノナン酸及びイソヘプタン酸から得られるジエステル、２−メチル−１，７−ヘプタンジオールのエチレンオキシド１モル付加物とｎ−ノナン酸及びイソオクタン酸から得られるジエステル、２−メチル−１，７−ヘプタンジオールのエチレンオキシド１モル付加物とｎ−ノナン酸及び２−エチルヘキサン酸から得られるジエステル、２−メチル−１，７−ヘプタンジオールのエチレンオキシド１モル付加物とｎ−ノナン酸及びイソノナン酸から得られるジエステル、２−メチル−１，７−ヘプタンジオールのエチレンオキシド１モル付加物とｎ−ノナン酸及び３，５，５−トリメチルヘキサン酸から得られるジエステル、２−メチル−１，７−ヘプタンジオールのエチレンオキシド１モル付加物とｎ−デカン酸及びイソヘプタン酸から得られるジエステル、２−メチル−１，７−ヘプタンジオールのエチレンオキシド１モル付加物とｎ−デカン酸及びイソオクタン酸から得られるジエステル、２−メチル−１，７−ヘプタンジオールのエチレンオキシド１モル付加物とｎ−デカン酸及び２−エチルヘキサン酸から得られるジエステル、２−メチル−１，７−ヘプタンジオールのエチレンオキシド１モル付加物とｎ−デカン酸及びイソノナン酸から得られるジエステル、２−メチル−１，７−ヘプタンジオールのエチレンオキシド１モル付加物とｎ−デカン酸及び３，５，５−トリメチルヘキサン酸から得られるジエステルが例示される。
【００５７】
２−メチル−１，７−ヘプタンジオールのプロピレンオキシド１モル付加物と炭素数７〜１０の直鎖状若しくは分岐鎖状飽和脂肪族モノカルボン酸とのジエステルとしては、具体的には、２−メチル−１，７−ヘプタンジオールのプロピレンオキシド１モル付加物ジ（ｎ−ヘプタノエ−ト）、２−メチル−１，７−ヘプタンジオールのプロピレンオキシド１モル付加物ジ（ｎ−オクタノエート）、２−メチル−１，７−ヘプタンジオールのプロピレンオキシド１モル付加物ジ（ｎ−ノナノエート）、２−メチル−１，７−ヘプタンジオールのプロピレンオキシド１モル付加物ジ（ｎ−デカノエート）、２−メチル−１，７−ヘプタンジオールのプロピレンオキシド１モル付加物とｎ−ヘプタン酸及びｎ−オクタン酸から得られるジエステル、２−メチル−１，７−ヘプタンジオールのプロピレンオキシド１モル付加物とｎ−ヘプタン酸及びｎ−ノナン酸から得られるジエステル、２−メチル−１，７−ヘプタンジオールのプロピレンオキシド１モル付加物とｎ−ヘプタン酸及びｎ−デカン酸から得られるジエステル、２−メチル−１，７−ヘプタンジオールのプロピレンオキシド１モル付加物とｎ−オクタン酸及びｎ−ノナン酸から得られるジエステル、２−メチル−１，７−ヘプタンジオールのプロピレンオキシド１モル付加物とｎ−オクタン酸及びｎ−デカン酸から得られるジエステル、２−メチル−１，７−ヘプタンジオールのプロピレンオキシド１モル付加物とｎ−ノナン酸及びｎ−デカン酸から得られるジエステル、２−メチル−１，７−ヘプタンジオールのプロピレンオキシド１モル付加物ジイソヘプタノエート、２−メチル−１，７−ヘプタンジオールのプロピレンオキシド１モル付加物ジイソオクタノエート、２−メチル−１，７−ヘプタンジオールのプロピレンオキシド１モル付加物ジ（２−エチルヘキサノエート）、２−メチル−１，７−ヘプタンジオールのプロピレンオキシド１モル付加物ジイソノナノエート、２−メチル−１，７−ヘプタンジオールのプロピレンオキシド１モル付加物ジ（３，５，５−トリメチルヘキサノエート）、２−メチル−１，７−ヘプタンジオールのプロピレンオキシド１モル付加物ジイソデカノエート、２−メチル−１，７−ヘプタンジオールのプロピレンオキシド１モル付加物とイソヘプタン酸及びイソオクタン酸から得られるジエステル、２−メチル−１，７−ヘプタンジオールのプロピレンオキシド１モル付加物とイソヘプタン酸及び２−エチルヘキサン酸から得られるジエステル、２−メチル−１，７−ヘプタンジオールのプロピレンオキシド１モル付加物とイソヘプタン酸及びイソノナン酸から得られるジエステル、２−メチル−１，７−ヘプタンジオールのプロピレンオキシド１モル付加物とイソヘプタン酸及び３，５，５−トリメチルヘキサン酸から得られるジエステル、２−メチル−１，７−ヘプタンジオールのプロピレンオキシド１モル付加物とイソヘプタン酸及びイソデカン酸から得られるジエステル、２−メチル−１，７−ヘプタンジオールのプロピレンオキシド１モル付加物とイソオクタン酸及び２−エチルヘキサン酸から得られるジエステル、２−メチル−１，７−ヘプタンジオールのプロピレンオキシド１モル付加物とイソオクタン酸及びイソノナン酸から得られるジエステル、２−メチル−１，７−ヘプタンジオールのプロピレンオキシド１モル付加物とイソオクタン酸及び３，５，５−トリメチルヘキサン酸から得られるジエステル、２−メチル−１，７−ヘプタンジオールのプロピレンオキシド１モル付加物とイソオクタン酸及びイソデカン酸から得られるジエステル、２−メチル−１，７−ヘプタンジオールのプロピレンオキシド１モル付加物と２−エチルヘキサン酸及びイソノナン酸から得られるジエステル、２−メチル−１，７−ヘプタンジオールのプロピレンオキシド１モル付加物と２−エチルヘキサン酸及び３，５，５−トリメチルヘキサン酸から得られるジエステル、２−メチル−１，７−ヘプタンジオールのプロピレンオキシド１モル付加物と２−エチルヘキサン酸及びイソデカン酸から得られるジエステル、２−メチル−１，７−ヘプタンジオールのプロピレンオキシド１モル付加物とイソノナン酸及び３，５，５−トリメチルヘキサン酸から得られるジエステル、２−メチル−１，７−ヘプタンジオールのプロピレンオキシド１モル付加物とイソノナン酸及びイソデカン酸から得られるジエステル、２−メチル−１，７−ヘプタンジオールのプロピレンオキシド１モル付加物と３，５，５−トリメチルヘキサン酸及びイソデカン酸から得られるジエステル、２−メチル−１，７−ヘプタンジオールのプロピレンオキシド１モル付加物とｎ−ヘプタン酸及び２−エチルヘキサン酸から得られるジエステル、２−メチル−１，７−ヘプタンジオールのプロピレンオキシド１モル付加物とｎ−ヘプタン酸及びイソノナン酸から得られるジエステル、２−メチル−１，７−ヘプタンジオールのプロピレンオキシド１モル付加物とｎ−ヘプタン酸及び３，５，５−トリメチルヘキサン酸から得られるジエステル、２−メチル−１，７−ヘプタンジオールのプロピレンオキシド１モル付加物とｎ−オクタン酸及びイソヘプタン酸から得られるジエステル、２−メチル−１，７−ヘプタンジオールのプロピレンオキシド１モル付加物とｎ−オクタン酸及びイソオクタン酸から得られるジエステル、２−メチル−１，７−ヘプタンジオールのプロピレンオキシド１モル付加物とｎ−オクタン酸及び２−エチルヘキサン酸から得られるジエステル、２−メチル−１，７−ヘプタンジオールのプロピレンオキシド１モル付加物とｎ−オクタン酸及びイソノナン酸から得られるジエステル、２−メチル−１，７−ヘプタンジオールのプロピレンオキシド１モル付加物とｎ−オクタン酸及び３，５，５−トリメチルヘキサン酸から得られるジエステル、２−メチル−１，７−ヘプタンジオールのプロピレンオキシド１モル付加物とｎ−ノナン酸及びイソヘプタン酸から得られるジエステル、２−メチル−１，７−ヘプタンジオールのプロピレンオキシド１モル付加物とｎ−ノナン酸及びイソオクタン酸から得られるジエステル、２−メチル−１，７−ヘプタンジオールのプロピレンオキシド１モル付加物とｎ−ノナン酸及び２−エチルヘキサン酸から得られるジエステル、２−メチル−１，７−ヘプタンジオールのプロピレンオキシド１モル付加物とｎ−ノナン酸及びイソノナン酸から得られるジエステル、２−メチル−１，７−ヘプタンジオールのプロピレンオキシド１モル付加物とｎ−ノナン酸及び３，５，５−トリメチルヘキサン酸から得られるジエステル、２−メチル−１，７−ヘプタンジオールのプロピレンオキシド１モル付加物とｎ−デカン酸及びイソヘプタン酸から得られるジエステル、２−メチル−１，７−ヘプタンジオールのプロピレンオキシド１モル付加物とｎ−デカン酸及びイソオクタン酸から得られるジエステル、２−メチル−１，７−ヘプタンジオールのプロピレンオキシド１モル付加物とｎ−デカン酸及び２−エチルヘキサン酸から得られるジエステル、２−メチル−１，７−ヘプタンジオールのプロピレンオキシド１モル付加物とｎ−デカン酸及びイソノナン酸から得られるジエステル、２−メチル−１，７−ヘプタンジオールのプロピレンオキシド１モル付加物とｎ−デカン酸及び３，５，５−トリメチルヘキサン酸から得られるジエステルが例示される。
【００５８】
３−メチル−１，７−ヘプタンジオールのエチレンオキシド１モル付加物と炭素数７〜１０の直鎖状若しくは分岐鎖状飽和脂肪族モノカルボン酸とのジエステルとしては、具体的には、３−メチル−１，７−ヘプタンジオールのエチレンオキシド１モル付加物ジ（ｎ−ヘプタノエ−ト）、３−メチル−１，７−ヘプタンジオールのエチレンオキシド１モル付加物ジ（ｎ−オクタノエート）、３−メチル−１，７−ヘプタンジオールのエチレンオキシド１モル付加物ジ（ｎ−ノナノエート）、３−メチル−１，７−ヘプタンジオールのエチレンオキシド１モル付加物ジ（ｎ−デカノエート）、３−メチル−１，７−ヘプタンジオールのエチレンオキシド１モル付加物とｎ−ヘプタン酸及びｎ−オクタン酸から得られるジエステル、３−メチル−１，７−ヘプタンジオールのエチレンオキシド１モル付加物とｎ−ヘプタン酸及びｎ−ノナン酸から得られるジエステル、３−メチル−１，７−ヘプタンジオールのエチレンオキシド１モル付加物とｎ−ヘプタン酸及びｎ−デカン酸から得られるジエステル、３−メチル−１，７−ヘプタンジオールのエチレンオキシド１モル付加物とｎ−オクタン酸及びｎ−ノナン酸から得られるジエステル、３−メチル−１，７−ヘプタンジオールのエチレンオキシド１モル付加物とｎ−オクタン酸及びｎ−デカン酸から得られるジエステル、３−メチル−１，７−ヘプタンジオールのエチレンオキシド１モル付加物とｎ−ノナン酸及びｎ−デカン酸から得られるジエステル、３−メチル−１，７−ヘプタンジオールのエチレンオキシド１モル付加物ジイソヘプタノエート、３−メチル−１，７−ヘプタンジオールのエチレンオキシド１モル付加物ジイソオクタノエート、３−メチル−１，７−ヘプタンジオールのエチレンオキシド１モル付加物ジ（２−エチルヘキサノエート）、３−メチル−１，７−ヘプタンジオールのエチレンオキシド１モル付加物ジイソノナノエート、３−メチル−１，７−ヘプタンジオールのエチレンオキシド１モル付加物ジ（３，５，５−トリメチルヘキサノエート）、３−メチル−１，７−ヘプタンジオールのエチレンオキシド１モル付加物ジイソデカノエート、３−メチル−１，７−ヘプタンジオールのエチレンオキシド１モル付加物とイソヘプタン酸及びイソオクタン酸から得られるジエステル、３−メチル−１，７−ヘプタンジオールのエチレンオキシド１モル付加物とイソヘプタン酸及び２−エチルヘキサン酸から得られるジエステル、３−メチル−１，７−ヘプタンジオールのエチレンオキシド１モル付加物とイソヘプタン酸及びイソノナン酸から得られるジエステル、３−メチル−１，７−ヘプタンジオールのエチレンオキシド１モル付加物とイソヘプタン酸及び３，５，５−トリメチルヘキサン酸から得られるジエステル、３−メチル−１，７−ヘプタンジオールのエチレンオキシド１モル付加物とイソヘプタン酸及びイソデカン酸から得られるジエステル、３−メチル−１，７−ヘプタンジオールのエチレンオキシド１モル付加物とイソオクタン酸及び２−エチルヘキサン酸から得られるジエステル、３−メチル−１，７−ヘプタンジオールのエチレンオキシド１モル付加物とイソオクタン酸及びイソノナン酸から得られるジエステル、３−メチル−１，７−ヘプタンジオールのエチレンオキシド１モル付加物とイソオクタン酸及び３，５，５−トリメチルヘキサン酸から得られるジエステル、３−メチル−１，７−ヘプタンジオールのエチレンオキシド１モル付加物とイソオクタン酸及びイソデカン酸から得られるジエステル、３−メチル−１，７−ヘプタンジオールのエチレンオキシド１モル付加物と２−エチルヘキサン酸及びイソノナン酸から得られるジエステル、３−メチル−１，７−ヘプタンジオールのエチレンオキシド１モル付加物と２−エチルヘキサン酸及び３，５，５−トリメチルヘキサン酸から得られるジエステル、３−メチル−１，７−ヘプタンジオールのエチレンオキシド１モル付加物と２−エチルヘキサン酸及びイソデカン酸から得られるジエステル、３−メチル−１，７−ヘプタンジオールのエチレンオキシド１モル付加物とイソノナン酸及び３，５，５−トリメチルヘキサン酸から得られるジエステル、３−メチル−１，７−ヘプタンジオールのエチレンオキシド１モル付加物とイソノナン酸及びイソデカン酸から得られるジエステル、３−メチル−１，７−ヘプタンジオールのエチレンオキシド１モル付加物と３，５，５−トリメチルヘキサン酸及びイソデカン酸から得られるジエステル、３−メチル−１，７−ヘプタンジオールのエチレンオキシド１モル付加物とｎ−ヘプタン酸及び２−エチルヘキサン酸から得られるジエステル、３−メチル−１，７−ヘプタンジオールのエチレンオキシド１モル付加物とｎ−ヘプタン酸及びイソノナン酸から得られるジエステル、３−メチル−１，７−ヘプタンジオールのエチレンオキシド１モル付加物とｎ−ヘプタン酸及び３，５，５−トリメチルヘキサン酸から得られるジエステル、３−メチル−１，７−ヘプタンジオールのエチレンオキシド１モル付加物とｎ−オクタン酸及びイソヘプタン酸から得られるジエステル、３−メチル−１，７−ヘプタンジオールのエチレンオキシド１モル付加物とｎ−オクタン酸及びイソオクタン酸から得られるジエステル、３−メチル−１，７−ヘプタンジオールのエチレンオキシド１モル付加物とｎ−オクタン酸及び２−エチルヘキサン酸から得られるジエステル、３−メチル−１，７−ヘプタンジオールのエチレンオキシド１モル付加物とｎ−オクタン酸及びイソノナン酸から得られるジエステル、３−メチル−１，７−ヘプタンジオールのエチレンオキシド１モル付加物とｎ−オクタン酸及び３，５，５−トリメチルヘキサン酸から得られるジエステル、３−メチル−１，７−ヘプタンジオールのエチレンオキシド１モル付加物とｎ−ノナン酸及びイソヘプタン酸から得られるジエステル、３−メチル−１，７−ヘプタンジオールのエチレンオキシド１モル付加物とｎ−ノナン酸及びイソオクタン酸から得られるジエステル、３−メチル−１，７−ヘプタンジオールのエチレンオキシド１モル付加物とｎ−ノナン酸及び２−エチルヘキサン酸から得られるジエステル、３−メチル−１，７−ヘプタンジオールのエチレンオキシド１モル付加物とｎ−ノナン酸及びイソノナン酸から得られるジエステル、３−メチル−１，７−ヘプタンジオールのエチレンオキシド１モル付加物とｎ−ノナン酸及び３，５，５−トリメチルヘキサン酸から得られるジエステル、３−メチル−１，７−ヘプタンジオールのエチレンオキシド１モル付加物とｎ−デカン酸及びイソヘプタン酸から得られるジエステル、３−メチル−１，７−ヘプタンジオールのエチレンオキシド１モル付加物とｎ−デカン酸及びイソオクタン酸から得られるジエステル、３−メチル−１，７−ヘプタンジオールのエチレンオキシド１モル付加物とｎ−デカン酸及び２−エチルヘキサン酸から得られるジエステル、３−メチル−１，７−ヘプタンジオールのエチレンオキシド１モル付加物とｎ−デカン酸及びイソノナン酸から得られるジエステル、３−メチル−１，７−ヘプタンジオールのエチレンオキシド１モル付加物とｎ−デカン酸及び３，５，５−トリメチルヘキサン酸から得られるジエステルが例示される。
【００５９】
３−メチル−１，７−ヘプタンジオールのプロピレンオキシド１モル付加物と炭素数７〜１０の直鎖状若しくは分岐鎖状飽和脂肪族モノカルボン酸とのジエステルとしては、具体的には、３−メチル−１，７−ヘプタンジオールのプロピレンオキシド１モル付加物ジ（ｎ−ヘプタノエ−ト）、３−メチル−１，７−ヘプタンジオールのプロピレンオキシド１モル付加物ジ（ｎ−オクタノエート）、３−メチル−１，７−ヘプタンジオールのプロピレンオキシド１モル付加物ジ（ｎ−ノナノエート）、３−メチル−１，７−ヘプタンジオールのプロピレンオキシド１モル付加物ジ（ｎ−デカノエート）、３−メチル−１，７−ヘプタンジオールのプロピレンオキシド１モル付加物とｎ−ヘプタン酸及びｎ−オクタン酸から得られるジエステル、３−メチル−１，７−ヘプタンジオールのプロピレンオキシド１モル付加物とｎ−ヘプタン酸及びｎ−ノナン酸から得られるジエステル、３−メチル−１，７−ヘプタンジオールのプロピレンオキシド１モル付加物とｎ−ヘプタン酸及びｎ−デカン酸から得られるジエステル、３−メチル−１，７−ヘプタンジオールのプロピレンオキシド１モル付加物とｎ−オクタン酸及びｎ−ノナン酸から得られるジエステル、３−メチル−１，７−ヘプタンジオールのプロピレンオキシド１モル付加物とｎ−オクタン酸及びｎ−デカン酸から得られるジエステル、３−メチル−１，７−ヘプタンジオールのプロピレンオキシド１モル付加物とｎ−ノナン酸及びｎ−デカン酸から得られるジエステル、３−メチル−１，７−ヘプタンジオールのプロピレンオキシド１モル付加物ジイソヘプタノエート、３−メチル−１，７−ヘプタンジオールのプロピレンオキシド１モル付加物ジイソオクタノエート、３−メチル−１，７−ヘプタンジオールのプロピレンオキシド１モル付加物ジ（２−エチルヘキサノエート）、３−メチル−１，７−ヘプタンジオールのプロピレンオキシド１モル付加物ジイソノナノエート、３−メチル−１，７−ヘプタンジオールのプロピレンオキシド１モル付加物ジ（３，５，５−トリメチルヘキサノエート）、３−メチル−１，７−ヘプタンジオールのプロピレンオキシド１モル付加物ジイソデカノエート、３−メチル−１，７−ヘプタンジオールのプロピレンオキシド１モル付加物とイソヘプタン酸及びイソオクタン酸から得られるジエステル、３−メチル−１，７−ヘプタンジオールのプロピレンオキシド１モル付加物とイソヘプタン酸及び２−エチルヘキサン酸から得られるジエステル、３−メチル−１，７−ヘプタンジオールのプロピレンオキシド１モル付加物とイソヘプタン酸及びイソノナン酸から得られるジエステル、３−メチル−１，７−ヘプタンジオールのプロピレンオキシド１モル付加物とイソヘプタン酸及び３，５，５−トリメチルヘキサン酸から得られるジエステル、３−メチル−１，７−ヘプタンジオールのプロピレンオキシド１モル付加物とイソヘプタン酸及びイソデカン酸から得られるジエステル、３−メチル−１，７−ヘプタンジオールのプロピレンオキシド１モル付加物とイソオクタン酸及び２−エチルヘキサン酸から得られるジエステル、３−メチル−１，７−ヘプタンジオールのプロピレンオキシド１モル付加物とイソオクタン酸及びイソノナン酸から得られるジエステル、３−メチル−１，７−ヘプタンジオールのプロピレンオキシド１モル付加物とイソオクタン酸及び３，５，５−トリメチルヘキサン酸から得られるジエステル、３−メチル−１，７−ヘプタンジオールのプロピレンオキシド１モル付加物とイソオクタン酸及びイソデカン酸から得られるジエステル、３−メチル−１，７−ヘプタンジオールのプロピレンオキシド１モル付加物と２−エチルヘキサン酸及びイソノナン酸から得られるジエステル、３−メチル−１，７−ヘプタンジオールのプロピレンオキシド１モル付加物と２−エチルヘキサン酸及び３，５，５−トリメチルヘキサン酸から得られるジエステル、３−メチル−１，７−ヘプタンジオールのプロピレンオキシド１モル付加物と２−エチルヘキサン酸及びイソデカン酸から得られるジエステル、３−メチル−１，７−ヘプタンジオールのプロピレンオキシド１モル付加物とイソノナン酸及び３，５，５−トリメチルヘキサン酸から得られるジエステル、３−メチル−１，７−ヘプタンジオールのプロピレンオキシド１モル付加物とイソノナン酸及びイソデカン酸から得られるジエステル、３−メチル−１，７−ヘプタンジオールのプロピレンオキシド１モル付加物と３，５，５−トリメチルヘキサン酸及びイソデカン酸から得られるジエステル、３−メチル−１，７−ヘプタンジオールのプロピレンオキシド１モル付加物とｎ−ヘプタン酸及び２−エチルヘキサン酸から得られるジエステル、３−メチル−１，７−ヘプタンジオールのプロピレンオキシド１モル付加物とｎ−ヘプタン酸及びイソノナン酸から得られるジエステル、３−メチル−１，７−ヘプタンジオールのプロピレンオキシド１モル付加物とｎ−ヘプタン酸及び３，５，５−トリメチルヘキサン酸から得られるジエステル、３−メチル−１，７−ヘプタンジオールのプロピレンオキシド１モル付加物とｎ−オクタン酸及びイソヘプタン酸から得られるジエステル、３−メチル−１，７−ヘプタンジオールのプロピレンオキシド１モル付加物とｎ−オクタン酸及びイソオクタン酸から得られるジエステル、３−メチル−１，７−ヘプタンジオールのプロピレンオキシド１モル付加物とｎ−オクタン酸及び２−エチルヘキサン酸から得られるジエステル、３−メチル−１，７−ヘプタンジオールのプロピレンオキシド１モル付加物とｎ−オクタン酸及びイソノナン酸から得られるジエステル、３−メチル−１，７−ヘプタンジオールのプロピレンオキシド１モル付加物とｎ−オクタン酸及び３，５，５−トリメチルヘキサン酸から得られるジエステル、３−メチル−１，７−ヘプタンジオールのプロピレンオキシド１モル付加物とｎ−ノナン酸及びイソヘプタン酸から得られるジエステル、３−メチル−１，７−ヘプタンジオールのプロピレンオキシド１モル付加物とｎ−ノナン酸及びイソオクタン酸から得られるジエステル、３−メチル−１，７−ヘプタンジオールのプロピレンオキシド１モル付加物とｎ−ノナン酸及び２−エチルヘキサン酸から得られるジエステル、３−メチル−１，７−ヘプタンジオールのプロピレンオキシド１モル付加物とｎ−ノナン酸及びイソノナン酸から得られるジエステル、３−メチル−１，７−ヘプタンジオールのプロピレンオキシド１モル付加物とｎ−ノナン酸及び３，５，５−トリメチルヘキサン酸から得られるジエステル、３−メチル−１，７−ヘプタンジオールのプロピレンオキシド１モル付加物とｎ−デカン酸及びイソヘプタン酸から得られるジエステル、３−メチル−１，７−ヘプタンジオールのプロピレンオキシド１モル付加物とｎ−デカン酸及びイソオクタン酸から得られるジエステル、３−メチル−１，７−ヘプタンジオールのプロピレンオキシド１モル付加物とｎ−デカン酸及び２−エチルヘキサン酸から得られるジエステル、３−メチル−１，７−ヘプタンジオールのプロピレンオキシド１モル付加物とｎ−デカン酸及びイソノナン酸から得られるジエステル、３−メチル−１，７−ヘプタンジオールのプロピレンオキシド１モル付加物とｎ−デカン酸及び３，５，５−トリメチルヘキサン酸から得られるジエステルが例示される。
【００６０】
４−メチル−１，７−ヘプタンジオールのエチレンオキシド１モル付加物と炭素数７〜１０の直鎖状若しくは分岐鎖状飽和脂肪族モノカルボン酸とのジエステルとしては、具体的には、４−メチル−１，７−ヘプタンジオールのエチレンオキシド１モル付加物ジ（ｎ−ヘプタノエ−ト）、４−メチル−１，７−ヘプタンジオールのエチレンオキシド１モル付加物ジ（ｎ−オクタノエート）、４−メチル−１，７−ヘプタンジオールのエチレンオキシド１モル付加物ジ（ｎ−ノナノエート）、４−メチル−１，７−ヘプタンジオールのエチレンオキシド１モル付加物ジ（ｎ−デカノエート）、４−メチル−１，７−ヘプタンジオールのエチレンオキシド１モル付加物とｎ−ヘプタン酸及びｎ−オクタン酸から得られるジエステル、４−メチル−１，７−ヘプタンジオールのエチレンオキシド１モル付加物とｎ−ヘプタン酸及びｎ−ノナン酸から得られるジエステル、４−メチル−１，７−ヘプタンジオールのエチレンオキシド１モル付加物とｎ−ヘプタン酸及びｎ−デカン酸から得られるジエステル、４−メチル−１，７−ヘプタンジオールのエチレンオキシド１モル付加物とｎ−オクタン酸及びｎ−ノナン酸から得られるジエステル、４−メチル−１，７−ヘプタンジオールのエチレンオキシド１モル付加物とｎ−オクタン酸及びｎ−デカン酸から得られるジエステル、４−メチル−１，７−ヘプタンジオールのエチレンオキシド１モル付加物とｎ−ノナン酸及びｎ−デカン酸から得られるジエステル、４−メチル−１，７−ヘプタンジオールのエチレンオキシド１モル付加物ジイソヘプタノエート、４−メチル−１，７−ヘプタンジオールのエチレンオキシド１モル付加物ジイソオクタノエート、４−メチル−１，７−ヘプタンジオールのエチレンオキシド１モル付加物ジ（２−エチルヘキサノエート）、４−メチル−１，７−ヘプタンジオールのエチレンオキシド１モル付加物ジイソノナノエート、４−メチル−１，７−ヘプタンジオールのエチレンオキシド１モル付加物ジ（３，５，５−トリメチルヘキサノエート）、４−メチル−１，７−ヘプタンジオールのエチレンオキシド１モル付加物ジイソデカノエート、４−メチル−１，７−ヘプタンジオールのエチレンオキシド１モル付加物とイソヘプタン酸及びイソオクタン酸から得られるジエステル、４−メチル−１，７−ヘプタンジオールのエチレンオキシド１モル付加物とイソヘプタン酸及び２−エチルヘキサン酸から得られるジエステル、４−メチル−１，７−ヘプタンジオールのエチレンオキシド１モル付加物とイソヘプタン酸及びイソノナン酸から得られるジエステル、４−メチル−１，７−ヘプタンジオールのエチレンオキシド１モル付加物とイソヘプタン酸及び３，５，５−トリメチルヘキサン酸から得られるジエステル、４−メチル−１，７−ヘプタンジオールのエチレンオキシド１モル付加物とイソヘプタン酸及びイソデカン酸から得られるジエステル、４−メチル−１，７−ヘプタンジオールのエチレンオキシド１モル付加物とイソオクタン酸及び２−エチルヘキサン酸から得られるジエステル、４−メチル−１，７−ヘプタンジオールのエチレンオキシド１モル付加物とイソオクタン酸及びイソノナン酸から得られるジエステル、４−メチル−１，７−ヘプタンジオールのエチレンオキシド１モル付加物とイソオクタン酸及び３，５，５−トリメチルヘキサン酸から得られるジエステル、４−メチル−１，７−ヘプタンジオールのエチレンオキシド１モル付加物とイソオクタン酸及びイソデカン酸から得られるジエステル、４−メチル−１，７−ヘプタンジオールのエチレンオキシド１モル付加物と２−エチルヘキサン酸及びイソノナン酸から得られるジエステル、４−メチル−１，７−ヘプタンジオールのエチレンオキシド１モル付加物と２−エチルヘキサン酸及び３，５，５−トリメチルヘキサン酸から得られるジエステル、４−メチル−１，７−ヘプタンジオールのエチレンオキシド１モル付加物と２−エチルヘキサン酸及びイソデカン酸から得られるジエステル、４−メチル−１，７−ヘプタンジオールのエチレンオキシド１モル付加物とイソノナン酸及び３，５，５−トリメチルヘキサン酸から得られるジエステル、４−メチル−１，７−ヘプタンジオールのエチレンオキシド１モル付加物とイソノナン酸及びイソデカン酸から得られるジエステル、４−メチル−１，７−ヘプタンジオールのエチレンオキシド１モル付加物と３，５，５−トリメチルヘキサン酸及びイソデカン酸から得られるジエステル、４−メチル−１，７−ヘプタンジオールのエチレンオキシド１モル付加物とｎ−ヘプタン酸及び２−エチルヘキサン酸から得られるジエステル、４−メチル−１，７−ヘプタンジオールのエチレンオキシド１モル付加物とｎ−ヘプタン酸及びイソノナン酸から得られるジエステル、４−メチル−１，７−ヘプタンジオールのエチレンオキシド１モル付加物とｎ−ヘプタン酸及び３，５，５−トリメチルヘキサン酸から得られるジエステル、４−メチル−１，７−ヘプタンジオールのエチレンオキシド１モル付加物とｎ−オクタン酸及びイソヘプタン酸から得られるジエステル、４−メチル−１，７−ヘプタンジオールのエチレンオキシド１モル付加物とｎ−オクタン酸及びイソオクタン酸から得られるジエステル、４−メチル−１，７−ヘプタンジオールのエチレンオキシド１モル付加物とｎ−オクタン酸及び２−エチルヘキサン酸から得られるジエステル、４−メチル−１，７−ヘプタンジオールのエチレンオキシド１モル付加物とｎ−オクタン酸及びイソノナン酸から得られるジエステル、４−メチル−１，７−ヘプタンジオールのエチレンオキシド１モル付加物とｎ−オクタン酸及び３，５，５−トリメチルヘキサン酸から得られるジエステル、４−メチル−１，７−ヘプタンジオールのエチレンオキシド１モル付加物とｎ−ノナン酸及びイソヘプタン酸から得られるジエステル、４−メチル−１，７−ヘプタンジオールのエチレンオキシド１モル付加物とｎ−ノナン酸及びイソオクタン酸から得られるジエステル、４−メチル−１，７−ヘプタンジオールのエチレンオキシド１モル付加物とｎ−ノナン酸及び２−エチルヘキサン酸から得られるジエステル、４−メチル−１，７−ヘプタンジオールのエチレンオキシド１モル付加物とｎ−ノナン酸及びイソノナン酸から得られるジエステル、４−メチル−１，７−ヘプタンジオールのエチレンオキシド１モル付加物とｎ−ノナン酸及び３，５，５−トリメチルヘキサン酸から得られるジエステル、４−メチル−１，７−ヘプタンジオールのエチレンオキシド１モル付加物とｎ−デカン酸及びイソヘプタン酸から得られるジエステル、４−メチル−１，７−ヘプタンジオールのエチレンオキシド１モル付加物とｎ−デカン酸及びイソオクタン酸から得られるジエステル、４−メチル−１，７−ヘプタンジオールのエチレンオキシド１モル付加物とｎ−デカン酸及び２−エチルヘキサン酸から得られるジエステル、４−メチル−１，７−ヘプタンジオールのエチレンオキシド１モル付加物とｎ−デカン酸及びイソノナン酸から得られるジエステル、４−メチル−１，７−ヘプタンジオールのエチレンオキシド１モル付加物とｎ−デカン酸及び３，５，５−トリメチルヘキサン酸から得られるジエステルが例示される。
【００６１】
４−メチル−１，７−ヘプタンジオールのプロピレンオキシド１モル付加物と炭素数７〜１０の直鎖状若しくは分岐鎖状飽和脂肪族モノカルボン酸とのジエステルとしては、具体的には、４−メチル−１，７−ヘプタンジオールのプロピレンオキシド１モル付加物ジ（ｎ−ヘプタノエ−ト）、４−メチル−１，７−ヘプタンジオールのプロピレンオキシド１モル付加物ジ（ｎ−オクタノエート）、４−メチル−１，７−ヘプタンジオールのプロピレンオキシド１モル付加物ジ（ｎ−ノナノエート）、４−メチル−１，７−ヘプタンジオールのプロピレンオキシド１モル付加物ジ（ｎ−デカノエート）、４−メチル−１，７−ヘプタンジオールのプロピレンオキシド１モル付加物とｎ−ヘプタン酸及びｎ−オクタン酸から得られるジエステル、４−メチル−１，７−ヘプタンジオールのプロピレンオキシド１モル付加物とｎ−ヘプタン酸及びｎ−ノナン酸から得られるジエステル、４−メチル−１，７−ヘプタンジオールのプロピレンオキシド１モル付加物とｎ−ヘプタン酸及びｎ−デカン酸から得られるジエステル、４−メチル−１，７−ヘプタンジオールのプロピレンオキシド１モル付加物とｎ−オクタン酸及びｎ−ノナン酸から得られるジエステル、４−メチル−１，７−ヘプタンジオールのプロピレンオキシド１モル付加物とｎ−オクタン酸及びｎ−デカン酸から得られるジエステル、４−メチル−１，７−ヘプタンジオールのプロピレンオキシド１モル付加物とｎ−ノナン酸及びｎ−デカン酸から得られるジエステル、４−メチル−１，７−ヘプタンジオールのプロピレンオキシド１モル付加物ジイソヘプタノエート、４−メチル−１，７−ヘプタンジオールのプロピレンオキシド１モル付加物ジイソオクタノエート、４−メチル−１，７−ヘプタンジオールのプロピレンオキシド１モル付加物ジ（２−エチルヘキサノエート）、４−メチル−１，７−ヘプタンジオールのプロピレンオキシド１モル付加物ジイソノナノエート、４−メチル−１，７−ヘプタンジオールのプロピレンオキシド１モル付加物ジ（３，５，５−トリメチルヘキサノエート）、４−メチル−１，７−ヘプタンジオールのプロピレンオキシド１モル付加物ジイソデカノエート、４−メチル−１，７−ヘプタンジオールのプロピレンオキシド１モル付加物とイソヘプタン酸及びイソオクタン酸から得られるジエステル、４−メチル−１，７−ヘプタンジオールのプロピレンオキシド１モル付加物とイソヘプタン酸及び２−エチルヘキサン酸から得られるジエステル、４−メチル−１，７−ヘプタンジオールのプロピレンオキシド１モル付加物とイソヘプタン酸及びイソノナン酸から得られるジエステル、４−メチル−１，７−ヘプタンジオールのプロピレンオキシド１モル付加物とイソヘプタン酸及び３，５，５−トリメチルヘキサン酸から得られるジエステル、４−メチル−１，７−ヘプタンジオールのプロピレンオキシド１モル付加物とイソヘプタン酸及びイソデカン酸から得られるジエステル、４−メチル−１，７−ヘプタンジオールのプロピレンオキシド１モル付加物とイソオクタン酸及び２−エチルヘキサン酸から得られるジエステル、４−メチル−１，７−ヘプタンジオールのプロピレンオキシド１モル付加物とイソオクタン酸及びイソノナン酸から得られるジエステル、４−メチル−１，７−ヘプタンジオールのプロピレンオキシド１モル付加物とイソオクタン酸及び３，５，５−トリメチルヘキサン酸から得られるジエステル、４−メチル−１，７−ヘプタンジオールのプロピレンオキシド１モル付加物とイソオクタン酸及びイソデカン酸から得られるジエステル、４−メチル−１，７−ヘプタンジオールのプロピレンオキシド１モル付加物と２−エチルヘキサン酸及びイソノナン酸から得られるジエステル、４−メチル−１，７−ヘプタンジオールのプロピレンオキシド１モル付加物と２−エチルヘキサン酸及び３，５，５−トリメチルヘキサン酸から得られるジエステル、４−メチル−１，７−ヘプタンジオールのプロピレンオキシド１モル付加物と２−エチルヘキサン酸及びイソデカン酸から得られるジエステル、４−メチル−１，７−ヘプタンジオールのプロピレンオキシド１モル付加物とイソノナン酸及び３，５，５−トリメチルヘキサン酸から得られるジエステル、４−メチル−１，７−ヘプタンジオールのプロピレンオキシド１モル付加物とイソノナン酸及びイソデカン酸から得られるジエステル、４−メチル−１，７−ヘプタンジオールのプロピレンオキシド１モル付加物と３，５，５−トリメチルヘキサン酸及びイソデカン酸から得られるジエステル、４−メチル−１，７−ヘプタンジオールのプロピレンオキシド１モル付加物とｎ−ヘプタン酸及び２−エチルヘキサン酸から得られるジエステル、４−メチル−１，７−ヘプタンジオールのプロピレンオキシド１モル付加物とｎ−ヘプタン酸及びイソノナン酸から得られるジエステル、４−メチル−１，７−ヘプタンジオールのプロピレンオキシド１モル付加物とｎ−ヘプタン酸及び３，５，５−トリメチルヘキサン酸から得られるジエステル、４−メチル−１，７−ヘプタンジオールのプロピレンオキシド１モル付加物とｎ−オクタン酸及びイソヘプタン酸から得られるジエステル、４−メチル−１，７−ヘプタンジオールのプロピレンオキシド１モル付加物とｎ−オクタン酸及びイソオクタン酸から得られるジエステル、４−メチル−１，７−ヘプタンジオールのプロピレンオキシド１モル付加物とｎ−オクタン酸及び２−エチルヘキサン酸から得られるジエステル、４−メチル−１，７−ヘプタンジオールのプロピレンオキシド１モル付加物とｎ−オクタン酸及びイソノナン酸から得られるジエステル、４−メチル−１，７−ヘプタンジオールのプロピレンオキシド１モル付加物とｎ−オクタン酸及び３，５，５−トリメチルヘキサン酸から得られるジエステル、４−メチル−１，７−ヘプタンジオールのプロピレンオキシド１モル付加物とｎ−ノナン酸及びイソヘプタン酸から得られるジエステル、４−メチル−１，７−ヘプタンジオールのプロピレンオキシド１モル付加物とｎ−ノナン酸及びイソオクタン酸から得られるジエステル、４−メチル−１，７−ヘプタンジオールのプロピレンオキシド１モル付加物とｎ−ノナン酸及び２−エチルヘキサン酸から得られるジエステル、４−メチル−１，７−ヘプタンジオールのプロピレンオキシド１モル付加物とｎ−ノナン酸及びイソノナン酸から得られるジエステル、４−メチル−１，７−ヘプタンジオールのプロピレンオキシド１モル付加物とｎ−ノナン酸及び３，５，５−トリメチルヘキサン酸から得られるジエステル、４−メチル−１，７−ヘプタンジオールのプロピレンオキシド１モル付加物とｎ−デカン酸及びイソヘプタン酸から得られるジエステル、４−メチル−１，７−ヘプタンジオールのプロピレンオキシド１モル付加物とｎ−デカン酸及びイソオクタン酸から得られるジエステル、４−メチル−１，７−ヘプタンジオールのプロピレンオキシド１モル付加物とｎ−デカン酸及び２−エチルヘキサン酸から得られるジエステル、４−メチル−１，７−ヘプタンジオールのプロピレンオキシド１モル付加物とｎ−デカン酸及びイソノナン酸から得られるジエステル、４−メチル−１，７−ヘプタンジオールのプロピレンオキシド１モル付加物とｎ−デカン酸及び３，５，５−トリメチルヘキサン酸から得られるジエステルが例示される。
【００６２】
２−メチル−１，８−オクタンジオールのエチレンオキシド１モル付加物と炭素数７〜１０の直鎖状若しくは分岐鎖状飽和脂肪族モノカルボン酸とのジエステルとしては、具体的には、２−メチル−１，８−オクタンジオールのエチレンオキシド１モル付加物ジ（ｎ−ヘプタノエ−ト）、２−メチル−１，８−オクタンジオールのエチレンオキシド１モル付加物ジ（ｎ−オクタノエート）、２−メチル−１，８−オクタンジオールのエチレンオキシド１モル付加物ジ（ｎ−ノナノエート）、２−メチル−１，８−オクタンジオールのエチレンオキシド１モル付加物ジ（ｎ−デカノエート）、２−メチル−１，８−オクタンジオールのエチレンオキシド１モル付加物とｎ−ヘプタン酸及びｎ−オクタン酸から得られるジエステル、２−メチル−１，８−オクタンジオールのエチレンオキシド１モル付加物とｎ−ヘプタン酸及びｎ−ノナン酸から得られるジエステル、２−メチル−１，８−オクタンジオールのエチレンオキシド１モル付加物とｎ−ヘプタン酸及びｎ−デカン酸から得られるジエステル、２−メチル−１，８−オクタンジオールのエチレンオキシド１モル付加物とｎ−オクタン酸及びｎ−ノナン酸から得られるジエステル、２−メチル−１，８−オクタンジオールのエチレンオキシド１モル付加物とｎ−オクタン酸及びｎ−デカン酸から得られるジエステル、２−メチル−１，８−オクタンジオールのエチレンオキシド１モル付加物とｎ−ノナン酸及びｎ−デカン酸から得られるジエステル、２−メチル−１，８−オクタンジオールのエチレンオキシド１モル付加物ジイソヘプタノエート、２−メチル−１，８−オクタンジオールのエチレンオキシド１モル付加物ジイソオクタノエート、２−メチル−１，８−オクタンジオールのエチレンオキシド１モル付加物ジ（２−エチルヘキサノエート）、２−メチル−１，８−オクタンジオールのエチレンオキシド１モル付加物ジイソノナノエート、２−メチル−１，８−オクタンジオールのエチレンオキシド１モル付加物ジ（３，５，５−トリメチルヘキサノエート）、２−メチル−１，８−オクタンジオールのエチレンオキシド１モル付加物ジイソデカノエート、２−メチル−１，８−オクタンジオールのエチレンオキシド１モル付加物とイソヘプタン酸及びイソオクタン酸から得られるジエステル、２−メチル−１，８−オクタンジオールのエチレンオキシド１モル付加物とイソヘプタン酸及び２−エチルヘキサン酸から得られるジエステル、２−メチル−１，８−オクタンジオールのエチレンオキシド１モル付加物とイソヘプタン酸及びイソノナン酸から得られるジエステル、２−メチル−１，８−オクタンジオールのエチレンオキシド１モル付加物とイソヘプタン酸及び３，５，５−トリメチルヘキサン酸から得られるジエステル、２−メチル−１，８−オクタンジオールのエチレンオキシド１モル付加物とイソヘプタン酸及びイソデカン酸から得られるジエステル、２−メチル−１，８−オクタンジオールのエチレンオキシド１モル付加物とイソオクタン酸及び２−エチルヘキサン酸から得られるジエステル、２−メチル−１，８−オクタンジオールのエチレンオキシド１モル付加物とイソオクタン酸及びイソノナン酸から得られるジエステル、２−メチル−１，８−オクタンジオールのエチレンオキシド１モル付加物とイソオクタン酸及び３，５，５−トリメチルヘキサン酸から得られるジエステル、２−メチル−１，８−オクタンジオールのエチレンオキシド１モル付加物とイソオクタン酸及びイソデカン酸から得られるジエステル、２−メチル−１，８−オクタンジオールのエチレンオキシド１モル付加物と２−エチルヘキサン酸及びイソノナン酸から得られるジエステル、２−メチル−１，８−オクタンジオールのエチレンオキシド１モル付加物と２−エチルヘキサン酸及び３，５，５−トリメチルヘキサン酸から得られるジエステル、２−メチル−１，８−オクタンジオールのエチレンオキシド１モル付加物と２−エチルヘキサン酸及びイソデカン酸から得られるジエステル、２−メチル−１，８−オクタンジオールのエチレンオキシド１モル付加物とイソノナン酸及び３，５，５−トリメチルヘキサン酸から得られるジエステル、２−メチル−１，８−オクタンジオールのエチレンオキシド１モル付加物とイソノナン酸及びイソデカン酸から得られるジエステル、２−メチル−１，８−オクタンジオールのエチレンオキシド１モル付加物と３，５，５−トリメチルヘキサン酸及びイソデカン酸から得られるジエステル、２−メチル−１，８−オクタンジオールのエチレンオキシド１モル付加物とｎ−ヘプタン酸及び２−エチルヘキサン酸から得られるジエステル、２−メチル−１，８−オクタンジオールのエチレンオキシド１モル付加物とｎ−ヘプタン酸及びイソノナン酸から得られるジエステル、２−メチル−１，８−オクタンジオールのエチレンオキシド１モル付加物とｎ−ヘプタン酸及び３，５，５−トリメチルヘキサン酸から得られるジエステル、２−メチル−１，８−オクタンジオールのエチレンオキシド１モル付加物とｎ−オクタン酸及びイソヘプタン酸から得られるジエステル、２−メチル−１，８−オクタンジオールのエチレンオキシド１モル付加物とｎ−オクタン酸及びイソオクタン酸から得られるジエステル、２−メチル−１，８−オクタンジオールのエチレンオキシド１モル付加物とｎ−オクタン酸及び２−エチルヘキサン酸から得られるジエステル、２−メチル−１，８−オクタンジオールのエチレンオキシド１モル付加物とｎ−オクタン酸及びイソノナン酸から得られるジエステル、２−メチル−１，８−オクタンジオールのエチレンオキシド１モル付加物とｎ−オクタン酸及び３，５，５−トリメチルヘキサン酸から得られるジエステル、２−メチル−１，８−オクタンジオールのエチレンオキシド１モル付加物とｎ−ノナン酸及びイソヘプタン酸から得られるジエステル、２−メチル−１，８−オクタンジオールのエチレンオキシド１モル付加物とｎ−ノナン酸及びイソオクタン酸から得られるジエステル、２−メチル−１，８−オクタンジオールのエチレンオキシド１モル付加物とｎ−ノナン酸及び２−エチルヘキサン酸から得られるジエステル、２−メチル−１，８−オクタンジオールのエチレンオキシド１モル付加物とｎ−ノナン酸及びイソノナン酸から得られるジエステル、２−メチル−１，８−オクタンジオールのエチレンオキシド１モル付加物とｎ−ノナン酸及び３，５，５−トリメチルヘキサン酸から得られるジエステル、２−メチル−１，８−オクタンジオールのエチレンオキシド１モル付加物とｎ−デカン酸及びイソヘプタン酸から得られるジエステル、２−メチル−１，８−オクタンジオールのエチレンオキシド１モル付加物とｎ−デカン酸及びイソオクタン酸から得られるジエステル、２−メチル−１，８−オクタンジオールのエチレンオキシド１モル付加物とｎ−デカン酸及び２−エチルヘキサン酸から得られるジエステル、２−メチル−１，８−オクタンジオールのエチレンオキシド１モル付加物とｎ−デカン酸及びイソノナン酸から得られるジエステル、２−メチル−１，８−オクタンジオールのエチレンオキシド１モル付加物とｎ−デカン酸及び３，５，５−トリメチルヘキサン酸から得られるジエステルが例示される。
【００６３】
２−メチル−１，８−オクタンジオールのプロピレンオキシド１モル付加物と炭素数７〜１０の直鎖状若しくは分岐鎖状飽和脂肪族モノカルボン酸とのジエステルとしては、具体的には、２−メチル−１，８−オクタンジオールのプロピレンオキシド１モル付加物ジ（ｎ−ヘプタノエ−ト）、２−メチル−１，８−オクタンジオールのプロピレンオキシド１モル付加物ジ（ｎ−オクタノエート）、２−メチル−１，８−オクタンジオールのプロピレンオキシド１モル付加物ジ（ｎ−ノナノエート）、２−メチル−１，８−オクタンジオールのプロピレンオキシド１モル付加物ジ（ｎ−デカノエート）、２−メチル−１，８−オクタンジオールのプロピレンオキシド１モル付加物とｎ−ヘプタン酸及びｎ−オクタン酸から得られるジエステル、２−メチル−１，８−オクタンジオールのプロピレンオキシド１モル付加物とｎ−ヘプタン酸及びｎ−ノナン酸から得られるジエステル、２−メチル−１，８−オクタンジオールのプロピレンオキシド１モル付加物とｎ−ヘプタン酸及びｎ−デカン酸から得られるジエステル、２−メチル−１，８−オクタンジオールのプロピレンオキシド１モル付加物とｎ−オクタン酸及びｎ−ノナン酸から得られるジエステル、２−メチル−１，８−オクタンジオールのプロピレンオキシド１モル付加物とｎ−オクタン酸及びｎ−デカン酸から得られるジエステル、２−メチル−１，８−オクタンジオールのプロピレンオキシド１モル付加物とｎ−ノナン酸及びｎ−デカン酸から得られるジエステル、２−メチル−１，８−オクタンジオールのプロピレンオキシド１モル付加物ジイソヘプタノエート、２−メチル−１，８−オクタンジオールのプロピレンオキシド１モル付加物ジイソオクタノエート、２−メチル−１，８−オクタンジオールのプロピレンオキシド１モル付加物ジ（２−エチルヘキサノエート）、２−メチル−１，８−オクタンジオールのプロピレンオキシド１モル付加物ジイソノナノエート、２−メチル−１，８−オクタンジオールのプロピレンオキシド１モル付加物ジ（３，５，５−トリメチルヘキサノエート）、２−メチル−１，８−オクタンジオールのプロピレンオキシド１モル付加物ジイソデカノエート、２−メチル−１，８−オクタンジオールのプロピレンオキシド１モル付加物とイソヘプタン酸及びイソオクタン酸から得られるジエステル、２−メチル−１，８−オクタンジオールのプロピレンオキシド１モル付加物とイソヘプタン酸及び２−エチルヘキサン酸から得られるジエステル、２−メチル−１，８−オクタンジオールのプロピレンオキシド１モル付加物とイソヘプタン酸及びイソノナン酸から得られるジエステル、２−メチル−１，８−オクタンジオールのプロピレンオキシド１モル付加物とイソヘプタン酸及び３，５，５−トリメチルヘキサン酸から得られるジエステル、２−メチル−１，８−オクタンジオールのプロピレンオキシド１モル付加物とイソヘプタン酸及びイソデカン酸から得られるジエステル、２−メチル−１，８−オクタンジオールのプロピレンオキシド１モル付加物とイソオクタン酸及び２−エチルヘキサン酸から得られるジエステル、２−メチル−１，８−オクタンジオールのプロピレンオキシド１モル付加物とイソオクタン酸及びイソノナン酸から得られるジエステル、２−メチル−１，８−オクタンジオールのプロピレンオキシド１モル付加物とイソオクタン酸及び３，５，５−トリメチルヘキサン酸から得られるジエステル、２−メチル−１，８−オクタンジオールのプロピレンオキシド１モル付加物とイソオクタン酸及びイソデカン酸から得られるジエステル、２−メチル−１，８−オクタンジオールのプロピレンオキシド１モル付加物と２−エチルヘキサン酸及びイソノナン酸から得られるジエステル、２−メチル−１，８−オクタンジオールのプロピレンオキシド１モル付加物と２−エチルヘキサン酸及び３，５，５−トリメチルヘキサン酸から得られるジエステル、２−メチル−１，８−オクタンジオールのプロピレンオキシド１モル付加物と２−エチルヘキサン酸及びイソデカン酸から得られるジエステル、２−メチル−１，８−オクタンジオールのプロピレンオキシド１モル付加物とイソノナン酸及び３，５，５−トリメチルヘキサン酸から得られるジエステル、２−メチル−１，８−オクタンジオールのプロピレンオキシド１モル付加物とイソノナン酸及びイソデカン酸から得られるジエステル、２−メチル−１，８−オクタンジオールのプロピレンオキシド１モル付加物と３，５，５−トリメチルヘキサン酸及びイソデカン酸から得られるジエステル、２−メチル−１，８−オクタンジオールのプロピレンオキシド１モル付加物とｎ−ヘプタン酸及び２−エチルヘキサン酸から得られるジエステル、２−メチル−１，８−オクタンジオールのプロピレンオキシド１モル付加物とｎ−ヘプタン酸及びイソノナン酸から得られるジエステル、２−メチル−１，８−オクタンジオールのプロピレンオキシド１モル付加物とｎ−ヘプタン酸及び３，５，５−トリメチルヘキサン酸から得られるジエステル、２−メチル−１，８−オクタンジオールのプロピレンオキシド１モル付加物とｎ−オクタン酸及びイソヘプタン酸から得られるジエステル、２−メチル−１，８−オクタンジオールのプロピレンオキシド１モル付加物とｎ−オクタン酸及びイソオクタン酸から得られるジエステル、２−メチル−１，８−オクタンジオールのプロピレンオキシド１モル付加物とｎ−オクタン酸及び２−エチルヘキサン酸から得られるジエステル、２−メチル−１，８−オクタンジオールのプロピレンオキシド１モル付加物とｎ−オクタン酸及びイソノナン酸から得られるジエステル、２−メチル−１，８−オクタンジオールのプロピレンオキシド１モル付加物とｎ−オクタン酸及び３，５，５−トリメチルヘキサン酸から得られるジエステル、２−メチル−１，８−オクタンジオールのプロピレンオキシド１モル付加物とｎ−ノナン酸及びイソヘプタン酸から得られるジエステル、２−メチル−１，８−オクタンジオールのプロピレンオキシド１モル付加物とｎ−ノナン酸及びイソオクタン酸から得られるジエステル、２−メチル−１，８−オクタンジオールのプロピレンオキシド１モル付加物とｎ−ノナン酸及び２−エチルヘキサン酸から得られるジエステル、２−メチル−１，８−オクタンジオールのプロピレンオキシド１モル付加物とｎ−ノナン酸及びイソノナン酸から得られるジエステル、２−メチル−１，８−オクタンジオールのプロピレンオキシド１モル付加物とｎ−ノナン酸及び３，５，５−トリメチルヘキサン酸から得られるジエステル、２−メチル−１，８−オクタンジオールのプロピレンオキシド１モル付加物とｎ−デカン酸及びイソヘプタン酸から得られるジエステル、２−メチル−１，８−オクタンジオールのプロピレンオキシド１モル付加物とｎ−デカン酸及びイソオクタン酸から得られるジエステル、２−メチル−１，８−オクタンジオールのプロピレンオキシド１モル付加物とｎ−デカン酸及び２−エチルヘキサン酸から得られるジエステル、２−メチル−１，８−オクタンジオールのプロピレンオキシド１モル付加物とｎ−デカン酸及びイソノナン酸から得られるジエステル、２−メチル−１，８−オクタンジオールのプロピレンオキシド１モル付加物とｎ−デカン酸及び３，５，５−トリメチルヘキサン酸から得られるジエステルが例示される。
【００６４】
３−メチル−１，８−オクタンジオールのエチレンオキシド１モル付加物と炭素数７〜１０の直鎖状若しくは分岐鎖状飽和脂肪族モノカルボン酸とのジエステルとしては、具体的には、３−メチル−１，８−オクタンジオールのエチレンオキシド１モル付加物ジ（ｎ−ヘプタノエ−ト）、３−メチル−１，８−オクタンジオールのエチレンオキシド１モル付加物ジ（ｎ−オクタノエート）、３−メチル−１，８−オクタンジオールのエチレンオキシド１モル付加物ジ（ｎ−ノナノエート）、３−メチル−１，８−オクタンジオールのエチレンオキシド１モル付加物ジ（ｎ−デカノエート）、３−メチル−１，８−オクタンジオールのエチレンオキシド１モル付加物とｎ−ヘプタン酸及びｎ−オクタン酸から得られるジエステル、３−メチル−１，８−オクタンジオールのエチレンオキシド１モル付加物とｎ−ヘプタン酸及びｎ−ノナン酸から得られるジエステル、３−メチル−１，８−オクタンジオールのエチレンオキシド１モル付加物とｎ−ヘプタン酸及びｎ−デカン酸から得られるジエステル、３−メチル−１，８−オクタンジオールのエチレンオキシド１モル付加物とｎ−オクタン酸及びｎ−ノナン酸から得られるジエステル、３−メチル−１，８−オクタンジオールのエチレンオキシド１モル付加物とｎ−オクタン酸及びｎ−デカン酸から得られるジエステル、３−メチル−１，８−オクタンジオールのエチレンオキシド１モル付加物とｎ−ノナン酸及びｎ−デカン酸から得られるジエステル、３−メチル−１，８−オクタンジオールのエチレンオキシド１モル付加物ジイソヘプタノエート、３−メチル−１，８−オクタンジオールのエチレンオキシド１モル付加物ジイソオクタノエート、３−メチル−１，８−オクタンジオールのエチレンオキシド１モル付加物ジ（２−エチルヘキサノエート）、３−メチル−１，８−オクタンジオールのエチレンオキシド１モル付加物ジイソノナノエート、３−メチル−１，８−オクタンジオールのエチレンオキシド１モル付加物ジ（３，５，５−トリメチルヘキサノエート）、３−メチル−１，８−オクタンジオールのエチレンオキシド１モル付加物ジイソデカノエート、３−メチル−１，８−オクタンジオールのエチレンオキシド１モル付加物とイソヘプタン酸及びイソオクタン酸から得られるジエステル、３−メチル−１，８−オクタンジオールのエチレンオキシド１モル付加物とイソヘプタン酸及び２−エチルヘキサン酸から得られるジエステル、３−メチル−１，８−オクタンジオールのエチレンオキシド１モル付加物とイソヘプタン酸及びイソノナン酸から得られるジエステル、３−メチル−１，８−オクタンジオールのエチレンオキシド１モル付加物とイソヘプタン酸及び３，５，５−トリメチルヘキサン酸から得られるジエステル、３−メチル−１，８−オクタンジオールのエチレンオキシド１モル付加物とイソヘプタン酸及びイソデカン酸から得られるジエステル、３−メチル−１，８−オクタンジオールのエチレンオキシド１モル付加物とイソオクタン酸及び２−エチルヘキサン酸から得られるジエステル、３−メチル−１，８−オクタンジオールのエチレンオキシド１モル付加物とイソオクタン酸及びイソノナン酸から得られるジエステル、３−メチル−１，８−オクタンジオールのエチレンオキシド１モル付加物とイソオクタン酸及び３，５，５−トリメチルヘキサン酸から得られるジエステル、３−メチル−１，８−オクタンジオールのエチレンオキシド１モル付加物とイソオクタン酸及びイソデカン酸から得られるジエステル、３−メチル−１，８−オクタンジオールのエチレンオキシド１モル付加物と２−エチルヘキサン酸及びイソノナン酸から得られるジエステル、３−メチル−１，８−オクタンジオールのエチレンオキシド１モル付加物と２−エチルヘキサン酸及び３，５，５−トリメチルヘキサン酸から得られるジエステル、３−メチル−１，８−オクタンジオールのエチレンオキシド１モル付加物と２−エチルヘキサン酸及びイソデカン酸から得られるジエステル、３−メチル−１，８−オクタンジオールのエチレンオキシド１モル付加物とイソノナン酸及び３，５，５−トリメチルヘキサン酸から得られるジエステル、３−メチル−１，８−オクタンジオールのエチレンオキシド１モル付加物とイソノナン酸及びイソデカン酸から得られるジエステル、３−メチル−１，８−オクタンジオールのエチレンオキシド１モル付加物と３，５，５−トリメチルヘキサン酸及びイソデカン酸から得られるジエステル、３−メチル−１，８−オクタンジオールのエチレンオキシド１モル付加物とｎ−ヘプタン酸及び２−エチルヘキサン酸から得られるジエステル、３−メチル−１，８−オクタンジオールのエチレンオキシド１モル付加物とｎ−ヘプタン酸及びイソノナン酸から得られるジエステル、３−メチル−１，８−オクタンジオールのエチレンオキシド１モル付加物とｎ−ヘプタン酸及び３，５，５−トリメチルヘキサン酸から得られるジエステル、３−メチル−１，８−オクタンジオールのエチレンオキシド１モル付加物とｎ−オクタン酸及びイソヘプタン酸から得られるジエステル、３−メチル−１，８−オクタンジオールのエチレンオキシド１モル付加物とｎ−オクタン酸及びイソオクタン酸から得られるジエステル、３−メチル−１，８−オクタンジオールのエチレンオキシド１モル付加物とｎ−オクタン酸及び２−エチルヘキサン酸から得られるジエステル、３−メチル−１，８−オクタンジオールのエチレンオキシド１モル付加物とｎ−オクタン酸及びイソノナン酸から得られるジエステル、３−メチル−１，８−オクタンジオールのエチレンオキシド１モル付加物とｎ−オクタン酸及び３，５，５−トリメチルヘキサン酸から得られるジエステル、３−メチル−１，８−オクタンジオールのエチレンオキシド１モル付加物とｎ−ノナン酸及びイソヘプタン酸から得られるジエステル、３−メチル−１，８−オクタンジオールのエチレンオキシド１モル付加物とｎ−ノナン酸及びイソオクタン酸から得られるジエステル、３−メチル−１，８−オクタンジオールのエチレンオキシド１モル付加物とｎ−ノナン酸及び２−エチルヘキサン酸から得られるジエステル、３−メチル−１，８−オクタンジオールのエチレンオキシド１モル付加物とｎ−ノナン酸及びイソノナン酸から得られるジエステル、３−メチル−１，８−オクタンジオールのエチレンオキシド１モル付加物とｎ−ノナン酸及び３，５，５−トリメチルヘキサン酸から得られるジエステル、３−メチル−１，８−オクタンジオールのエチレンオキシド１モル付加物とｎ−デカン酸及びイソヘプタン酸から得られるジエステル、３−メチル−１，８−オクタンジオールのエチレンオキシド１モル付加物とｎ−デカン酸及びイソオクタン酸から得られるジエステル、３−メチル−１，８−オクタンジオールのエチレンオキシド１モル付加物とｎ−デカン酸及び２−エチルヘキサン酸から得られるジエステル、３−メチル−１，８−オクタンジオールのエチレンオキシド１モル付加物とｎ−デカン酸及びイソノナン酸から得られるジエステル、３−メチル−１，８−オクタンジオールのエチレンオキシド１モル付加物とｎ−デカン酸及び３，５，５−トリメチルヘキサン酸から得られるジエステルが例示される。
【００６５】
３−メチル−１，８−オクタンジオールのプロピレンオキシド１モル付加物と炭素数７〜１０の直鎖状若しくは分岐鎖状飽和脂肪族モノカルボン酸とのジエステルとしては、具体的には、３−メチル−１，８−オクタンジオールのプロピレンオキシド１モル付加物ジ（ｎ−ヘプタノエ−ト）、３−メチル−１，８−オクタンジオールのプロピレンオキシド１モル付加物ジ（ｎ−オクタノエート）、３−メチル−１，８−オクタンジオールのプロピレンオキシド１モル付加物ジ（ｎ−ノナノエート）、３−メチル−１，８−オクタンジオールのプロピレンオキシド１モル付加物ジ（ｎ−デカノエート）、３−メチル−１，８−オクタンジオールのプロピレンオキシド１モル付加物とｎ−ヘプタン酸及びｎ−オクタン酸から得られるジエステル、３−メチル−１，８−オクタンジオールのプロピレンオキシド１モル付加物とｎ−ヘプタン酸及びｎ−ノナン酸から得られるジエステル、３−メチル−１，８−オクタンジオールのプロピレンオキシド１モル付加物とｎ−ヘプタン酸及びｎ−デカン酸から得られるジエステル、３−メチル−１，８−オクタンジオールのプロピレンオキシド１モル付加物とｎ−オクタン酸及びｎ−ノナン酸から得られるジエステル、３−メチル−１，８−オクタンジオールのプロピレンオキシド１モル付加物とｎ−オクタン酸及びｎ−デカン酸から得られるジエステル、３−メチル−１，８−オクタンジオールのプロピレンオキシド１モル付加物とｎ−ノナン酸及びｎ−デカン酸から得られるジエステル、３−メチル−１，８−オクタンジオールのプロピレンオキシド１モル付加物ジイソヘプタノエート、３−メチル−１，８−オクタンジオールのプロピレンオキシド１モル付加物ジイソオクタノエート、３−メチル−１，８−オクタンジオールのプロピレンオキシド１モル付加物ジ（２−エチルヘキサノエート）、３−メチル−１，８−オクタンジオールのプロピレンオキシド１モル付加物ジイソノナノエート、３−メチル−１，８−オクタンジオールのプロピレンオキシド１モル付加物ジ（３，５，５−トリメチルヘキサノエート）、３−メチル−１，８−オクタンジオールのプロピレンオキシド１モル付加物ジイソデカノエート、３−メチル−１，８−オクタンジオールのプロピレンオキシド１モル付加物とイソヘプタン酸及びイソオクタン酸から得られるジエステル、３−メチル−１，８−オクタンジオールのプロピレンオキシド１モル付加物とイソヘプタン酸及び２−エチルヘキサン酸から得られるジエステル、３−メチル−１，８−オクタンジオールのプロピレンオキシド１モル付加物とイソヘプタン酸及びイソノナン酸から得られるジエステル、３−メチル−１，８−オクタンジオールのプロピレンオキシド１モル付加物とイソヘプタン酸及び３，５，５−トリメチルヘキサン酸から得られるジエステル、３−メチル−１，８−オクタンジオールのプロピレンオキシド１モル付加物とイソヘプタン酸及びイソデカン酸から得られるジエステル、３−メチル−１，８−オクタンジオールのプロピレンオキシド１モル付加物とイソオクタン酸及び２−エチルヘキサン酸から得られるジエステル、３−メチル−１，８−オクタンジオールのプロピレンオキシド１モル付加物とイソオクタン酸及びイソノナン酸から得られるジエステル、３−メチル−１，８−オクタンジオールのプロピレンオキシド１モル付加物とイソオクタン酸及び３，５，５−トリメチルヘキサン酸から得られるジエステル、３−メチル−１，８−オクタンジオールのプロピレンオキシド１モル付加物とイソオクタン酸及びイソデカン酸から得られるジエステル、３−メチル−１，８−オクタンジオールのプロピレンオキシド１モル付加物と２−エチルヘキサン酸及びイソノナン酸から得られるジエステル、３−メチル−１，８−オクタンジオールのプロピレンオキシド１モル付加物と２−エチルヘキサン酸及び３，５，５−トリメチルヘキサン酸から得られるジエステル、３−メチル−１，８−オクタンジオールのプロピレンオキシド１モル付加物と２−エチルヘキサン酸及びイソデカン酸から得られるジエステル、３−メチル−１，８−オクタンジオールのプロピレンオキシド１モル付加物とイソノナン酸及び３，５，５−トリメチルヘキサン酸から得られるジエステル、３−メチル−１，８−オクタンジオールのプロピレンオキシド１モル付加物とイソノナン酸及びイソデカン酸から得られるジエステル、３−メチル−１，８−オクタンジオールのプロピレンオキシド１モル付加物と３，５，５−トリメチルヘキサン酸及びイソデカン酸から得られるジエステル、３−メチル−１，８−オクタンジオールのプロピレンオキシド１モル付加物とｎ−ヘプタン酸及び２−エチルヘキサン酸から得られるジエステル、３−メチル−１，８−オクタンジオールのプロピレンオキシド１モル付加物とｎ−ヘプタン酸及びイソノナン酸から得られるジエステル、３−メチル−１，８−オクタンジオールのプロピレンオキシド１モル付加物とｎ−ヘプタン酸及び３，５，５−トリメチルヘキサン酸から得られるジエステル、３−メチル−１，８−オクタンジオールのプロピレンオキシド１モル付加物とｎ−オクタン酸及びイソヘプタン酸から得られるジエステル、３−メチル−１，８−オクタンジオールのプロピレンオキシド１モル付加物とｎ−オクタン酸及びイソオクタン酸から得られるジエステル、３−メチル−１，８−オクタンジオールのプロピレンオキシド１モル付加物とｎ−オクタン酸及び２−エチルヘキサン酸から得られるジエステル、３−メチル−１，８−オクタンジオールのプロピレンオキシド１モル付加物とｎ−オクタン酸及びイソノナン酸から得られるジエステル、３−メチル−１，８−オクタンジオールのプロピレンオキシド１モル付加物とｎ−オクタン酸及び３，５，５−トリメチルヘキサン酸から得られるジエステル、３−メチル−１，８−オクタンジオールのプロピレンオキシド１モル付加物とｎ−ノナン酸及びイソヘプタン酸から得られるジエステル、３−メチル−１，８−オクタンジオールのプロピレンオキシド１モル付加物とｎ−ノナン酸及びイソオクタン酸から得られるジエステル、３−メチル−１，８−オクタンジオールのプロピレンオキシド１モル付加物とｎ−ノナン酸及び２−エチルヘキサン酸から得られるジエステル、３−メチル−１，８−オクタンジオールのプロピレンオキシド１モル付加物とｎ−ノナン酸及びイソノナン酸から得られるジエステル、３−メチル−１，８−オクタンジオールのプロピレンオキシド１モル付加物とｎ−ノナン酸及び３，５，５−トリメチルヘキサン酸から得られるジエステル、３−メチル−１，８−オクタンジオールのプロピレンオキシド１モル付加物とｎ−デカン酸及びイソヘプタン酸から得られるジエステル、３−メチル−１，８−オクタンジオールのプロピレンオキシド１モル付加物とｎ−デカン酸及びイソオクタン酸から得られるジエステル、３−メチル−１，８−オクタンジオールのプロピレンオキシド１モル付加物とｎ−デカン酸及び２−エチルヘキサン酸から得られるジエステル、３−メチル−１，８−オクタンジオールのプロピレンオキシド１モル付加物とｎ−デカン酸及びイソノナン酸から得られるジエステル、３−メチル−１，８−オクタンジオールのプロピレンオキシド１モル付加物とｎ−デカン酸及び３，５，５−トリメチルヘキサン酸から得られるジエステルが例示される。
【００６６】
４−メチル−１，８−オクタンジオールのエチレンオキシド１モル付加物と炭素数７〜１０の直鎖状若しくは分岐鎖状飽和脂肪族モノカルボン酸とのジエステルとしては、具体的には、４−メチル−１，８−オクタンジオールのエチレンオキシド１モル付加物ジ（ｎ−ヘプタノエ−ト）、４−メチル−１，８−オクタンジオールのエチレンオキシド１モル付加物ジ（ｎ−オクタノエート）、４−メチル−１，８−オクタンジオールのエチレンオキシド１モル付加物ジ（ｎ−ノナノエート）、４−メチル−１，８−オクタンジオールのエチレンオキシド１モル付加物ジ（ｎ−デカノエート）、４−メチル−１，８−オクタンジオールのエチレンオキシド１モル付加物とｎ−ヘプタン酸及びｎ−オクタン酸から得られるジエステル、４−メチル−１，８−オクタンジオールのエチレンオキシド１モル付加物とｎ−ヘプタン酸及びｎ−ノナン酸から得られるジエステル、４−メチル−１，８−オクタンジオールのエチレンオキシド１モル付加物とｎ−ヘプタン酸及びｎ−デカン酸から得られるジエステル、４−メチル−１，８−オクタンジオールのエチレンオキシド１モル付加物とｎ−オクタン酸及びｎ−ノナン酸から得られるジエステル、４−メチル−１，８−オクタンジオールのエチレンオキシド１モル付加物とｎ−オクタン酸及びｎ−デカン酸から得られるジエステル、４−メチル−１，８−オクタンジオールのエチレンオキシド１モル付加物とｎ−ノナン酸及びｎ−デカン酸から得られるジエステル、４−メチル−１，８−オクタンジオールのエチレンオキシド１モル付加物ジイソヘプタノエート、４−メチル−１，８−オクタンジオールのエチレンオキシド１モル付加物ジイソオクタノエート、４−メチル−１，８−オクタンジオールのエチレンオキシド１モル付加物ジ（２−エチルヘキサノエート）、４−メチル−１，８−オクタンジオールのエチレンオキシド１モル付加物ジイソノナノエート、４−メチル−１，８−オクタンジオールのエチレンオキシド１モル付加物ジ（３，５，５−トリメチルヘキサノエート）、４−メチル−１，８−オクタンジオールのエチレンオキシド１モル付加物ジイソデカノエート、４−メチル−１，８−オクタンジオールのエチレンオキシド１モル付加物とイソヘプタン酸及びイソオクタン酸から得られるジエステル、４−メチル−１，８−オクタンジオールのエチレンオキシド１モル付加物とイソヘプタン酸及び２−エチルヘキサン酸から得られるジエステル、４−メチル−１，８−オクタンジオールのエチレンオキシド１モル付加物とイソヘプタン酸及びイソノナン酸から得られるジエステル、４−メチル−１，８−オクタンジオールのエチレンオキシド１モル付加物とイソヘプタン酸及び３，５，５−トリメチルヘキサン酸から得られるジエステル、４−メチル−１，８−オクタンジオールのエチレンオキシド１モル付加物とイソヘプタン酸及びイソデカン酸から得られるジエステル、４−メチル−１，８−オクタンジオールのエチレンオキシド１モル付加物とイソオクタン酸及び２−エチルヘキサン酸から得られるジエステル、４−メチル−１，８−オクタンジオールのエチレンオキシド１モル付加物とイソオクタン酸及びイソノナン酸から得られるジエステル、４−メチル−１，８−オクタンジオールのエチレンオキシド１モル付加物とイソオクタン酸及び３，５，５−トリメチルヘキサン酸から得られるジエステル、４−メチル−１，８−オクタンジオールのエチレンオキシド１モル付加物とイソオクタン酸及びイソデカン酸から得られるジエステル、４−メチル−１，８−オクタンジオールのエチレンオキシド１モル付加物と２−エチルヘキサン酸及びイソノナン酸から得られるジエステル、４−メチル−１，８−オクタンジオールのエチレンオキシド１モル付加物と２−エチルヘキサン酸及び３，５，５−トリメチルヘキサン酸から得られるジエステル、４−メチル−１，８−オクタンジオールのエチレンオキシド１モル付加物と２−エチルヘキサン酸及びイソデカン酸から得られるジエステル、４−メチル−１，８−オクタンジオールのエチレンオキシド１モル付加物とイソノナン酸及び３，５，５−トリメチルヘキサン酸から得られるジエステル、４−メチル−１，８−オクタンジオールのエチレンオキシド１モル付加物とイソノナン酸及びイソデカン酸から得られるジエステル、４−メチル−１，８−オクタンジオールのエチレンオキシド１モル付加物と３，５，５−トリメチルヘキサン酸及びイソデカン酸から得られるジエステル、４−メチル−１，８−オクタンジオールのエチレンオキシド１モル付加物とｎ−ヘプタン酸及び２−エチルヘキサン酸から得られるジエステル、４−メチル−１，８−オクタンジオールのエチレンオキシド１モル付加物とｎ−ヘプタン酸及びイソノナン酸から得られるジエステル、４−メチル−１，８−オクタンジオールのエチレンオキシド１モル付加物とｎ−ヘプタン酸及び３，５，５−トリメチルヘキサン酸から得られるジエステル、４−メチル−１，８−オクタンジオールのエチレンオキシド１モル付加物とｎ−オクタン酸及びイソヘプタン酸から得られるジエステル、４−メチル−１，８−オクタンジオールのエチレンオキシド１モル付加物とｎ−オクタン酸及びイソオクタン酸から得られるジエステル、４−メチル−１，８−オクタンジオールのエチレンオキシド１モル付加物とｎ−オクタン酸及び２−エチルヘキサン酸から得られるジエステル、４−メチル−１，８−オクタンジオールのエチレンオキシド１モル付加物とｎ−オクタン酸及びイソノナン酸から得られるジエステル、４−メチル−１，８−オクタンジオールのエチレンオキシド１モル付加物とｎ−オクタン酸及び３，５，５−トリメチルヘキサン酸から得られるジエステル、４−メチル−１，８−オクタンジオールのエチレンオキシド１モル付加物とｎ−ノナン酸及びイソヘプタン酸から得られるジエステル、４−メチル−１，８−オクタンジオールのエチレンオキシド１モル付加物とｎ−ノナン酸及びイソオクタン酸から得られるジエステル、４−メチル−１，８−オクタンジオールのエチレンオキシド１モル付加物とｎ−ノナン酸及び２−エチルヘキサン酸から得られるジエステル、４−メチル−１，８−オクタンジオールのエチレンオキシド１モル付加物とｎ−ノナン酸及びイソノナン酸から得られるジエステル、４−メチル−１，８−オクタンジオールのエチレンオキシド１モル付加物とｎ−ノナン酸及び３，５，５−トリメチルヘキサン酸から得られるジエステル、４−メチル−１，８−オクタンジオールのエチレンオキシド１モル付加物とｎ−デカン酸及びイソヘプタン酸から得られるジエステル、４−メチル−１，８−オクタンジオールのエチレンオキシド１モル付加物とｎ−デカン酸及びイソオクタン酸から得られるジエステル、４−メチル−１，８−オクタンジオールのエチレンオキシド１モル付加物とｎ−デカン酸及び２−エチルヘキサン酸から得られるジエステル、４−メチル−１，８−オクタンジオールのエチレンオキシド１モル付加物とｎ−デカン酸及びイソノナン酸から得られるジエステル、４−メチル−１，８−オクタンジオールのエチレンオキシド１モル付加物とｎ−デカン酸及び３，５，５−トリメチルヘキサン酸から得られるジエステルが例示される。
【００６７】
４−メチル−１，８−オクタンジオールのプロピレンオキシド１モル付加物と炭素数７〜１０の直鎖状若しくは分岐鎖状飽和脂肪族モノカルボン酸とのジエステルとしては、具体的には、４−メチル−１，８−オクタンジオールのプロピレンオキシド１モル付加物ジ（ｎ−ヘプタノエ−ト）、４−メチル−１，８−オクタンジオールのプロピレンオキシド１モル付加物ジ（ｎ−オクタノエート）、４−メチル−１，８−オクタンジオールのプロピレンオキシド１モル付加物ジ（ｎ−ノナノエート）、４−メチル−１，８−オクタンジオールのプロピレンオキシド１モル付加物ジ（ｎ−デカノエート）、４−メチル−１，８−オクタンジオールのプロピレンオキシド１モル付加物とｎ−ヘプタン酸及びｎ−オクタン酸から得られるジエステル、４−メチル−１，８−オクタンジオールのプロピレンオキシド１モル付加物とｎ−ヘプタン酸及びｎ−ノナン酸から得られるジエステル、４−メチル−１，８−オクタンジオールのプロピレンオキシド１モル付加物とｎ−ヘプタン酸及びｎ−デカン酸から得られるジエステル、４−メチル−１，８−オクタンジオールのプロピレンオキシド１モル付加物とｎ−オクタン酸及びｎ−ノナン酸から得られるジエステル、４−メチル−１，８−オクタンジオールのプロピレンオキシド１モル付加物とｎ−オクタン酸及びｎ−デカン酸から得られるジエステル、４−メチル−１，８−オクタンジオールのプロピレンオキシド１モル付加物とｎ−ノナン酸及びｎ−デカン酸から得られるジエステル、４−メチル−１，８−オクタンジオールのプロピレンオキシド１モル付加物ジイソヘプタノエート、４−メチル−１，８−オクタンジオールのプロピレンオキシド１モル付加物ジイソオクタノエート、４−メチル−１，８−オクタンジオールのプロピレンオキシド１モル付加物ジ（２−エチルヘキサノエート）、４−メチル−１，８−オクタンジオールのプロピレンオキシド１モル付加物ジイソノナノエート、４−メチル−１，８−オクタンジオールのプロピレンオキシド１モル付加物ジ（３，５，５−トリメチルヘキサノエート）、４−メチル−１，８−オクタンジオールのプロピレンオキシド１モル付加物ジイソデカノエート、４−メチル−１，８−オクタンジオールのプロピレンオキシド１モル付加物とイソヘプタン酸及びイソオクタン酸から得られるジエステル、４−メチル−１，８−オクタンジオールのプロピレンオキシド１モル付加物とイソヘプタン酸及び２−エチルヘキサン酸から得られるジエステル、４−メチル−１，８−オクタンジオールのプロピレンオキシド１モル付加物とイソヘプタン酸及びイソノナン酸から得られるジエステル、４−メチル−１，８−オクタンジオールのプロピレンオキシド１モル付加物とイソヘプタン酸及び３，５，５−トリメチルヘキサン酸から得られるジエステル、４−メチル−１，８−オクタンジオールのプロピレンオキシド１モル付加物とイソヘプタン酸及びイソデカン酸から得られるジエステル、４−メチル−１，８−オクタンジオールのプロピレンオキシド１モル付加物とイソオクタン酸及び２−エチルヘキサン酸から得られるジエステル、４−メチル−１，８−オクタンジオールのプロピレンオキシド１モル付加物とイソオクタン酸及びイソノナン酸から得られるジエステル、４−メチル−１，８−オクタンジオールのプロピレンオキシド１モル付加物とイソオクタン酸及び３，５，５−トリメチルヘキサン酸から得られるジエステル、４−メチル−１，８−オクタンジオールのプロピレンオキシド１モル付加物とイソオクタン酸及びイソデカン酸から得られるジエステル、４−メチル−１，８−オクタンジオールのプロピレンオキシド１モル付加物と２−エチルヘキサン酸及びイソノナン酸から得られるジエステル、４−メチル−１，８−オクタンジオールのプロピレンオキシド１モル付加物と２−エチルヘキサン酸及び３，５，５−トリメチルヘキサン酸から得られるジエステル、４−メチル−１，８−オクタンジオールのプロピレンオキシド１モル付加物と２−エチルヘキサン酸及びイソデカン酸から得られるジエステル、４−メチル−１，８−オクタンジオールのプロピレンオキシド１モル付加物とイソノナン酸及び３，５，５−トリメチルヘキサン酸から得られるジエステル、４−メチル−１，８−オクタンジオールのプロピレンオキシド１モル付加物とイソノナン酸及びイソデカン酸から得られるジエステル、４−メチル−１，８−オクタンジオールのプロピレンオキシド１モル付加物と３，５，５−トリメチルヘキサン酸及びイソデカン酸から得られるジエステル、４−メチル−１，８−オクタンジオールのプロピレンオキシド１モル付加物とｎ−ヘプタン酸及び２−エチルヘキサン酸から得られるジエステル、４−メチル−１，８−オクタンジオールのプロピレンオキシド１モル付加物とｎ−ヘプタン酸及びイソノナン酸から得られるジエステル、４−メチル−１，８−オクタンジオールのプロピレンオキシド１モル付加物とｎ−ヘプタン酸及び３，５，５−トリメチルヘキサン酸から得られるジエステル、４−メチル−１，８−オクタンジオールのプロピレンオキシド１モル付加物とｎ−オクタン酸及びイソヘプタン酸から得られるジエステル、４−メチル−１，８−オクタンジオールのプロピレンオキシド１モル付加物とｎ−オクタン酸及びイソオクタン酸から得られるジエステル、４−メチル−１，８−オクタンジオールのプロピレンオキシド１モル付加物とｎ−オクタン酸及び２−エチルヘキサン酸から得られるジエステル、４−メチル−１，８−オクタンジオールのプロピレンオキシド１モル付加物とｎ−オクタン酸及びイソノナン酸から得られるジエステル、４−メチル−１，８−オクタンジオールのプロピレンオキシド１モル付加物とｎ−オクタン酸及び３，５，５−トリメチルヘキサン酸から得られるジエステル、４−メチル−１，８−オクタンジオールのプロピレンオキシド１モル付加物とｎ−ノナン酸及びイソヘプタン酸から得られるジエステル、４−メチル−１，８−オクタンジオールのプロピレンオキシド１モル付加物とｎ−ノナン酸及びイソオクタン酸から得られるジエステル、４−メチル−１，８−オクタンジオールのプロピレンオキシド１モル付加物とｎ−ノナン酸及び２−エチルヘキサン酸から得られるジエステル、４−メチル−１，８−オクタンジオールのプロピレンオキシド１モル付加物とｎ−ノナン酸及びイソノナン酸から得られるジエステル、４−メチル−１，８−オクタンジオールのプロピレンオキシド１モル付加物とｎ−ノナン酸及び３，５，５−トリメチルヘキサン酸から得られるジエステル、４−メチル−１，８−オクタンジオールのプロピレンオキシド１モル付加物とｎ−デカン酸及びイソヘプタン酸から得られるジエステル、４−メチル−１，８−オクタンジオールのプロピレンオキシド１モル付加物とｎ−デカン酸及びイソオクタン酸から得られるジエステル、４−メチル−１，８−オクタンジオールのプロピレンオキシド１モル付加物とｎ−デカン酸及び２−エチルヘキサン酸から得られるジエステル、４−メチル−１，８−オクタンジオールのプロピレンオキシド１モル付加物とｎ−デカン酸及びイソノナン酸から得られるジエステル、４−メチル−１，８−オクタンジオールのプロピレンオキシド１モル付加物とｎ−デカン酸及び３，５，５−トリメチルヘキサン酸から得られるジエステルが例示される。
【００６８】
２−メチル−１，９−ノナンジオールのエチレンオキシド１モル付加物と炭素数７〜１０の直鎖状若しくは分岐鎖状飽和脂肪族モノカルボン酸とのジエステルとしては、具体的には、２−メチル−１，９−ノナンジオールのエチレンオキシド１モル付加物ジ（ｎ−ヘプタノエ−ト）、２−メチル−１，９−ノナンジオールのエチレンオキシド１モル付加物ジ（ｎ−オクタノエート）、２−メチル−１，９−ノナンジオールのエチレンオキシド１モル付加物ジ（ｎ−ノナノエート）、２−メチル−１，９−ノナンジオールのエチレンオキシド１モル付加物ジ（ｎ−デカノエート）、２−メチル−１，９−ノナンジオールのエチレンオキシド１モル付加物とｎ−ヘプタン酸及びｎ−オクタン酸から得られるジエステル、２−メチル−１，９−ノナンジオールのエチレンオキシド１モル付加物とｎ−ヘプタン酸及びｎ−ノナン酸から得られるジエステル、２−メチル−１，９−ノナンジオールのエチレンオキシド１モル付加物とｎ−ヘプタン酸及びｎ−デカン酸から得られるジエステル、２−メチル−１，９−ノナンジオールのエチレンオキシド１モル付加物とｎ−オクタン酸及びｎ−ノナン酸から得られるジエステル、２−メチル−１，９−ノナンジオールのエチレンオキシド１モル付加物とｎ−オクタン酸及びｎ−デカン酸から得られるジエステル、２−メチル−１，９−ノナンジオールのエチレンオキシド１モル付加物とｎ−ノナン酸及びｎ−デカン酸から得られるジエステル、２−メチル−１，９−ノナンジオールのエチレンオキシド１モル付加物ジイソヘプタノエート、２−メチル−１，９−ノナンジオールのエチレンオキシド１モル付加物ジイソオクタノエート、２−メチル−１，９−ノナンジオールのエチレンオキシド１モル付加物ジ（２−エチルヘキサノエート）、２−メチル−１，９−ノナンジオールのエチレンオキシド１モル付加物ジイソノナノエート、２−メチル−１，９−ノナンジオールのエチレンオキシド１モル付加物ジ（３，５，５−トリメチルヘキサノエート）、２−メチル−１，９−ノナンジオールのエチレンオキシド１モル付加物ジイソデカノエート、２−メチル−１，９−ノナンジオールのエチレンオキシド１モル付加物とイソヘプタン酸及びイソオクタン酸から得られるジエステル、２−メチル−１，９−ノナンジオールのエチレンオキシド１モル付加物とイソヘプタン酸及び２−エチルヘキサン酸から得られるジエステル、２−メチル−１，９−ノナンジオールのエチレンオキシド１モル付加物とイソヘプタン酸及びイソノナン酸から得られるジエステル、２−メチル−１，９−ノナンジオールのエチレンオキシド１モル付加物とイソヘプタン酸及び３，５，５−トリメチルヘキサン酸から得られるジエステル、２−メチル−１，９−ノナンジオールのエチレンオキシド１モル付加物とイソヘプタン酸及びイソデカン酸から得られるジエステル、２−メチル−１，９−ノナンジオールのエチレンオキシド１モル付加物とイソオクタン酸及び２−エチルヘキサン酸から得られるジエステル、２−メチル−１，９−ノナンジオールのエチレンオキシド１モル付加物とイソオクタン酸及びイソノナン酸から得られるジエステル、２−メチル−１，９−ノナンジオールのエチレンオキシド１モル付加物とイソオクタン酸及び３，５，５−トリメチルヘキサン酸から得られるジエステル、２−メチル−１，９−ノナンジオールのエチレンオキシド１モル付加物とイソオクタン酸及びイソデカン酸から得られるジエステル、２−メチル−１，９−ノナンジオールのエチレンオキシド１モル付加物と２−エチルヘキサン酸及びイソノナン酸から得られるジエステル、２−メチル−１，９−ノナンジオールのエチレンオキシド１モル付加物と２−エチルヘキサン酸及び３，５，５−トリメチルヘキサン酸から得られるジエステル、２−メチル−１，９−ノナンジオールのエチレンオキシド１モル付加物と２−エチルヘキサン酸及びイソデカン酸から得られるジエステル、２−メチル−１，９−ノナンジオールのエチレンオキシド１モル付加物とイソノナン酸及び３，５，５−トリメチルヘキサン酸から得られるジエステル、２−メチル−１，９−ノナンジオールのエチレンオキシド１モル付加物とイソノナン酸及びイソデカン酸から得られるジエステル、２−メチル−１，９−ノナンジオールのエチレンオキシド１モル付加物と３，５，５−トリメチルヘキサン酸及びイソデカン酸から得られるジエステル、２−メチル−１，９−ノナンジオールのエチレンオキシド１モル付加物とｎ−ヘプタン酸及び２−エチルヘキサン酸から得られるジエステル、２−メチル−１，９−ノナンジオールのエチレンオキシド１モル付加物とｎ−ヘプタン酸及びイソノナン酸から得られるジエステル、２−メチル−１，９−ノナンジオールのエチレンオキシド１モル付加物とｎ−ヘプタン酸及び３，５，５−トリメチルヘキサン酸から得られるジエステル、２−メチル−１，９−ノナンジオールのエチレンオキシド１モル付加物とｎ−オクタン酸及びイソヘプタン酸から得られるジエステル、２−メチル−１，９−ノナンジオールのエチレンオキシド１モル付加物とｎ−オクタン酸及びイソオクタン酸から得られるジエステル、２−メチル−１，９−ノナンジオールのエチレンオキシド１モル付加物とｎ−オクタン酸及び２−エチルヘキサン酸から得られるジエステル、２−メチル−１，９−ノナンジオールのエチレンオキシド１モル付加物とｎ−オクタン酸及びイソノナン酸から得られるジエステル、２−メチル−１，９−ノナンジオールのエチレンオキシド１モル付加物とｎ−オクタン酸及び３，５，５−トリメチルヘキサン酸から得られるジエステル、２−メチル−１，９−ノナンジオールのエチレンオキシド１モル付加物とｎ−ノナン酸及びイソヘプタン酸から得られるジエステル、２−メチル−１，９−ノナンジオールのエチレンオキシド１モル付加物とｎ−ノナン酸及びイソオクタン酸から得られるジエステル、２−メチル−１，９−ノナンジオールのエチレンオキシド１モル付加物とｎ−ノナン酸及び２−エチルヘキサン酸から得られるジエステル、２−メチル−１，９−ノナンジオールのエチレンオキシド１モル付加物とｎ−ノナン酸及びイソノナン酸から得られるジエステル、２−メチル−１，９−ノナンジオールのエチレンオキシド１モル付加物とｎ−ノナン酸及び３，５，５−トリメチルヘキサン酸から得られるジエステル、２−メチル−１，９−ノナンジオールのエチレンオキシド１モル付加物とｎ−デカン酸及びイソヘプタン酸から得られるジエステル、２−メチル−１，９−ノナンジオールのエチレンオキシド１モル付加物とｎ−デカン酸及びイソオクタン酸から得られるジエステル、２−メチル−１，９−ノナンジオールのエチレンオキシド１モル付加物とｎ−デカン酸及び２−エチルヘキサン酸から得られるジエステル、２−メチル−１，９−ノナンジオールのエチレンオキシド１モル付加物とｎ−デカン酸及びイソノナン酸から得られるジエステル、２−メチル−１，９−ノナンジオールのエチレンオキシド１モル付加物とｎ−デカン酸及び３，５，５−トリメチルヘキサン酸から得られるジエステルが例示される。
【００６９】
２−メチル−１，９−ノナンジオールのプロピレンオキシド１モル付加物と炭素数７〜１０の直鎖状若しくは分岐鎖状飽和脂肪族モノカルボン酸とのジエステルとしては、具体的には、２−メチル−１，９−ノナンジオールのプロピレンオキシド１モル付加物ジ（ｎ−ヘプタノエ−ト）、２−メチル−１，９−ノナンジオールのプロピレンオキシド１モル付加物ジ（ｎ−オクタノエート）、２−メチル−１，９−ノナンジオールのプロピレンオキシド１モル付加物ジ（ｎ−ノナノエート）、２−メチル−１，９−ノナンジオールのプロピレンオキシド１モル付加物ジ（ｎ−デカノエート）、２−メチル−１，９−ノナンジオールのプロピレンオキシド１モル付加物とｎ−ヘプタン酸及びｎ−オクタン酸から得られるジエステル、２−メチル−１，９−ノナンジオールのプロピレンオキシド１モル付加物とｎ−ヘプタン酸及びｎ−ノナン酸から得られるジエステル、２−メチル−１，９−ノナンジオールのプロピレンオキシド１モル付加物とｎ−ヘプタン酸及びｎ−デカン酸から得られるジエステル、２−メチル−１，９−ノナンジオールのプロピレンオキシド１モル付加物とｎ−オクタン酸及びｎ−ノナン酸から得られるジエステル、２−メチル−１，９−ノナンジオールのプロピレンオキシド１モル付加物とｎ−オクタン酸及びｎ−デカン酸から得られるジエステル、２−メチル−１，９−ノナンジオールのプロピレンオキシド１モル付加物とｎ−ノナン酸及びｎ−デカン酸から得られるジエステル、２−メチル−１，９−ノナンジオールのプロピレンオキシド１モル付加物ジイソヘプタノエート、２−メチル−１，９−ノナンジオールのプロピレンオキシド１モル付加物ジイソオクタノエート、２−メチル−１，９−ノナンジオールのプロピレンオキシド１モル付加物ジ（２−エチルヘキサノエート）、２−メチル−１，９−ノナンジオールのプロピレンオキシド１モル付加物ジイソノナノエート、２−メチル−１，９−ノナンジオールのプロピレンオキシド１モル付加物ジ（３，５，５−トリメチルヘキサノエート）、２−メチル−１，９−ノナンジオールのプロピレンオキシド１モル付加物ジイソデカノエート、２−メチル−１，９−ノナンジオールのプロピレンオキシド１モル付加物とイソヘプタン酸及びイソオクタン酸から得られるジエステル、２−メチル−１，９−ノナンジオールのプロピレンオキシド１モル付加物とイソヘプタン酸及び２−エチルヘキサン酸から得られるジエステル、２−メチル−１，９−ノナンジオールのプロピレンオキシド１モル付加物とイソヘプタン酸及びイソノナン酸から得られるジエステル、２−メチル−１，９−ノナンジオールのプロピレンオキシド１モル付加物とイソヘプタン酸及び３，５，５−トリメチルヘキサン酸から得られるジエステル、２−メチル−１，９−ノナンジオールのプロピレンオキシド１モル付加物とイソヘプタン酸及びイソデカン酸から得られるジエステル、２−メチル−１，９−ノナンジオールのプロピレンオキシド１モル付加物とイソオクタン酸及び２−エチルヘキサン酸から得られるジエステル、２−メチル−１，９−ノナンジオールのプロピレンオキシド１モル付加物とイソオクタン酸及びイソノナン酸から得られるジエステル、２−メチル−１，９−ノナンジオールのプロピレンオキシド１モル付加物とイソオクタン酸及び３，５，５−トリメチルヘキサン酸から得られるジエステル、２−メチル−１，９−ノナンジオールのプロピレンオキシド１モル付加物とイソオクタン酸及びイソデカン酸から得られるジエステル、２−メチル−１，９−ノナンジオールのプロピレンオキシド１モル付加物と２−エチルヘキサン酸及びイソノナン酸から得られるジエステル、２−メチル−１，９−ノナンジオールのプロピレンオキシド１モル付加物と２−エチルヘキサン酸及び３，５，５−トリメチルヘキサン酸から得られるジエステル、２−メチル−１，９−ノナンジオールのプロピレンオキシド１モル付加物と２−エチルヘキサン酸及びイソデカン酸から得られるジエステル、２−メチル−１，９−ノナンジオールのプロピレンオキシド１モル付加物とイソノナン酸及び３，５，５−トリメチルヘキサン酸から得られるジエステル、２−メチル−１，９−ノナンジオールのプロピレンオキシド１モル付加物とイソノナン酸及びイソデカン酸から得られるジエステル、２−メチル−１，９−ノナンジオールのプロピレンオキシド１モル付加物と３，５，５−トリメチルヘキサン酸及びイソデカン酸から得られるジエステル、２−メチル−１，９−ノナンジオールのプロピレンオキシド１モル付加物とｎ−ヘプタン酸及び２−エチルヘキサン酸から得られるジエステル、２−メチル−１，９−ノナンジオールのプロピレンオキシド１モル付加物とｎ−ヘプタン酸及びイソノナン酸から得られるジエステル、２−メチル−１，９−ノナンジオールのプロピレンオキシド１モル付加物とｎ−ヘプタン酸及び３，５，５−トリメチルヘキサン酸から得られるジエステル、２−メチル−１，９−ノナンジオールのプロピレンオキシド１モル付加物とｎ−オクタン酸及びイソヘプタン酸から得られるジエステル、２−メチル−１，９−ノナンジオールのプロピレンオキシド１モル付加物とｎ−オクタン酸及びイソオクタン酸から得られるジエステル、２−メチル−１，９−ノナンジオールのプロピレンオキシド１モル付加物とｎ−オクタン酸及び２−エチルヘキサン酸から得られるジエステル、２−メチル−１，９−ノナンジオールのプロピレンオキシド１モル付加物とｎ−オクタン酸及びイソノナン酸から得られるジエステル、２−メチル−１，９−ノナンジオールのプロピレンオキシド１モル付加物とｎ−オクタン酸及び３，５，５−トリメチルヘキサン酸から得られるジエステル、２−メチル−１，９−ノナンジオールのプロピレンオキシド１モル付加物とｎ−ノナン酸及びイソヘプタン酸から得られるジエステル、２−メチル−１，９−ノナンジオールのプロピレンオキシド１モル付加物とｎ−ノナン酸及びイソオクタン酸から得られるジエステル、２−メチル−１，９−ノナンジオールのプロピレンオキシド１モル付加物とｎ−ノナン酸及び２−エチルヘキサン酸から得られるジエステル、２−メチル−１，９−ノナンジオールのプロピレンオキシド１モル付加物とｎ−ノナン酸及びイソノナン酸から得られるジエステル、２−メチル−１，９−ノナンジオールのプロピレンオキシド１モル付加物とｎ−ノナン酸及び３，５，５−トリメチルヘキサン酸から得られるジエステル、２−メチル−１，９−ノナンジオールのプロピレンオキシド１モル付加物とｎ−デカン酸及びイソヘプタン酸から得られるジエステル、２−メチル−１，９−ノナンジオールのプロピレンオキシド１モル付加物とｎ−デカン酸及びイソオクタン酸から得られるジエステル、２−メチル−１，９−ノナンジオールのプロピレンオキシド１モル付加物とｎ−デカン酸及び２−エチルヘキサン酸から得られるジエステル、２−メチル−１，９−ノナンジオールのプロピレンオキシド１モル付加物とｎ−デカン酸及びイソノナン酸から得られるジエステル、２−メチル−１，９−ノナンジオールのプロピレンオキシド１モル付加物とｎ−デカン酸及び３，５，５−トリメチルヘキサン酸から得られるジエステルが例示される。
【００７０】
３−メチル−１，９−ノナンジオールのエチレンオキシド１モル付加物と炭素数７〜１０の直鎖状若しくは分岐鎖状飽和脂肪族モノカルボン酸とのジエステルとしては、具体的には、３−メチル−１，９−ノナンジオールのエチレンオキシド１モル付加物ジ（ｎ−ヘプタノエ−ト）、３−メチル−１，９−ノナンジオールのエチレンオキシド１モル付加物ジ（ｎ−オクタノエート）、３−メチル−１，９−ノナンジオールのエチレンオキシド１モル付加物ジ（ｎ−ノナノエート）、３−メチル−１，９−ノナンジオールのエチレンオキシド１モル付加物ジ（ｎ−デカノエート）、３−メチル−１，９−ノナンジオールのエチレンオキシド１モル付加物とｎ−ヘプタン酸及びｎ−オクタン酸から得られるジエステル、３−メチル−１，９−ノナンジオールのエチレンオキシド１モル付加物とｎ−ヘプタン酸及びｎ−ノナン酸から得られるジエステル、３−メチル−１，９−ノナンジオールのエチレンオキシド１モル付加物とｎ−ヘプタン酸及びｎ−デカン酸から得られるジエステル、３−メチル−１，９−ノナンジオールのエチレンオキシド１モル付加物とｎ−オクタン酸及びｎ−ノナン酸から得られるジエステル、３−メチル−１，９−ノナンジオールのエチレンオキシド１モル付加物とｎ−オクタン酸及びｎ−デカン酸から得られるジエステル、３−メチル−１，９−ノナンジオールのエチレンオキシド１モル付加物とｎ−ノナン酸及びｎ−デカン酸から得られるジエステル、３−メチル−１，９−ノナンジオールのエチレンオキシド１モル付加物ジイソヘプタノエート、３−メチル−１，９−ノナンジオールのエチレンオキシド１モル付加物ジイソオクタノエート、３−メチル−１，９−ノナンジオールのエチレンオキシド１モル付加物ジ（２−エチルヘキサノエート）、３−メチル−１，９−ノナンジオールのエチレンオキシド１モル付加物ジイソノナノエート、３−メチル−１，９−ノナンジオールのエチレンオキシド１モル付加物ジ（３，５，５−トリメチルヘキサノエート）、３−メチル−１，９−ノナンジオールのエチレンオキシド１モル付加物ジイソデカノエート、３−メチル−１，９−ノナンジオールのエチレンオキシド１モル付加物とイソヘプタン酸及びイソオクタン酸から得られるジエステル、３−メチル−１，９−ノナンジオールのエチレンオキシド１モル付加物とイソヘプタン酸及び２−エチルヘキサン酸から得られるジエステル、３−メチル−１，９−ノナンジオールのエチレンオキシド１モル付加物とイソヘプタン酸及びイソノナン酸から得られるジエステル、３−メチル−１，９−ノナンジオールのエチレンオキシド１モル付加物とイソヘプタン酸及び３，５，５−トリメチルヘキサン酸から得られるジエステル、３−メチル−１，９−ノナンジオールのエチレンオキシド１モル付加物とイソヘプタン酸及びイソデカン酸から得られるジエステル、３−メチル−１，９−ノナンジオールのエチレンオキシド１モル付加物とイソオクタン酸及び２−エチルヘキサン酸から得られるジエステル、３−メチル−１，９−ノナンジオールのエチレンオキシド１モル付加物とイソオクタン酸及びイソノナン酸から得られるジエステル、３−メチル−１，９−ノナンジオールのエチレンオキシド１モル付加物とイソオクタン酸及び３，５，５−トリメチルヘキサン酸から得られるジエステル、３−メチル−１，９−ノナンジオールのエチレンオキシド１モル付加物とイソオクタン酸及びイソデカン酸から得られるジエステル、３−メチル−１，９−ノナンジオールのエチレンオキシド１モル付加物と２−エチルヘキサン酸及びイソノナン酸から得られるジエステル、３−メチル−１，９−ノナンジオールのエチレンオキシド１モル付加物と２−エチルヘキサン酸及び３，５，５−トリメチルヘキサン酸から得られるジエステル、３−メチル−１，９−ノナンジオールのエチレンオキシド１モル付加物と２−エチルヘキサン酸及びイソデカン酸から得られるジエステル、３−メチル−１，９−ノナンジオールのエチレンオキシド１モル付加物とイソノナン酸及び３，５，５−トリメチルヘキサン酸から得られるジエステル、３−メチル−１，９−ノナンジオールのエチレンオキシド１モル付加物とイソノナン酸及びイソデカン酸から得られるジエステル、３−メチル−１，９−ノナンジオールのエチレンオキシド１モル付加物と３，５，５−トリメチルヘキサン酸及びイソデカン酸から得られるジエステル、３−メチル−１，９−ノナンジオールのエチレンオキシド１モル付加物とｎ−ヘプタン酸及び２−エチルヘキサン酸から得られるジエステル、３−メチル−１，９−ノナンジオールのエチレンオキシド１モル付加物とｎ−ヘプタン酸及びイソノナン酸から得られるジエステル、３−メチル−１，９−ノナンジオールのエチレンオキシド１モル付加物とｎ−ヘプタン酸及び３，５，５−トリメチルヘキサン酸から得られるジエステル、３−メチル−１，９−ノナンジオールのエチレンオキシド１モル付加物とｎ−オクタン酸及びイソヘプタン酸から得られるジエステル、３−メチル−１，９−ノナンジオールのエチレンオキシド１モル付加物とｎ−オクタン酸及びイソオクタン酸から得られるジエステル、３−メチル−１，９−ノナンジオールのエチレンオキシド１モル付加物とｎ−オクタン酸及び２−エチルヘキサン酸から得られるジエステル、３−メチル−１，９−ノナンジオールのエチレンオキシド１モル付加物とｎ−オクタン酸及びイソノナン酸から得られるジエステル、３−メチル−１，９−ノナンジオールのエチレンオキシド１モル付加物とｎ−オクタン酸及び３，５，５−トリメチルヘキサン酸から得られるジエステル、３−メチル−１，９−ノナンジオールのエチレンオキシド１モル付加物とｎ−ノナン酸及びイソヘプタン酸から得られるジエステル、３−メチル−１，９−ノナンジオールのエチレンオキシド１モル付加物とｎ−ノナン酸及びイソオクタン酸から得られるジエステル、３−メチル−１，９−ノナンジオールのエチレンオキシド１モル付加物とｎ−ノナン酸及び２−エチルヘキサン酸から得られるジエステル、３−メチル−１，９−ノナンジオールのエチレンオキシド１モル付加物とｎ−ノナン酸及びイソノナン酸から得られるジエステル、３−メチル−１，９−ノナンジオールのエチレンオキシド１モル付加物とｎ−ノナン酸及び３，５，５−トリメチルヘキサン酸から得られるジエステル、３−メチル−１，９−ノナンジオールのエチレンオキシド１モル付加物とｎ−デカン酸及びイソヘプタン酸から得られるジエステル、３−メチル−１，９−ノナンジオールのエチレンオキシド１モル付加物とｎ−デカン酸及びイソオクタン酸から得られるジエステル、３−メチル−１，９−ノナンジオールのエチレンオキシド１モル付加物とｎ−デカン酸及び２−エチルヘキサン酸から得られるジエステル、３−メチル−１，９−ノナンジオールのエチレンオキシド１モル付加物とｎ−デカン酸及びイソノナン酸から得られるジエステル、３−メチル−１，９−ノナンジオールのエチレンオキシド１モル付加物とｎ−デカン酸及び３，５，５−トリメチルヘキサン酸から得られるジエステルが例示される。
【００７１】
３−メチル−１，９−ノナンジオールのプロピレンオキシド１モル付加物と炭素数７〜１０の直鎖状若しくは分岐鎖状飽和脂肪族モノカルボン酸とのジエステルとしては、具体的には、３−メチル−１，９−ノナンジオールのプロピレンオキシド１モル付加物ジ（ｎ−ヘプタノエ−ト）、３−メチル−１，９−ノナンジオールのプロピレンオキシド１モル付加物ジ（ｎ−オクタノエート）、３−メチル−１，９−ノナンジオールのプロピレンオキシド１モル付加物ジ（ｎ−ノナノエート）、３−メチル−１，９−ノナンジオールのプロピレンオキシド１モル付加物ジ（ｎ−デカノエート）、３−メチル−１，９−ノナンジオールのプロピレンオキシド１モル付加物とｎ−ヘプタン酸及びｎ−オクタン酸から得られるジエステル、３−メチル−１，９−ノナンジオールのプロピレンオキシド１モル付加物とｎ−ヘプタン酸及びｎ−ノナン酸から得られるジエステル、３−メチル−１，９−ノナンジオールのプロピレンオキシド１モル付加物とｎ−ヘプタン酸及びｎ−デカン酸から得られるジエステル、３−メチル−１，９−ノナンジオールのプロピレンオキシド１モル付加物とｎ−オクタン酸及びｎ−ノナン酸から得られるジエステル、３−メチル−１，９−ノナンジオールのプロピレンオキシド１モル付加物とｎ−オクタン酸及びｎ−デカン酸から得られるジエステル、３−メチル−１，９−ノナンジオールのプロピレンオキシド１モル付加物とｎ−ノナン酸及びｎ−デカン酸から得られるジエステル、３−メチル−１，９−ノナンジオールのプロピレンオキシド１モル付加物ジイソヘプタノエート、３−メチル−１，９−ノナンジオールのプロピレンオキシド１モル付加物ジイソオクタノエート、３−メチル−１，９−ノナンジオールのプロピレンオキシド１モル付加物ジ（２−エチルヘキサノエート）、３−メチル−１，９−ノナンジオールのプロピレンオキシド１モル付加物ジイソノナノエート、３−メチル−１，９−ノナンジオールのプロピレンオキシド１モル付加物ジ（３，５，５−トリメチルヘキサノエート）、３−メチル−１，９−ノナンジオールのプロピレンオキシド１モル付加物ジイソデカノエート、３−メチル−１，９−ノナンジオールのプロピレンオキシド１モル付加物とイソヘプタン酸及びイソオクタン酸から得られるジエステル、３−メチル−１，９−ノナンジオールのプロピレンオキシド１モル付加物とイソヘプタン酸及び２−エチルヘキサン酸から得られるジエステル、３−メチル−１，９−ノナンジオールのプロピレンオキシド１モル付加物とイソヘプタン酸及びイソノナン酸から得られるジエステル、３−メチル−１，９−ノナンジオールのプロピレンオキシド１モル付加物とイソヘプタン酸及び３，５，５−トリメチルヘキサン酸から得られるジエステル、３−メチル−１，９−ノナンジオールのプロピレンオキシド１モル付加物とイソヘプタン酸及びイソデカン酸から得られるジエステル、３−メチル−１，９−ノナンジオールのプロピレンオキシド１モル付加物とイソオクタン酸及び２−エチルヘキサン酸から得られるジエステル、３−メチル−１，９−ノナンジオールのプロピレンオキシド１モル付加物とイソオクタン酸及びイソノナン酸から得られるジエステル、３−メチル−１，９−ノナンジオールのプロピレンオキシド１モル付加物とイソオクタン酸及び３，５，５−トリメチルヘキサン酸から得られるジエステル、３−メチル−１，９−ノナンジオールのプロピレンオキシド１モル付加物とイソオクタン酸及びイソデカン酸から得られるジエステル、３−メチル−１，９−ノナンジオールのプロピレンオキシド１モル付加物と２−エチルヘキサン酸及びイソノナン酸から得られるジエステル、３−メチル−１，９−ノナンジオールのプロピレンオキシド１モル付加物と２−エチルヘキサン酸及び３，５，５−トリメチルヘキサン酸から得られるジエステル、３−メチル−１，９−ノナンジオールのプロピレンオキシド１モル付加物と２−エチルヘキサン酸及びイソデカン酸から得られるジエステル、３−メチル−１，９−ノナンジオールのプロピレンオキシド１モル付加物とイソノナン酸及び３，５，５−トリメチルヘキサン酸から得られるジエステル、３−メチル−１，９−ノナンジオールのプロピレンオキシド１モル付加物とイソノナン酸及びイソデカン酸から得られるジエステル、３−メチル−１，９−ノナンジオールのプロピレンオキシド１モル付加物と３，５，５−トリメチルヘキサン酸及びイソデカン酸から得られるジエステル、３−メチル−１，９−ノナンジオールのプロピレンオキシド１モル付加物とｎ−ヘプタン酸及び２−エチルヘキサン酸から得られるジエステル、３−メチル−１，９−ノナンジオールのプロピレンオキシド１モル付加物とｎ−ヘプタン酸及びイソノナン酸から得られるジエステル、３−メチル−１，９−ノナンジオールのプロピレンオキシド１モル付加物とｎ−ヘプタン酸及び３，５，５−トリメチルヘキサン酸から得られるジエステル、３−メチル−１，９−ノナンジオールのプロピレンオキシド１モル付加物とｎ−オクタン酸及びイソヘプタン酸から得られるジエステル、３−メチル−１，９−ノナンジオールのプロピレンオキシド１モル付加物とｎ−オクタン酸及びイソオクタン酸から得られるジエステル、３−メチル−１，９−ノナンジオールのプロピレンオキシド１モル付加物とｎ−オクタン酸及び２−エチルヘキサン酸から得られるジエステル、３−メチル−１，９−ノナンジオールのプロピレンオキシド１モル付加物とｎ−オクタン酸及びイソノナン酸から得られるジエステル、３−メチル−１，９−ノナンジオールのプロピレンオキシド１モル付加物とｎ−オクタン酸及び３，５，５−トリメチルヘキサン酸から得られるジエステル、３−メチル−１，９−ノナンジオールのプロピレンオキシド１モル付加物とｎ−ノナン酸及びイソヘプタン酸から得られるジエステル、３−メチル−１，９−ノナンジオールのプロピレンオキシド１モル付加物とｎ−ノナン酸及びイソオクタン酸から得られるジエステル、３−メチル−１，９−ノナンジオールのプロピレンオキシド１モル付加物とｎ−ノナン酸及び２−エチルヘキサン酸から得られるジエステル、３−メチル−１，９−ノナンジオールのプロピレンオキシド１モル付加物とｎ−ノナン酸及びイソノナン酸から得られるジエステル、３−メチル−１，９−ノナンジオールのプロピレンオキシド１モル付加物とｎ−ノナン酸及び３，５，５−トリメチルヘキサン酸から得られるジエステル、３−メチル−１，９−ノナンジオールのプロピレンオキシド１モル付加物とｎ−デカン酸及びイソヘプタン酸から得られるジエステル、３−メチル−１，９−ノナンジオールのプロピレンオキシド１モル付加物とｎ−デカン酸及びイソオクタン酸から得られるジエステル、３−メチル−１，９−ノナンジオールのプロピレンオキシド１モル付加物とｎ−デカン酸及び２−エチルヘキサン酸から得られるジエステル、３−メチル−１，９−ノナンジオールのプロピレンオキシド１モル付加物とｎ−デカン酸及びイソノナン酸から得られるジエステル、３−メチル−１，９−ノナンジオールのプロピレンオキシド１モル付加物とｎ−デカン酸及び３，５，５−トリメチルヘキサン酸から得られるジエステルが例示される。
【００７２】
４−メチル−１，９−ノナンジオールのエチレンオキシド１モル付加物と炭素数７〜１０の直鎖状若しくは分岐鎖状飽和脂肪族モノカルボン酸とのジエステルとしては、具体的には、４−メチル−１，９−ノナンジオールのエチレンオキシド１モル付加物ジ（ｎ−ヘプタノエ−ト）、４−メチル−１，９−ノナンジオールのエチレンオキシド１モル付加物ジ（ｎ−オクタノエート）、４−メチル−１，９−ノナンジオールのエチレンオキシド１モル付加物ジ（ｎ−ノナノエート）、４−メチル−１，９−ノナンジオールのエチレンオキシド１モル付加物ジ（ｎ−デカノエート）、４−メチル−１，９−ノナンジオールのエチレンオキシド１モル付加物とｎ−ヘプタン酸及びｎ−オクタン酸から得られるジエステル、４−メチル−１，９−ノナンジオールのエチレンオキシド１モル付加物とｎ−ヘプタン酸及びｎ−ノナン酸から得られるジエステル、４−メチル−１，９−ノナンジオールのエチレンオキシド１モル付加物とｎ−ヘプタン酸及びｎ−デカン酸から得られるジエステル、４−メチル−１，９−ノナンジオールのエチレンオキシド１モル付加物とｎ−オクタン酸及びｎ−ノナン酸から得られるジエステル、４−メチル−１，９−ノナンジオールのエチレンオキシド１モル付加物とｎ−オクタン酸及びｎ−デカン酸から得られるジエステル、４−メチル−１，９−ノナンジオールのエチレンオキシド１モル付加物とｎ−ノナン酸及びｎ−デカン酸から得られるジエステル、４−メチル−１，９−ノナンジオールのエチレンオキシド１モル付加物ジイソヘプタノエート、４−メチル−１，９−ノナンジオールのエチレンオキシド１モル付加物ジイソオクタノエート、４−メチル−１，９−ノナンジオールのエチレンオキシド１モル付加物ジ（２−エチルヘキサノエート）、４−メチル−１，９−ノナンジオールのエチレンオキシド１モル付加物ジイソノナノエート、４−メチル−１，９−ノナンジオールのエチレンオキシド１モル付加物ジ（３，５，５−トリメチルヘキサノエート）、４−メチル−１，９−ノナンジオールのエチレンオキシド１モル付加物ジイソデカノエート、４−メチル−１，９−ノナンジオールのエチレンオキシド１モル付加物とイソヘプタン酸及びイソオクタン酸から得られるジエステル、４−メチル−１，９−ノナンジオールのエチレンオキシド１モル付加物とイソヘプタン酸及び２−エチルヘキサン酸から得られるジエステル、４−メチル−１，９−ノナンジオールのエチレンオキシド１モル付加物とイソヘプタン酸及びイソノナン酸から得られるジエステル、４−メチル−１，９−ノナンジオールのエチレンオキシド１モル付加物とイソヘプタン酸及び３，５，５−トリメチルヘキサン酸から得られるジエステル、４−メチル−１，９−ノナンジオールのエチレンオキシド１モル付加物とイソヘプタン酸及びイソデカン酸から得られるジエステル、４−メチル−１，９−ノナンジオールのエチレンオキシド１モル付加物とイソオクタン酸及び２−エチルヘキサン酸から得られるジエステル、４−メチル−１，９−ノナンジオールのエチレンオキシド１モル付加物とイソオクタン酸及びイソノナン酸から得られるジエステル、４−メチル−１，９−ノナンジオールのエチレンオキシド１モル付加物とイソオクタン酸及び３，５，５−トリメチルヘキサン酸から得られるジエステル、４−メチル−１，９−ノナンジオールのエチレンオキシド１モル付加物とイソオクタン酸及びイソデカン酸から得られるジエステル、４−メチル−１，９−ノナンジオールのエチレンオキシド１モル付加物と２−エチルヘキサン酸及びイソノナン酸から得られるジエステル、４−メチル−１，９−ノナンジオールのエチレンオキシド１モル付加物と２−エチルヘキサン酸及び３，５，５−トリメチルヘキサン酸から得られるジエステル、４−メチル−１，９−ノナンジオールのエチレンオキシド１モル付加物と２−エチルヘキサン酸及びイソデカン酸から得られるジエステル、４−メチル−１，９−ノナンジオールのエチレンオキシド１モル付加物とイソノナン酸及び３，５，５−トリメチルヘキサン酸から得られるジエステル、４−メチル−１，９−ノナンジオールのエチレンオキシド１モル付加物とイソノナン酸及びイソデカン酸から得られるジエステル、４−メチル−１，９−ノナンジオールのエチレンオキシド１モル付加物と３，５，５−トリメチルヘキサン酸及びイソデカン酸から得られるジエステル、４−メチル−１，９−ノナンジオールのエチレンオキシド１モル付加物とｎ−ヘプタン酸及び２−エチルヘキサン酸から得られるジエステル、４−メチル−１，９−ノナンジオールのエチレンオキシド１モル付加物とｎ−ヘプタン酸及びイソノナン酸から得られるジエステル、４−メチル−１，９−ノナンジオールのエチレンオキシド１モル付加物とｎ−ヘプタン酸及び３，５，５−トリメチルヘキサン酸から得られるジエステル、４−メチル−１，９−ノナンジオールのエチレンオキシド１モル付加物とｎ−オクタン酸及びイソヘプタン酸から得られるジエステル、４−メチル−１，９−ノナンジオールのエチレンオキシド１モル付加物とｎ−オクタン酸及びイソオクタン酸から得られるジエステル、４−メチル−１，９−ノナンジオールのエチレンオキシド１モル付加物とｎ−オクタン酸及び２−エチルヘキサン酸から得られるジエステル、４−メチル−１，９−ノナンジオールのエチレンオキシド１モル付加物とｎ−オクタン酸及びイソノナン酸から得られるジエステル、４−メチル−１，９−ノナンジオールのエチレンオキシド１モル付加物とｎ−オクタン酸及び３，５，５−トリメチルヘキサン酸から得られるジエステル、４−メチル−１，９−ノナンジオールのエチレンオキシド１モル付加物とｎ−ノナン酸及びイソヘプタン酸から得られるジエステル、４−メチル−１，９−ノナンジオールのエチレンオキシド１モル付加物とｎ−ノナン酸及びイソオクタン酸から得られるジエステル、４−メチル−１，９−ノナンジオールのエチレンオキシド１モル付加物とｎ−ノナン酸及び２−エチルヘキサン酸から得られるジエステル、４−メチル−１，９−ノナンジオールのエチレンオキシド１モル付加物とｎ−ノナン酸及びイソノナン酸から得られるジエステル、４−メチル−１，９−ノナンジオールのエチレンオキシド１モル付加物とｎ−ノナン酸及び３，５，５−トリメチルヘキサン酸から得られるジエステル、４−メチル−１，９−ノナンジオールのエチレンオキシド１モル付加物とｎ−デカン酸及びイソヘプタン酸から得られるジエステル、４−メチル−１，９−ノナンジオールのエチレンオキシド１モル付加物とｎ−デカン酸及びイソオクタン酸から得られるジエステル、４−メチル−１，９−ノナンジオールのエチレンオキシド１モル付加物とｎ−デカン酸及び２−エチルヘキサン酸から得られるジエステル、４−メチル−１，９−ノナンジオールのエチレンオキシド１モル付加物とｎ−デカン酸及びイソノナン酸から得られるジエステル、４−メチル−１，９−ノナンジオールのエチレンオキシド１モル付加物とｎ−デカン酸及び３，５，５−トリメチルヘキサン酸から得られるジエステルが例示される。
【００７３】
４−メチル−１，９−ノナンジオールのプロピレンオキシド１モル付加物と炭素数７〜１０の直鎖状若しくは分岐鎖状飽和脂肪族モノカルボン酸とのジエステルとしては、具体的には、４−メチル−１，９−ノナンジオールのプロピレンオキシド１モル付加物ジ（ｎ−ヘプタノエ−ト）、４−メチル−１，９−ノナンジオールのプロピレンオキシド１モル付加物ジ（ｎ−オクタノエート）、４−メチル−１，９−ノナンジオールのプロピレンオキシド１モル付加物ジ（ｎ−ノナノエート）、４−メチル−１，９−ノナンジオールのプロピレンオキシド１モル付加物ジ（ｎ−デカノエート）、４−メチル−１，９−ノナンジオールのプロピレンオキシド１モル付加物とｎ−ヘプタン酸及びｎ−オクタン酸から得られるジエステル、４−メチル−１，９−ノナンジオールのプロピレンオキシド１モル付加物とｎ−ヘプタン酸及びｎ−ノナン酸から得られるジエステル、４−メチル−１，９−ノナンジオールのプロピレンオキシド１モル付加物とｎ−ヘプタン酸及びｎ−デカン酸から得られるジエステル、４−メチル−１，９−ノナンジオールのプロピレンオキシド１モル付加物とｎ−オクタン酸及びｎ−ノナン酸から得られるジエステル、４−メチル−１，９−ノナンジオールのプロピレンオキシド１モル付加物とｎ−オクタン酸及びｎ−デカン酸から得られるジエステル、４−メチル−１，９−ノナンジオールのプロピレンオキシド１モル付加物とｎ−ノナン酸及びｎ−デカン酸から得られるジエステル、４−メチル−１，９−ノナンジオールのプロピレンオキシド１モル付加物ジイソヘプタノエート、４−メチル−１，９−ノナンジオールのプロピレンオキシド１モル付加物ジイソオクタノエート、４−メチル−１，９−ノナンジオールのプロピレンオキシド１モル付加物ジ（２−エチルヘキサノエート）、４−メチル−１，９−ノナンジオールのプロピレンオキシド１モル付加物ジイソノナノエート、４−メチル−１，９−ノナンジオールのプロピレンオキシド１モル付加物ジ（３，５，５−トリメチルヘキサノエート）、４−メチル−１，９−ノナンジオールのプロピレンオキシド１モル付加物ジイソデカノエート、４−メチル−１，９−ノナンジオールのプロピレンオキシド１モル付加物とイソヘプタン酸及びイソオクタン酸から得られるジエステル、４−メチル−１，９−ノナンジオールのプロピレンオキシド１モル付加物とイソヘプタン酸及び２−エチルヘキサン酸から得られるジエステル、４−メチル−１，９−ノナンジオールのプロピレンオキシド１モル付加物とイソヘプタン酸及びイソノナン酸から得られるジエステル、４−メチル−１，９−ノナンジオールのプロピレンオキシド１モル付加物とイソヘプタン酸及び３，５，５−トリメチルヘキサン酸から得られるジエステル、４−メチル−１，９−ノナンジオールのプロピレンオキシド１モル付加物とイソヘプタン酸及びイソデカン酸から得られるジエステル、４−メチル−１，９−ノナンジオールのプロピレンオキシド１モル付加物とイソオクタン酸及び２−エチルヘキサン酸から得られるジエステル、４−メチル−１，９−ノナンジオールのプロピレンオキシド１モル付加物とイソオクタン酸及びイソノナン酸から得られるジエステル、４−メチル−１，９−ノナンジオールのプロピレンオキシド１モル付加物とイソオクタン酸及び３，５，５−トリメチルヘキサン酸から得られるジエステル、４−メチル−１，９−ノナンジオールのプロピレンオキシド１モル付加物とイソオクタン酸及びイソデカン酸から得られるジエステル、４−メチル−１，９−ノナンジオールのプロピレンオキシド１モル付加物と２−エチルヘキサン酸及びイソノナン酸から得られるジエステル、４−メチル−１，９−ノナンジオールのプロピレンオキシド１モル付加物と２−エチルヘキサン酸及び３，５，５−トリメチルヘキサン酸から得られるジエステル、４−メチル−１，９−ノナンジオールのプロピレンオキシド１モル付加物と２−エチルヘキサン酸及びイソデカン酸から得られるジエステル、４−メチル−１，９−ノナンジオールのプロピレンオキシド１モル付加物とイソノナン酸及び３，５，５−トリメチルヘキサン酸から得られるジエステル、４−メチル−１，９−ノナンジオールのプロピレンオキシド１モル付加物とイソノナン酸及びイソデカン酸から得られるジエステル、４−メチル−１，９−ノナンジオールのプロピレンオキシド１モル付加物と３，５，５−トリメチルヘキサン酸及びイソデカン酸から得られるジエステル、４−メチル−１，９−ノナンジオールのプロピレンオキシド１モル付加物とｎ−ヘプタン酸及び２−エチルヘキサン酸から得られるジエステル、４−メチル−１，９−ノナンジオールのプロピレンオキシド１モル付加物とｎ−ヘプタン酸及びイソノナン酸から得られるジエステル、４−メチル−１，９−ノナンジオールのプロピレンオキシド１モル付加物とｎ−ヘプタン酸及び３，５，５−トリメチルヘキサン酸から得られるジエステル、４−メチル−１，９−ノナンジオールのプロピレンオキシド１モル付加物とｎ−オクタン酸及びイソヘプタン酸から得られるジエステル、４−メチル−１，９−ノナンジオールのプロピレンオキシド１モル付加物とｎ−オクタン酸及びイソオクタン酸から得られるジエステル、４−メチル−１，９−ノナンジオールのプロピレンオキシド１モル付加物とｎ−オクタン酸及び２−エチルヘキサン酸から得られるジエステル、４−メチル−１，９−ノナンジオールのプロピレンオキシド１モル付加物とｎ−オクタン酸及びイソノナン酸から得られるジエステル、４−メチル−１，９−ノナンジオールのプロピレンオキシド１モル付加物とｎ−オクタン酸及び３，５，５−トリメチルヘキサン酸から得られるジエステル、４−メチル−１，９−ノナンジオールのプロピレンオキシド１モル付加物とｎ−ノナン酸及びイソヘプタン酸から得られるジエステル、４−メチル−１，９−ノナンジオールのプロピレンオキシド１モル付加物とｎ−ノナン酸及びイソオクタン酸から得られるジエステル、４−メチル−１，９−ノナンジオールのプロピレンオキシド１モル付加物とｎ−ノナン酸及び２−エチルヘキサン酸から得られるジエステル、４−メチル−１，９−ノナンジオールのプロピレンオキシド１モル付加物とｎ−ノナン酸及びイソノナン酸から得られるジエステル、４−メチル−１，９−ノナンジオールのプロピレンオキシド１モル付加物とｎ−ノナン酸及び３，５，５−トリメチルヘキサン酸から得られるジエステル、４−メチル−１，９−ノナンジオールのプロピレンオキシド１モル付加物とｎ−デカン酸及びイソヘプタン酸から得られるジエステル、４−メチル−１，９−ノナンジオールのプロピレンオキシド１モル付加物とｎ−デカン酸及びイソオクタン酸から得られるジエステル、４−メチル−１，９−ノナンジオールのプロピレンオキシド１モル付加物とｎ−デカン酸及び２−エチルヘキサン酸から得られるジエステル、４−メチル−１，９−ノナンジオールのプロピレンオキシド１モル付加物とｎ−デカン酸及びイソノナン酸から得られるジエステル、４−メチル−１，９−ノナンジオールのプロピレンオキシド１モル付加物とｎ−デカン酸及び３，５，５−トリメチルヘキサン酸から得られるジエステルが例示される。
【００７４】
５−メチル−１，９−ノナンジオールのエチレンオキシド１モル付加物と炭素数７〜１０の直鎖状若しくは分岐鎖状飽和脂肪族モノカルボン酸とのジエステルとしては、具体的には、５−メチル−１，９−ノナンジオールのエチレンオキシド１モル付加物ジ（ｎ−ヘプタノエ−ト）、５−メチル−１，９−ノナンジオールのエチレンオキシド１モル付加物ジ（ｎ−オクタノエート）、５−メチル−１，９−ノナンジオールのエチレンオキシド１モル付加物ジ（ｎ−ノナノエート）、５−メチル−１，９−ノナンジオールのエチレンオキシド１モル付加物ジ（ｎ−デカノエート）、５−メチル−１，９−ノナンジオールのエチレンオキシド１モル付加物とｎ−ヘプタン酸及びｎ−オクタン酸から得られるジエステル、５−メチル−１，９−ノナンジオールのエチレンオキシド１モル付加物とｎ−ヘプタン酸及びｎ−ノナン酸から得られるジエステル、５−メチル−１，９−ノナンジオールのエチレンオキシド１モル付加物とｎ−ヘプタン酸及びｎ−デカン酸から得られるジエステル、５−メチル−１，９−ノナンジオールのエチレンオキシド１モル付加物とｎ−オクタン酸及びｎ−ノナン酸から得られるジエステル、５−メチル−１，９−ノナンジオールのエチレンオキシド１モル付加物とｎ−オクタン酸及びｎ−デカン酸から得られるジエステル、５−メチル−１，９−ノナンジオールのエチレンオキシド１モル付加物とｎ−ノナン酸及びｎ−デカン酸から得られるジエステル、５−メチル−１，９−ノナンジオールのエチレンオキシド１モル付加物ジイソヘプタノエート、５−メチル−１，９−ノナンジオールのエチレンオキシド１モル付加物ジイソオクタノエート、５−メチル−１，９−ノナンジオールのエチレンオキシド１モル付加物ジ（２−エチルヘキサノエート）、５−メチル−１，９−ノナンジオールのエチレンオキシド１モル付加物ジイソノナノエート、５−メチル−１，９−ノナンジオールのエチレンオキシド１モル付加物ジ（３，５，５−トリメチルヘキサノエート）、５−メチル−１，９−ノナンジオールのエチレンオキシド１モル付加物ジイソデカノエート、５−メチル−１，９−ノナンジオールのエチレンオキシド１モル付加物とイソヘプタン酸及びイソオクタン酸から得られるジエステル、５−メチル−１，９−ノナンジオールのエチレンオキシド１モル付加物とイソヘプタン酸及び２−エチルヘキサン酸から得られるジエステル、５−メチル−１，９−ノナンジオールのエチレンオキシド１モル付加物とイソヘプタン酸及びイソノナン酸から得られるジエステル、５−メチル−１，９−ノナンジオールのエチレンオキシド１モル付加物とイソヘプタン酸及び３，５，５−トリメチルヘキサン酸から得られるジエステル、５−メチル−１，９−ノナンジオールのエチレンオキシド１モル付加物とイソヘプタン酸及びイソデカン酸から得られるジエステル、５−メチル−１，９−ノナンジオールのエチレンオキシド１モル付加物とイソオクタン酸及び２−エチルヘキサン酸から得られるジエステル、５−メチル−１，９−ノナンジオールのエチレンオキシド１モル付加物とイソオクタン酸及びイソノナン酸から得られるジエステル、５−メチル−１，９−ノナンジオールのエチレンオキシド１モル付加物とイソオクタン酸及び３，５，５−トリメチルヘキサン酸から得られるジエステル、５−メチル−１，９−ノナンジオールのエチレンオキシド１モル付加物とイソオクタン酸及びイソデカン酸から得られるジエステル、５−メチル−１，９−ノナンジオールのエチレンオキシド１モル付加物と２−エチルヘキサン酸及びイソノナン酸から得られるジエステル、５−メチル−１，９−ノナンジオールのエチレンオキシド１モル付加物と２−エチルヘキサン酸及び３，５，５−トリメチルヘキサン酸から得られるジエステル、５−メチル−１，９−ノナンジオールのエチレンオキシド１モル付加物と２−エチルヘキサン酸及びイソデカン酸から得られるジエステル、５−メチル−１，９−ノナンジオールのエチレンオキシド１モル付加物とイソノナン酸及び３，５，５−トリメチルヘキサン酸から得られるジエステル、５−メチル−１，９−ノナンジオールのエチレンオキシド１モル付加物とイソノナン酸及びイソデカン酸から得られるジエステル、５−メチル−１，９−ノナンジオールのエチレンオキシド１モル付加物と３，５，５−トリメチルヘキサン酸及びイソデカン酸から得られるジエステル、５−メチル−１，９−ノナンジオールのエチレンオキシド１モル付加物とｎ−ヘプタン酸及び２−エチルヘキサン酸から得られるジエステル、５−メチル−１，９−ノナンジオールのエチレンオキシド１モル付加物とｎ−ヘプタン酸及びイソノナン酸から得られるジエステル、５−メチル−１，９−ノナンジオールのエチレンオキシド１モル付加物とｎ−ヘプタン酸及び３，５，５−トリメチルヘキサン酸から得られるジエステル、５−メチル−１，９−ノナンジオールのエチレンオキシド１モル付加物とｎ−オクタン酸及びイソヘプタン酸から得られるジエステル、５−メチル−１，９−ノナンジオールのエチレンオキシド１モル付加物とｎ−オクタン酸及びイソオクタン酸から得られるジエステル、５−メチル−１，９−ノナンジオールのエチレンオキシド１モル付加物とｎ−オクタン酸及び２−エチルヘキサン酸から得られるジエステル、５−メチル−１，９−ノナンジオールのエチレンオキシド１モル付加物とｎ−オクタン酸及びイソノナン酸から得られるジエステル、５−メチル−１，９−ノナンジオールのエチレンオキシド１モル付加物とｎ−オクタン酸及び３，５，５−トリメチルヘキサン酸から得られるジエステル、５−メチル−１，９−ノナンジオールのエチレンオキシド１モル付加物とｎ−ノナン酸及びイソヘプタン酸から得られるジエステル、５−メチル−１，９−ノナンジオールのエチレンオキシド１モル付加物とｎ−ノナン酸及びイソオクタン酸から得られるジエステル、５−メチル−１，９−ノナンジオールのエチレンオキシド１モル付加物とｎ−ノナン酸及び２−エチルヘキサン酸から得られるジエステル、５−メチル−１，９−ノナンジオールのエチレンオキシド１モル付加物とｎ−ノナン酸及びイソノナン酸から得られるジエステル、５−メチル−１，９−ノナンジオールのエチレンオキシド１モル付加物とｎ−ノナン酸及び３，５，５−トリメチルヘキサン酸から得られるジエステル、５−メチル−１，９−ノナンジオールのエチレンオキシド１モル付加物とｎ−デカン酸及びイソヘプタン酸から得られるジエステル、５−メチル−１，９−ノナンジオールのエチレンオキシド１モル付加物とｎ−デカン酸及びイソオクタン酸から得られるジエステル、５−メチル−１，９−ノナンジオールのエチレンオキシド１モル付加物とｎ−デカン酸及び２−エチルヘキサン酸から得られるジエステル、５−メチル−１，９−ノナンジオールのエチレンオキシド１モル付加物とｎ−デカン酸及びイソノナン酸から得られるジエステル、５−メチル−１，９−ノナンジオールのエチレンオキシド１モル付加物とｎ−デカン酸及び３，５，５−トリメチルヘキサン酸から得られるジエステルが例示される。
【００７５】
５−メチル−１，９−ノナンジオールのプロピレンオキシド１モル付加物と炭素数７〜１０の直鎖状若しくは分岐鎖状飽和脂肪族モノカルボン酸とのジエステルとしては、具体的には、５−メチル−１，９−ノナンジオールのプロピレンオキシド１モル付加物ジ（ｎ−ヘプタノエ−ト）、５−メチル−１，９−ノナンジオールのプロピレンオキシド１モル付加物ジ（ｎ−オクタノエート）、５−メチル−１，９−ノナンジオールのプロピレンオキシド１モル付加物ジ（ｎ−ノナノエート）、５−メチル−１，９−ノナンジオールのプロピレンオキシド１モル付加物ジ（ｎ−デカノエート）、５−メチル−１，９−ノナンジオールのプロピレンオキシド１モル付加物とｎ−ヘプタン酸及びｎ−オクタン酸から得られるジエステル、５−メチル−１，９−ノナンジオールのプロピレンオキシド１モル付加物とｎ−ヘプタン酸及びｎ−ノナン酸から得られるジエステル、５−メチル−１，９−ノナンジオールのプロピレンオキシド１モル付加物とｎ−ヘプタン酸及びｎ−デカン酸から得られるジエステル、５−メチル−１，９−ノナンジオールのプロピレンオキシド１モル付加物とｎ−オクタン酸及びｎ−ノナン酸から得られるジエステル、５−メチル−１，９−ノナンジオールのプロピレンオキシド１モル付加物とｎ−オクタン酸及びｎ−デカン酸から得られるジエステル、５−メチル−１，９−ノナンジオールのプロピレンオキシド１モル付加物とｎ−ノナン酸及びｎ−デカン酸から得られるジエステル、５−メチル−１，９−ノナンジオールのプロピレンオキシド１モル付加物ジイソヘプタノエート、５−メチル−１，９−ノナンジオールのプロピレンオキシド１モル付加物ジイソオクタノエート、５−メチル−１，９−ノナンジオールのプロピレンオキシド１モル付加物ジ（２−エチルヘキサノエート）、５−メチル−１，９−ノナンジオールのプロピレンオキシド１モル付加物ジイソノナノエート、５−メチル−１，９−ノナンジオールのプロピレンオキシド１モル付加物ジ（３，５，５−トリメチルヘキサノエート）、５−メチル−１，９−ノナンジオールのプロピレンオキシド１モル付加物ジイソデカノエート、５−メチル−１，９−ノナンジオールのプロピレンオキシド１モル付加物とイソヘプタン酸及びイソオクタン酸から得られるジエステル、５−メチル−１，９−ノナンジオールのプロピレンオキシド１モル付加物とイソヘプタン酸及び２−エチルヘキサン酸から得られるジエステル、５−メチル−１，９−ノナンジオールのプロピレンオキシド１モル付加物とイソヘプタン酸及びイソノナン酸から得られるジエステル、５−メチル−１，９−ノナンジオールのプロピレンオキシド１モル付加物とイソヘプタン酸及び３，５，５−トリメチルヘキサン酸から得られるジエステル、５−メチル−１，９−ノナンジオールのプロピレンオキシド１モル付加物とイソヘプタン酸及びイソデカン酸から得られるジエステル、５−メチル−１，９−ノナンジオールのプロピレンオキシド１モル付加物とイソオクタン酸及び２−エチルヘキサン酸から得られるジエステル、５−メチル−１，９−ノナンジオールのプロピレンオキシド１モル付加物とイソオクタン酸及びイソノナン酸から得られるジエステル、５−メチル−１，９−ノナンジオールのプロピレンオキシド１モル付加物とイソオクタン酸及び３，５，５−トリメチルヘキサン酸から得られるジエステル、５−メチル−１，９−ノナンジオールのプロピレンオキシド１モル付加物とイソオクタン酸及びイソデカン酸から得られるジエステル、５−メチル−１，９−ノナンジオールのプロピレンオキシド１モル付加物と２−エチルヘキサン酸及びイソノナン酸から得られるジエステル、５−メチル−１，９−ノナンジオールのプロピレンオキシド１モル付加物と２−エチルヘキサン酸及び３，５，５−トリメチルヘキサン酸から得られるジエステル、５−メチル−１，９−ノナンジオールのプロピレンオキシド１モル付加物と２−エチルヘキサン酸及びイソデカン酸から得られるジエステル、５−メチル−１，９−ノナンジオールのプロピレンオキシド１モル付加物とイソノナン酸及び３，５，５−トリメチルヘキサン酸から得られるジエステル、５−メチル−１，９−ノナンジオールのプロピレンオキシド１モル付加物とイソノナン酸及びイソデカン酸から得られるジエステル、５−メチル−１，９−ノナンジオールのプロピレンオキシド１モル付加物と３，５，５−トリメチルヘキサン酸及びイソデカン酸から得られるジエステル、５−メチル−１，９−ノナンジオールのプロピレンオキシド１モル付加物とｎ−ヘプタン酸及び２−エチルヘキサン酸から得られるジエステル、５−メチル−１，９−ノナンジオールのプロピレンオキシド１モル付加物とｎ−ヘプタン酸及びイソノナン酸から得られるジエステル、５−メチル−１，９−ノナンジオールのプロピレンオキシド１モル付加物とｎ−ヘプタン酸及び３，５，５−トリメチルヘキサン酸から得られるジエステル、５−メチル−１，９−ノナンジオールのプロピレンオキシド１モル付加物とｎ−オクタン酸及びイソヘプタン酸から得られるジエステル、５−メチル−１，９−ノナンジオールのプロピレンオキシド１モル付加物とｎ−オクタン酸及びイソオクタン酸から得られるジエステル、５−メチル−１，９−ノナンジオールのプロピレンオキシド１モル付加物とｎ−オクタン酸及び２−エチルヘキサン酸から得られるジエステル、５−メチル−１，９−ノナンジオールのプロピレンオキシド１モル付加物とｎ−オクタン酸及びイソノナン酸から得られるジエステル、５−メチル−１，９−ノナンジオールのプロピレンオキシド１モル付加物とｎ−オクタン酸及び３，５，５−トリメチルヘキサン酸から得られるジエステル、５−メチル−１，９−ノナンジオールのプロピレンオキシド１モル付加物とｎ−ノナン酸及びイソヘプタン酸から得られるジエステル、５−メチル−１，９−ノナンジオールのプロピレンオキシド１モル付加物とｎ−ノナン酸及びイソオクタン酸から得られるジエステル、５−メチル−１，９−ノナンジオールのプロピレンオキシド１モル付加物とｎ−ノナン酸及び２−エチルヘキサン酸から得られるジエステル、５−メチル−１，９−ノナンジオールのプロピレンオキシド１モル付加物とｎ−ノナン酸及びイソノナン酸から得られるジエステル、５−メチル−１，９−ノナンジオールのプロピレンオキシド１モル付加物とｎ−ノナン酸及び３，５，５−トリメチルヘキサン酸から得られるジエステル、５−メチル−１，９−ノナンジオールのプロピレンオキシド１モル付加物とｎ−デカン酸及びイソヘプタン酸から得られるジエステル、５−メチル−１，９−ノナンジオールのプロピレンオキシド１モル付加物とｎ−デカン酸及びイソオクタン酸から得られるジエステル、５−メチル−１，９−ノナンジオールのプロピレンオキシド１モル付加物とｎ−デカン酸及び２−エチルヘキサン酸から得られるジエステル、５−メチル−１，９−ノナンジオールのプロピレンオキシド１モル付加物とｎ−デカン酸及びイソノナン酸から得られるジエステル、５−メチル−１，９−ノナンジオールのプロピレンオキシド１モル付加物とｎ−デカン酸及び３，５，５−トリメチルヘキサン酸から得られるジエステルが例示される。
【００７６】
２−エチル−１，３−ヘキサンジオールのエチレンオキシド１モル付加物と炭素数７〜１０の直鎖状若しくは分岐鎖状飽和脂肪族モノカルボン酸とのジエステルとしては、具体的には、２−エチル−１，３−ヘキサンジオールのエチレンオキシド１モル付加物ジ（ｎ−ヘプタノエ−ト）、２−エチル−１，３−ヘキサンジオールのエチレンオキシド１モル付加物ジ（ｎ−オクタノエート）、２−エチル−１，３−ヘキサンジオールのエチレンオキシド１モル付加物ジ（ｎ−ノナノエート）、２−エチル−１，３−ヘキサンジオールのエチレンオキシド１モル付加物ジ（ｎ−デカノエート）、２−エチル−１，３−ヘキサンジオールのエチレンオキシド１モル付加物とｎ−ヘプタン酸及びｎ−オクタン酸から得られるジエステル、２−エチル−１，３−ヘキサンジオールのエチレンオキシド１モル付加物とｎ−ヘプタン酸及びｎ−ノナン酸から得られるジエステル、２−エチル−１，３−ヘキサンジオールのエチレンオキシド１モル付加物とｎ−ヘプタン酸及びｎ−デカン酸から得られるジエステル、２−エチル−１，３−ヘキサンジオールのエチレンオキシド１モル付加物とｎ−オクタン酸及びｎ−ノナン酸から得られるジエステル、２−エチル−１，３−ヘキサンジオールのエチレンオキシド１モル付加物とｎ−オクタン酸及びｎ−デカン酸から得られるジエステル、２−エチル−１，３−ヘキサンジオールのエチレンオキシド１モル付加物とｎ−ノナン酸及びｎ−デカン酸から得られるジエステル、２−エチル−１，３−ヘキサンジオールのエチレンオキシド１モル付加物ジイソヘプタノエート、２−エチル−１，３−ヘキサンジオールのエチレンオキシド１モル付加物ジイソオクタノエート、２−エチル−１，３−ヘキサンジオールのエチレンオキシド１モル付加物ジ（２−エチルヘキサノエート）、２−エチル−１，３−ヘキサンジオールのエチレンオキシド１モル付加物ジイソノナノエート、２−エチル−１，３−ヘキサンジオールのエチレンオキシド１モル付加物ジ（３，５，５−トリメチルヘキサノエート）、２−エチル−１，３−ヘキサンジオールのエチレンオキシド１モル付加物ジイソデカノエート、２−エチル−１，３−ヘキサンジオールのエチレンオキシド１モル付加物とイソヘプタン酸及びイソオクタン酸から得られるジエステル、２−エチル−１，３−ヘキサンジオールのエチレンオキシド１モル付加物とイソヘプタン酸及び２−エチルヘキサン酸から得られるジエステル、２−エチル−１，３−ヘキサンジオールのエチレンオキシド１モル付加物とイソヘプタン酸及びイソノナン酸から得られるジエステル、２−エチル−１，３−ヘキサンジオールのエチレンオキシド１モル付加物とイソヘプタン酸及び３，５，５−トリメチルヘキサン酸から得られるジエステル、２−エチル−１，３−ヘキサンジオールのエチレンオキシド１モル付加物とイソヘプタン酸及びイソデカン酸から得られるジエステル、２−エチル−１，３−ヘキサンジオールのエチレンオキシド１モル付加物とイソオクタン酸及び２−エチルヘキサン酸から得られるジエステル、２−エチル−１，３−ヘキサンジオールのエチレンオキシド１モル付加物とイソオクタン酸及びイソノナン酸から得られるジエステル、２−エチル−１，３−ヘキサンジオールのエチレンオキシド１モル付加物とイソオクタン酸及び３，５，５−トリメチルヘキサン酸から得られるジエステル、２−エチル−１，３−ヘキサンジオールのエチレンオキシド１モル付加物とイソオクタン酸及びイソデカン酸から得られるジエステル、２−エチル−１，３−ヘキサンジオールのエチレンオキシド１モル付加物と２−エチルヘキサン酸及びイソノナン酸から得られるジエステル、２−エチル−１，３−ヘキサンジオールのエチレンオキシド１モル付加物と２−エチルヘキサン酸及び３，５，５−トリメチルヘキサン酸から得られるジエステル、２−エチル−１，３−ヘキサンジオールのエチレンオキシド１モル付加物と２−エチルヘキサン酸及びイソデカン酸から得られるジエステル、２−エチル−１，３−ヘキサンジオールのエチレンオキシド１モル付加物とイソノナン酸及び３，５，５−トリメチルヘキサン酸から得られるジエステル、２−エチル−１，３−ヘキサンジオールのエチレンオキシド１モル付加物とイソノナン酸及びイソデカン酸から得られるジエステル、２−エチル−１，３−ヘキサンジオールのエチレンオキシド１モル付加物と３，５，５−トリメチルヘキサン酸及びイソデカン酸から得られるジエステル、２−エチル−１，３−ヘキサンジオールのエチレンオキシド１モル付加物とｎ−ヘプタン酸及び２−エチルヘキサン酸から得られるジエステル、２−エチル−１，３−ヘキサンジオールのエチレンオキシド１モル付加物とｎ−ヘプタン酸及びイソノナン酸から得られるジエステル、２−エチル−１，３−ヘキサンジオールのエチレンオキシド１モル付加物とｎ−ヘプタン酸及び３，５，５−トリメチルヘキサン酸から得られるジエステル、２−エチル−１，３−ヘキサンジオールのエチレンオキシド１モル付加物とｎ−オクタン酸及びイソヘプタン酸から得られるジエステル、２−エチル−１，３−ヘキサンジオールのエチレンオキシド１モル付加物とｎ−オクタン酸及びイソオクタン酸から得られるジエステル、２−エチル−１，３−ヘキサンジオールのエチレンオキシド１モル付加物とｎ−オクタン酸及び２−エチルヘキサン酸から得られるジエステル、２−エチル−１，３−ヘキサンジオールのエチレンオキシド１モル付加物とｎ−オクタン酸及びイソノナン酸から得られるジエステル、２−エチル−１，３−ヘキサンジオールのエチレンオキシド１モル付加物とｎ−オクタン酸及び３，５，５−トリメチルヘキサン酸から得られるジエステル、２−エチル−１，３−ヘキサンジオールのエチレンオキシド１モル付加物とｎ−ノナン酸及びイソヘプタン酸から得られるジエステル、２−エチル−１，３−ヘキサンジオールのエチレンオキシド１モル付加物とｎ−ノナン酸及びイソオクタン酸から得られるジエステル、２−エチル−１，３−ヘキサンジオールのエチレンオキシド１モル付加物とｎ−ノナン酸及び２−エチルヘキサン酸から得られるジエステル、２−エチル−１，３−ヘキサンジオールのエチレンオキシド１モル付加物とｎ−ノナン酸及びイソノナン酸から得られるジエステル、２−エチル−１，３−ヘキサンジオールのエチレンオキシド１モル付加物とｎ−ノナン酸及び３，５，５−トリメチルヘキサン酸から得られるジエステル、２−エチル−１，３−ヘキサンジオールのエチレンオキシド１モル付加物とｎ−デカン酸及びイソヘプタン酸から得られるジエステル、２−エチル−１，３−ヘキサンジオールのエチレンオキシド１モル付加物とｎ−デカン酸及びイソオクタン酸から得られるジエステル、２−エチル−１，３−ヘキサンジオールのエチレンオキシド１モル付加物とｎ−デカン酸及び２−エチルヘキサン酸から得られるジエステル、２−エチル−１，３−ヘキサンジオールのエチレンオキシド１モル付加物とｎ−デカン酸及びイソノナン酸から得られるジエステル、２−エチル−１，３−ヘキサンジオールのエチレンオキシド１モル付加物とｎ−デカン酸及び３，５，５−トリメチルヘキサン酸から得られるジエステルが例示される。
【００７７】
２−エチル−１，３−ヘキサンジオールのプロピレンオキシド１モル付加物と炭素数７〜１０の直鎖状若しくは分岐鎖状飽和脂肪族モノカルボン酸とのジエステルとしては、具体的には、２−エチル−１，３−ヘキサンジオールのプロピレンオキシド１モル付加物ジ（ｎ−ヘプタノエ−ト）、２−エチル−１，３−ヘキサンジオールのプロピレンオキシド１モル付加物ジ（ｎ−オクタノエート）、２−エチル−１，３−ヘキサンジオールのプロピレンオキシド１モル付加物ジ（ｎ−ノナノエート）、２−エチル−１，３−ヘキサンジオールのプロピレンオキシド１モル付加物ジ（ｎ−デカノエート）、２−エチル−１，３−ヘキサンジオールのプロピレンオキシド１モル付加物とｎ−ヘプタン酸及びｎ−オクタン酸から得られるジエステル、２−エチル−１，３−ヘキサンジオールのプロピレンオキシド１モル付加物とｎ−ヘプタン酸及びｎ−ノナン酸から得られるジエステル、２−エチル−１，３−ヘキサンジオールのプロピレンオキシド１モル付加物とｎ−ヘプタン酸及びｎ−デカン酸から得られるジエステル、２−エチル−１，３−ヘキサンジオールのプロピレンオキシド１モル付加物とｎ−オクタン酸及びｎ−ノナン酸から得られるジエステル、２−エチル−１，３−ヘキサンジオールのプロピレンオキシド１モル付加物とｎ−オクタン酸及びｎ−デカン酸から得られるジエステル、２−エチル−１，３−ヘキサンジオールのプロピレンオキシド１モル付加物とｎ−ノナン酸及びｎ−デカン酸から得られるジエステル、２−エチル−１，３−ヘキサンジオールのプロピレンオキシド１モル付加物ジイソヘプタノエート、２−エチル−１，３−ヘキサンジオールのプロピレンオキシド１モル付加物ジイソオクタノエート、２−エチル−１，３−ヘキサンジオールのプロピレンオキシド１モル付加物ジ（２−エチルヘキサノエート）、２−エチル−１，３−ヘキサンジオールのプロピレンオキシド１モル付加物ジイソノナノエート、２−エチル−１，３−ヘキサンジオールのプロピレンオキシド１モル付加物ジ（３，５，５−トリメチルヘキサノエート）、２−エチル−１，３−ヘキサンジオールのプロピレンオキシド１モル付加物ジイソデカノエート、２−エチル−１，３−ヘキサンジオールのプロピレンオキシド１モル付加物とイソヘプタン酸及びイソオクタン酸から得られるジエステル、２−エチル−１，３−ヘキサンジオールのプロピレンオキシド１モル付加物とイソヘプタン酸及び２−エチルヘキサン酸から得られるジエステル、２−エチル−１，３−ヘキサンジオールのプロピレンオキシド１モル付加物とイソヘプタン酸及びイソノナン酸から得られるジエステル、２−エチル−１，３−ヘキサンジオールのプロピレンオキシド１モル付加物とイソヘプタン酸及び３，５，５−トリメチルヘキサン酸から得られるジエステル、２−エチル−１，３−ヘキサンジオールのプロピレンオキシド１モル付加物とイソヘプタン酸及びイソデカン酸から得られるジエステル、２−エチル−１，３−ヘキサンジオールのプロピレンオキシド１モル付加物とイソオクタン酸及び２−エチルヘキサン酸から得られるジエステル、２−エチル−１，３−ヘキサンジオールのプロピレンオキシド１モル付加物とイソオクタン酸及びイソノナン酸から得られるジエステル、２−エチル−１，３−ヘキサンジオールのプロピレンオキシド１モル付加物とイソオクタン酸及び３，５，５−トリメチルヘキサン酸から得られるジエステル、２−エチル−１，３−ヘキサンジオールのプロピレンオキシド１モル付加物とイソオクタン酸及びイソデカン酸から得られるジエステル、２−エチル−１，３−ヘキサンジオールのプロピレンオキシド１モル付加物と２−エチルヘキサン酸及びイソノナン酸から得られるジエステル、２−エチル−１，３−ヘキサンジオールのプロピレンオキシド１モル付加物と２−エチルヘキサン酸及び３，５，５−トリメチルヘキサン酸から得られるジエステル、２−エチル−１，３−ヘキサンジオールのプロピレンオキシド１モル付加物と２−エチルヘキサン酸及びイソデカン酸から得られるジエステル、２−エチル−１，３−ヘキサンジオールのプロピレンオキシド１モル付加物とイソノナン酸及び３，５，５−トリメチルヘキサン酸から得られるジエステル、２−エチル−１，３−ヘキサンジオールのプロピレンオキシド１モル付加物とイソノナン酸及びイソデカン酸から得られるジエステル、２−エチル−１，３−ヘキサンジオールのプロピレンオキシド１モル付加物と３，５，５−トリメチルヘキサン酸及びイソデカン酸から得られるジエステル、２−エチル−１，３−ヘキサンジオールのプロピレンオキシド１モル付加物とｎ−ヘプタン酸及び２−エチルヘキサン酸から得られるジエステル、２−エチル−１，３−ヘキサンジオールのプロピレンオキシド１モル付加物とｎ−ヘプタン酸及びイソノナン酸から得られるジエステル、２−エチル−１，３−ヘキサンジオールのプロピレンオキシド１モル付加物とｎ−ヘプタン酸及び３，５，５−トリメチルヘキサン酸から得られるジエステル、２−エチル−１，３−ヘキサンジオールのプロピレンオキシド１モル付加物とｎ−オクタン酸及びイソヘプタン酸から得られるジエステル、２−エチル−１，３−ヘキサンジオールのプロピレンオキシド１モル付加物とｎ−オクタン酸及びイソオクタン酸から得られるジエステル、２−エチル−１，３−ヘキサンジオールのプロピレンオキシド１モル付加物とｎ−オクタン酸及び２−エチルヘキサン酸から得られるジエステル、２−エチル−１，３−ヘキサンジオールのプロピレンオキシド１モル付加物とｎ−オクタン酸及びイソノナン酸から得られるジエステル、２−エチル−１，３−ヘキサンジオールのプロピレンオキシド１モル付加物とｎ−オクタン酸及び３，５，５−トリメチルヘキサン酸から得られるジエステル、２−エチル−１，３−ヘキサンジオールのプロピレンオキシド１モル付加物とｎ−ノナン酸及びイソヘプタン酸から得られるジエステル、２−エチル−１，３−ヘキサンジオールのプロピレンオキシド１モル付加物とｎ−ノナン酸及びイソオクタン酸から得られるジエステル、２−エチル−１，３−ヘキサンジオールのプロピレンオキシド１モル付加物とｎ−ノナン酸及び２−エチルヘキサン酸から得られるジエステル、２−エチル−１，３−ヘキサンジオールのプロピレンオキシド１モル付加物とｎ−ノナン酸及びイソノナン酸から得られるジエステル、２−エチル−１，３−ヘキサンジオールのプロピレンオキシド１モル付加物とｎ−ノナン酸及び３，５，５−トリメチルヘキサン酸から得られるジエステル、２−エチル−１，３−ヘキサンジオールのプロピレンオキシド１モル付加物とｎ−デカン酸及びイソヘプタン酸から得られるジエステル、２−エチル−１，３−ヘキサンジオールのプロピレンオキシド１モル付加物とｎ−デカン酸及びイソオクタン酸から得られるジエステル、２−エチル−１，３−ヘキサンジオールのプロピレンオキシド１モル付加物とｎ−デカン酸及び２−エチルヘキサン酸から得られるジエステル、２−エチル−１，３−ヘキサンジオールのプロピレンオキシド１モル付加物とｎ−デカン酸及びイソノナン酸から得られるジエステル、２−エチル−１，３−ヘキサンジオールのプロピレンオキシド１モル付加物とｎ−デカン酸及び３，５，５−トリメチルヘキサン酸から得られるジエステルが例示される。
【００７８】
２，４−ジエチル−１，５−ペンタンジオールのエチレンオキシド１モル付加物と炭素数７〜１０の直鎖状若しくは分岐鎖状飽和脂肪族モノカルボン酸とのジエステルとしては、具体的には、２，４−ジエチル−１，５−ペンタンジオールのエチレンオキシド１モル付加物ジ（ｎ−ヘプタノエ−ト）、２，４−ジエチル−１，５−ペンタンジオールのエチレンオキシド１モル付加物ジ（ｎ−オクタノエート）、２，４−ジエチル−１，５−ペンタンジオールのエチレンオキシド１モル付加物ジ（ｎ−ノナノエート）、２，４−ジエチル−１，５−ペンタンジオールのエチレンオキシド１モル付加物ジ（ｎ−デカノエート）、２，４−ジエチル−１，５−ペンタンジオールのエチレンオキシド１モル付加物とｎ−ヘプタン酸及びｎ−オクタン酸から得られるジエステル、２，４−ジエチル−１，５−ペンタンジオールのエチレンオキシド１モル付加物とｎ−ヘプタン酸及びｎ−ノナン酸から得られるジエステル、２，４−ジエチル−１，５−ペンタンジオールのエチレンオキシド１モル付加物とｎ−ヘプタン酸及びｎ−デカン酸から得られるジエステル、２，４−ジエチル−１，５−ペンタンジオールのエチレンオキシド１モル付加物とｎ−オクタン酸及びｎ−ノナン酸から得られるジエステル、２，４−ジエチル−１，５−ペンタンジオールのエチレンオキシド１モル付加物とｎ−オクタン酸及びｎ−デカン酸から得られるジエステル、２，４−ジエチル−１，５−ペンタンジオールのエチレンオキシド１モル付加物とｎ−ノナン酸及びｎ−デカン酸から得られるジエステル、２，４−ジエチル−１，５−ペンタンジオールのエチレンオキシド１モル付加物ジイソヘプタノエート、２，４−ジエチル−１，５−ペンタンジオールのエチレンオキシド１モル付加物ジイソオクタノエート、２，４−ジエチル−１，５−ペンタンジオールのエチレンオキシド１モル付加物ジ（２−エチルヘキサノエート）、２，４−ジエチル−１，５−ペンタンジオールのエチレンオキシド１モル付加物ジイソノナノエート、２，４−ジエチル−１，５−ペンタンジオールのエチレンオキシド１モル付加物ジ（３，５，５−トリメチルヘキサノエート）、２，４−ジエチル−１，５−ペンタンジオールのエチレンオキシド１モル付加物ジイソデカノエート、２，４−ジエチル−１，５−ペンタンジオールのエチレンオキシド１モル付加物とイソヘプタン酸及びイソオクタン酸から得られるジエステル、２，４−ジエチル−１，５−ペンタンジオールのエチレンオキシド１モル付加物とイソヘプタン酸及び２−エチルヘキサン酸から得られるジエステル、２，４−ジエチル−１，５−ペンタンジオールのエチレンオキシド１モル付加物とイソヘプタン酸及びイソノナン酸から得られるジエステル、２，４−ジエチル−１，５−ペンタンジオールのエチレンオキシド１モル付加物とイソヘプタン酸及び３，５，５−トリメチルヘキサン酸から得られるジエステル、２，４−ジエチル−１，５−ペンタンジオールのエチレンオキシド１モル付加物とイソヘプタン酸及びイソデカン酸から得られるジエステル、２，４−ジエチル−１，５−ペンタンジオールのエチレンオキシド１モル付加物とイソオクタン酸及び２−エチルヘキサン酸から得られるジエステル、２，４−ジエチル−１，５−ペンタンジオールのエチレンオキシド１モル付加物とイソオクタン酸及びイソノナン酸から得られるジエステル、２，４−ジエチル−１，５−ペンタンジオールのエチレンオキシド１モル付加物とイソオクタン酸及び３，５，５−トリメチルヘキサン酸から得られるジエステル、２，４−ジエチル−１，５−ペンタンジオールのエチレンオキシド１モル付加物とイソオクタン酸及びイソデカン酸から得られるジエステル、２，４−ジエチル−１，５−ペンタンジオールのエチレンオキシド１モル付加物と２−エチルヘキサン酸及びイソノナン酸から得られるジエステル、２，４−ジエチル−１，５−ペンタンジオールのエチレンオキシド１モル付加物と２−エチルヘキサン酸及び３，５，５−トリメチルヘキサン酸から得られるジエステル、２，４−ジエチル−１，５−ペンタンジオールのエチレンオキシド１モル付加物と２−エチルヘキサン酸及びイソデカン酸から得られるジエステル、２，４−ジエチル−１，５−ペンタンジオールのエチレンオキシド１モル付加物とイソノナン酸及び３，５，５−トリメチルヘキサン酸から得られるジエステル、２，４−ジエチル−１，５−ペンタンジオールのエチレンオキシド１モル付加物とイソノナン酸及びイソデカン酸から得られるジエステル、２，４−ジエチル−１，５−ペンタンジオールのエチレンオキシド１モル付加物と３，５，５−トリメチルヘキサン酸及びイソデカン酸から得られるジエステル、２，４−ジエチル−１，５−ペンタンジオールのエチレンオキシド１モル付加物とｎ−ヘプタン酸及び２−エチルヘキサン酸から得られるジエステル、２，４−ジエチル−１，５−ペンタンジオールのエチレンオキシド１モル付加物とｎ−ヘプタン酸及びイソノナン酸から得られるジエステル、２，４−ジエチル−１，５−ペンタンジオールのエチレンオキシド１モル付加物とｎ−ヘプタン酸及び３，５，５−トリメチルヘキサン酸から得られるジエステル、２，４−ジエチル−１，５−ペンタンジオールのエチレンオキシド１モル付加物とｎ−オクタン酸及びイソヘプタン酸から得られるジエステル、２，４−ジエチル−１，５−ペンタンジオールのエチレンオキシド１モル付加物とｎ−オクタン酸及びイソオクタン酸から得られるジエステル、２，４−ジエチル−１，５−ペンタンジオールのエチレンオキシド１モル付加物とｎ−オクタン酸及び２−エチルヘキサン酸から得られるジエステル、２，４−ジエチル−１，５−ペンタンジオールのエチレンオキシド１モル付加物とｎ−オクタン酸及びイソノナン酸から得られるジエステル、２，４−ジエチル−１，５−ペンタンジオールのエチレンオキシド１モル付加物とｎ−オクタン酸及び３，５，５−トリメチルヘキサン酸から得られるジエステル、２，４−ジエチル−１，５−ペンタンジオールのエチレンオキシド１モル付加物とｎ−ノナン酸及びイソヘプタン酸から得られるジエステル、２，４−ジエチル−１，５−ペンタンジオールのエチレンオキシド１モル付加物とｎ−ノナン酸及びイソオクタン酸から得られるジエステル、２，４−ジエチル−１，５−ペンタンジオールのエチレンオキシド１モル付加物とｎ−ノナン酸及び２−エチルヘキサン酸から得られるジエステル、２，４−ジエチル−１，５−ペンタンジオールのエチレンオキシド１モル付加物とｎ−ノナン酸及びイソノナン酸から得られるジエステル、２，４−ジエチル−１，５−ペンタンジオールのエチレンオキシド１モル付加物とｎ−ノナン酸及び３，５，５−トリメチルヘキサン酸から得られるジエステル、２，４−ジエチル−１，５−ペンタンジオールのエチレンオキシド１モル付加物とｎ−デカン酸及びイソヘプタン酸から得られるジエステル、２，４−ジエチル−１，５−ペンタンジオールのエチレンオキシド１モル付加物とｎ−デカン酸及びイソオクタン酸から得られるジエステル、２，４−ジエチル−１，５−ペンタンジオールのエチレンオキシド１モル付加物とｎ−デカン酸及び２−エチルヘキサン酸から得られるジエステル、２，４−ジエチル−１，５−ペンタンジオールのエチレンオキシド１モル付加物とｎ−デカン酸及びイソノナン酸から得られるジエステル、２，４−ジエチル−１，５−ペンタンジオールのエチレンオキシド１モル付加物とｎ−デカン酸及び３，５，５−トリメチルヘキサン酸から得られるジエステルが例示される。
【００７９】
２，４−ジエチル−１，５−ペンタンジオールのプロピレンオキシド１モル付加物と炭素数７〜１０の直鎖状若しくは分岐鎖状飽和脂肪族モノカルボン酸とのジエステルとしては、具体的には、２，４−ジエチル−１，５−ペンタンジオールのプロピレンオキシド１モル付加物ジ（ｎ−ヘプタノエ−ト）、２，４−ジエチル−１，５−ペンタンジオールのプロピレンオキシド１モル付加物ジ（ｎ−オクタノエート）、２，４−ジエチル−１，５−ペンタンジオールのプロピレンオキシド１モル付加物ジ（ｎ−ノナノエート）、２，４−ジエチル−１，５−ペンタンジオールのプロピレンオキシド１モル付加物ジ（ｎ−デカノエート）、２，４−ジエチル−１，５−ペンタンジオールのプロピレンオキシド１モル付加物とｎ−ヘプタン酸及びｎ−オクタン酸から得られるジエステル、２，４−ジエチル−１，５−ペンタンジオールのプロピレンオキシド１モル付加物とｎ−ヘプタン酸及びｎ−ノナン酸から得られるジエステル、２，４−ジエチル−１，５−ペンタンジオールのプロピレンオキシド１モル付加物とｎ−ヘプタン酸及びｎ−デカン酸から得られるジエステル、２，４−ジエチル−１，５−ペンタンジオールのプロピレンオキシド１モル付加物とｎ−オクタン酸及びｎ−ノナン酸から得られるジエステル、２，４−ジエチル−１，５−ペンタンジオールのプロピレンオキシド１モル付加物とｎ−オクタン酸及びｎ−デカン酸から得られるジエステル、２，４−ジエチル−１，５−ペンタンジオールのプロピレンオキシド１モル付加物とｎ−ノナン酸及びｎ−デカン酸から得られるジエステル、２，４−ジエチル−１，５−ペンタンジオールのプロピレンオキシド１モル付加物ジイソヘプタノエート、２，４−ジエチル−１，５−ペンタンジオールのプロピレンオキシド１モル付加物ジイソオクタノエート、２，４−ジエチル−１，５−ペンタンジオールのプロピレンオキシド１モル付加物ジ（２−エチルヘキサノエート）、２，４−ジエチル−１，５−ペンタンジオールのプロピレンオキシド１モル付加物ジイソノナノエート、２，４−ジエチル−１，５−ペンタンジオールのプロピレンオキシド１モル付加物ジ（３，５，５−トリメチルヘキサノエート）、２，４−ジエチル−１，５−ペンタンジオールのプロピレンオキシド１モル付加物ジイソデカノエート、２，４−ジエチル−１，５−ペンタンジオールのプロピレンオキシド１モル付加物とイソヘプタン酸及びイソオクタン酸から得られるジエステル、２，４−ジエチル−１，５−ペンタンジオールのプロピレンオキシド１モル付加物とイソヘプタン酸及び２−エチルヘキサン酸から得られるジエステル、２，４−ジエチル−１，５−ペンタンジオールのプロピレンオキシド１モル付加物とイソヘプタン酸及びイソノナン酸から得られるジエステル、２，４−ジエチル−１，５−ペンタンジオールのプロピレンオキシド１モル付加物とイソヘプタン酸及び３，５，５−トリメチルヘキサン酸から得られるジエステル、２，４−ジエチル−１，５−ペンタンジオールのプロピレンオキシド１モル付加物とイソヘプタン酸及びイソデカン酸から得られるジエステル、２，４−ジエチル−１，５−ペンタンジオールのプロピレンオキシド１モル付加物とイソオクタン酸及び２−エチルヘキサン酸から得られるジエステル、２，４−ジエチル−１，５−ペンタンジオールのプロピレンオキシド１モル付加物とイソオクタン酸及びイソノナン酸から得られるジエステル、２，４−ジエチル−１，５−ペンタンジオールのプロピレンオキシド１モル付加物とイソオクタン酸及び３，５，５−トリメチルヘキサン酸から得られるジエステル、２，４−ジエチル−１，５−ペンタンジオールのプロピレンオキシド１モル付加物とイソオクタン酸及びイソデカン酸から得られるジエステル、２，４−ジエチル−１，５−ペンタンジオールのプロピレンオキシド１モル付加物と２−エチルヘキサン酸及びイソノナン酸から得られるジエステル、２，４−ジエチル−１，５−ペンタンジオールのプロピレンオキシド１モル付加物と２−エチルヘキサン酸及び３，５，５−トリメチルヘキサン酸から得られるジエステル、２，４−ジエチル−１，５−ペンタンジオールのプロピレンオキシド１モル付加物と２−エチルヘキサン酸及びイソデカン酸から得られるジエステル、２，４−ジエチル−１，５−ペンタンジオールのプロピレンオキシド１モル付加物とイソノナン酸及び３，５，５−トリメチルヘキサン酸から得られるジエステル、２，４−ジエチル−１，５−ペンタンジオールのプロピレンオキシド１モル付加物とイソノナン酸及びイソデカン酸から得られるジエステル、２，４−ジエチル−１，５−ペンタンジオールのプロピレンオキシド１モル付加物と３，５，５−トリメチルヘキサン酸及びイソデカン酸から得られるジエステル、２，４−ジエチル−１，５−ペンタンジオールのプロピレンオキシド１モル付加物とｎ−ヘプタン酸及び２−エチルヘキサン酸から得られるジエステル、２，４−ジエチル−１，５−ペンタンジオールのプロピレンオキシド１モル付加物とｎ−ヘプタン酸及びイソノナン酸から得られるジエステル、２，４−ジエチル−１，５−ペンタンジオールのプロピレンオキシド１モル付加物とｎ−ヘプタン酸及び３，５，５−トリメチルヘキサン酸から得られるジエステル、２，４−ジエチル−１，５−ペンタンジオールのプロピレンオキシド１モル付加物とｎ−オクタン酸及びイソヘプタン酸から得られるジエステル、２，４−ジエチル−１，５−ペンタンジオールのプロピレンオキシド１モル付加物とｎ−オクタン酸及びイソオクタン酸から得られるジエステル、２，４−ジエチル−１，５−ペンタンジオールのプロピレンオキシド１モル付加物とｎ−オクタン酸及び２−エチルヘキサン酸から得られるジエステル、２，４−ジエチル−１，５−ペンタンジオールのプロピレンオキシド１モル付加物とｎ−オクタン酸及びイソノナン酸から得られるジエステル、２，４−ジエチル−１，５−ペンタンジオールのプロピレンオキシド１モル付加物とｎ−オクタン酸及び３，５，５−トリメチルヘキサン酸から得られるジエステル、２，４−ジエチル−１，５−ペンタンジオールのプロピレンオキシド１モル付加物とｎ−ノナン酸及びイソヘプタン酸から得られるジエステル、２，４−ジエチル−１，５−ペンタンジオールのプロピレンオキシド１モル付加物とｎ−ノナン酸及びイソオクタン酸から得られるジエステル、２，４−ジエチル−１，５−ペンタンジオールのプロピレンオキシド１モル付加物とｎ−ノナン酸及び２−エチルヘキサン酸から得られるジエステル、２，４−ジエチル−１，５−ペンタンジオールのプロピレンオキシド１モル付加物とｎ−ノナン酸及びイソノナン酸から得られるジエステル、２，４−ジエチル−１，５−ペンタンジオールのプロピレンオキシド１モル付加物とｎ−ノナン酸及び３，５，５−トリメチルヘキサン酸から得られるジエステル、２，４−ジエチル−１，５−ペンタンジオールのプロピレンオキシド１モル付加物とｎ−デカン酸及びイソヘプタン酸から得られるジエステル、２，４−ジエチル−１，５−ペンタンジオールのプロピレンオキシド１モル付加物とｎ−デカン酸及びイソオクタン酸から得られるジエステル、２，４−ジエチル−１，５−ペンタンジオールのプロピレンオキシド１モル付加物とｎ−デカン酸及び２−エチルヘキサン酸から得られるジエステル、２，４−ジエチル−１，５−ペンタンジオールのプロピレンオキシド１モル付加物とｎ−デカン酸及びイソノナン酸から得られるジエステル、２，４−ジエチル−１，５−ペンタンジオールのプロピレンオキシド１モル付加物とｎ−デカン酸及び３，５，５−トリメチルヘキサン酸から得られるジエステルが例示される。
【００８０】
脂肪族二価アルコールジエステルの製造方法としては、例えば、脂肪族ジオールにアルキレンオキシドを付加させた後、精製（第１工程）することにより、脂肪族ジオールのアルキレンオキシド１モル付加物を得て、当該１モル付加物と脂肪族飽和モノカルボン酸とをエステル化（第２工程）することにより製造される。製造方法には、特に制限がなく、従来公知の製造方法を用いることができる。
【００８１】
＜第１工程＞
第１工程の例としては、触媒の存在下で脂肪族ジオールにエチレンオキシド又はプロピレンオキシドを付加反応させ、脂肪族ジオールのアルキレンオキシド付加反応混合物を得た後、蒸留精製することにより、脂肪族ジオールのアルキレンオキシド１モル付加物を得る工程が例示される。
【００８２】
付加反応の際、エチレンオキシド又はプロピレンオキシドは、脂肪族ジオール１モルに対して、通常０．５〜１．５モル、好ましくは０．８〜１．２モルが推奨される。
【００８３】
触媒としては、アルカリ金属水酸化物、アルカリ土類金属水酸化物、アルカリ金属アルコキシド、アルカリ土類金属酸化物、アミン類等の塩基触媒や鉱酸、カルボン酸、ルイス酸等の酸触媒が例示される。より具体的には、アルカリ金属水酸化物としては、水酸化ナトリウム、水酸化カリウム等、アルカリ土類金属水酸化物としては、水酸化カルシウム、水酸化バリウム等、アルカリ金属アルコキシドとしては、ナトリウムメトキシド、リチウムイソプロポキシド等が例示される。また、鉱酸としては、硫酸、リン酸等、カルボン酸としては、酢酸等、ルイス酸としては、三フッ化ホウ素、塩化アルミニウム等が例示される。その使用量は、例えば、脂肪族ジオールに対して通常０．０１〜５．０重量％程度が用いられる。
【００８４】
付加反応は、通常５０〜２５０℃、好ましくは１００〜２００℃の反応温度で行うことが好ましい。
【００８５】
＜第２工程＞
第２工程の例としては、エステル化触媒存在下で脂肪族ジオールのアルキレンオキシド１モル付加物と脂肪族飽和モノカルボン酸とをエステル化反応させた後、後処理・精製処理することにより、本発明に係る脂肪族二価アルコールジエステルを得る工程が例示される。
【００８６】
エステル化反応の際、脂肪族飽和モノカルボン酸は、脂肪族ジオールのアルキレンオキシド１モル付加物１モルに対して、通常２．０１〜２．１０モル、好ましくは２．０１〜２．０５モル用いられる。
【００８７】
エステル化触媒としては、ルイス酸、スルホン酸誘導体等が例示される。より具体的には、ルイス酸としては、アルミニウム誘導体、錫誘導体、チタン誘導体が例示される。また、スルホン酸誘導体としてはパラトルエンスルホン酸、メタンスルホン酸、硫酸等が例示される。その使用量は、例えば、脂肪族ジオールのアルキレンオキシド１モル付加物と脂肪族飽和モノカルボン酸の総重量に対して、通常０．０１〜５．０重量％程度用いられる。
【００８８】
エステル化反応は、通常１２０〜２５０℃、好ましくは１４０〜２３０℃の反応温度で、不活性ガスの存在下で行うことが好ましい。反応時間としては、通常３〜３０時間程度である。必要に応じて、生成してくる水をベンゼン、トルエン、キシレン、シクロヘキサン等の水同伴剤を用いて系外に共沸留去させてもよい。
【００８９】
エステル化反応終了後、過剰の原料を減圧下又は常圧下にて留去する。引き続き慣用の精製方法、例えば、中和、水洗、液液抽出、減圧蒸留、活性炭等の吸着剤精製により脂肪族二価アルコールジエステルを精製することができる。
【００９０】
また、本発明に係る脂肪族二価アルコールジエステルの製造においては、脂肪族飽和モノカルボン酸に代えて、それに対応する脂肪族飽和モノカルボン酸の炭素数１〜４の低級アルキルエステルを用いることも可能である。この場合、エステル化触媒としては、通常エステル交換触媒能を有するアルカリ金属触媒を使用する。
【００９１】
アルカリ金属触媒として、より具体的には、ナトリウムアルコキシド、カリウムアルコキシド等が例示される。その使用量は、例えば、脂肪族ジオールのアルキレンオキシド１モル付加物と脂肪族飽和モノカルボン酸エステルの総重量に対して通常０．０１〜５．０重量％程度用いられる。
【００９２】
上記脂肪族飽和モノカルボン酸として、直鎖状の脂肪族飽和モノカルボン酸及び分岐鎖状の脂肪族飽和モノカルボン酸からなる混合モノカルボン酸を用いた場合、得られる脂肪族二価アルコールジエステルは、エステル混合物となる。例えば、脂肪族飽和モノカルボン酸として、ｎ−ヘプタン酸及び２−エチルヘキサン酸を用いた場合、得られる脂肪族二価アルコールジエステルは、
（ｉ）ｎ−ヘプタン酸及び２−エチルヘキサン酸からなる混基エステル、
（ｉｉ）ｎ−ヘプタン酸からなるジエステル、及び
（ｉｉｉ）２−エチルヘキサン酸からなるジエステル
で通常構成される。
【００９３】
直鎖状の脂肪族飽和モノカルボン酸と、分岐鎖状の脂肪族飽和モノカルボン酸の使用比率は、特に制限が無く任意の比率で用いることできる。
【００９４】
本発明の潤滑油は、脂肪族二価アルコールジエステルの１種又は２種以上を含有することを特徴とする。
【００９５】
本発明の潤滑油は、冷凍機用潤滑油、エンジン用潤滑油、ギヤ用潤滑油、軸受用潤滑油、自動変速機用潤滑油、無段変速機用潤滑油、パワーステアリング用潤滑油、アクティブサスペンション用潤滑油、ショックアブゾーバー用潤滑油、タービン用潤滑油、コンプレッサー用潤滑油、油圧作動油又はグリース用基油として用いられる。
【００９６】
上記の軸受用潤滑油の中でも、本発明の潤滑油は、スピンドルモータ用潤滑油として好適に用いられ、特に動圧流体軸受用又は焼結含油軸受用潤滑油として好適に用いられる。
【００９７】
また、本発明の潤滑油は、鉄系軸受、銅系軸受、鉛系軸受等の種々の材質の軸受に使用することができる。
【００９８】
本発明の潤滑油において、スピンドルモータ用潤滑油として用いる場合の４０℃における動粘度としては、通常１〜２０ｍｍ２／ｓの範囲が推奨され、さらに好ましくは５〜１４ｍｍ２／ｓの範囲、特に７〜１３．５ｍｍ２／ｓの範囲が推奨される。なお、上記動粘度は、後記実施例に記載した方法にて得られる値である。
【００９９】
本発明の潤滑油において、スピンドルモータ用潤滑油として用いる場合の粘度指数としては、通常１２０以上が推奨され、さらに好ましくは１３０以上、特に１５０以上が推奨される。なお、上記粘度指数は、後記実施例に記載した方法にて得られる値である。
【０１００】
本発明の潤滑油において、スピンドルモータ用潤滑油として用いる場合の低温での流動性は、例えば、低温流動性試験によって評価することができる。低温流動性試験は、通常０℃以下が推奨され、さらに好ましくは−１５℃以下、特に−２５℃以下が推奨される。なお、上記低温流動性試験は、後記実施例に記載した方法にて得られる値である。
【０１０１】
本発明の潤滑油において、スピンドルモータ用潤滑油として用いる場合の導電性は、例えば、体積抵抗率によって評価することができる。体積抵抗率は、通常８．０Ｅ＋１２Ω・ｃｍ以下が推奨され、さらに好ましくは５．０Ｅ＋１２Ω・ｃｍ以下、特に１．０Ｅ＋１２Ω・ｃｍ以下が推奨される。なお、上記体積抵抗率は、後記実施例に記載した方法にて得られる値である。
【０１０２】
本発明の潤滑油において、スピンドルモータ用潤滑油として用いる場合の耐熱性は、例えば、耐熱性試験によって評価することができる。耐熱性試験は、通常６重量％以下が推奨され、さらに好ましくは５重量％以下、特に４重量％以下が推奨される。なお、上記耐熱性試験は、後記実施例に記載した方法にて得られる値である。
【０１０３】
本発明の潤滑油は、脂肪族二価アルコールジエステルを潤滑油基油としての使用目的で含む潤滑油であるか、又は脂肪族二価アルコールジエステルと他の基油（以下、「併用基油」という。）との混合物を潤滑油基油としての使用目的で含む潤滑油であり、当該潤滑油基油に対して、脂肪族二価アルコールジエステルを、１５〜１００重量部、好ましくは４０〜１００重量％、更に好ましくは６０〜１００重量％、特に好ましくは８０〜１００重量％含有する。
【０１０４】
本明細書及び特許請求の範囲において「潤滑油基油」とは、本発明の潤滑油が脂肪族二価アルコールジエステルのみを基油としての使用目的で含む場合は、脂肪族二価アルコールジエステルを指し、本発明の潤滑油が脂肪族二価アルコールジエステルと併用基油との混合物を基油としての使用目的で含む場合には、脂肪族二価アルコールジエステルと併用基油との混合物を指す。
【０１０５】
上記併用基油としては、鉱物油（石油の精製によって得られる炭化水素油）、ポリ−α−オレフィン、ポリブテン、アルキルベンゼン、アルキルナフタレン、脂環式炭化水素油、フィッシャートロプシュ法によって得られる合成炭化水素の異性化油などの合成炭化水素油、動植物油、本エステル以外の有機酸エステル、ポリアルキレングリコール、ポリビニルエーテル、ポリフェニルエーテル、アルキルフェニルエーテル、シリコーン油が例示され、係る併用基油の少なくとも１種を適宜併用することができる。
【０１０６】
鉱物油としては、溶剤精製鉱油、水素化精製鉱油、ワックス異性化油が挙げられるが、通常、１００℃における動粘度が１．０〜２５ｍｍ２／ｓ、好ましくは２．０〜２０．０ｍｍ２／ｓの範囲にあるものが用いられる。
【０１０７】
ポリ−α−オレフィンとしては、炭素数２〜１６のα−オレフィン（例えばエチレン、プロピレン、１−ブテン、１−ヘキセン、１−オクテン、１−デセン、１−ドデセン、１−テトラデセン、１ーヘキサデセン等）の重合体又は共重合体であって、１００℃における動粘度が１．０〜２５ｍｍ２／ｓ、粘度指数が１００以上のものが例示され、特に１００℃における動粘度が１．５〜２０．０ｍｍ２／ｓで、粘度指数が１２０以上のものが好ましい。
【０１０８】
ポリブテンとしては、イソブチレンを重合したもの、イソブチレンをノルマルブチレンと共重合したものがあり、一般に１００℃の動粘度が２．０〜４０ｍｍ２／ｓの広範囲のものが挙げられる。
【０１０９】
アルキルベンゼンとしては、炭素数１〜４０の直鎖又は分岐のアルキル基で置換された、分子量が２００〜４５０であるモノアルキルベンゼン、ジアルキルベンゼン、トリアルキルベンゼン、テトラアルキルベンゼン等が例示される。
【０１１０】
アルキルナフタレンとしては、炭素数１〜３０の直鎖又は分岐のアルキル基で置換されたモノアルキルナフタレン、ジアルキルナフタレン等が例示される。
【０１１１】
動植物油としては、牛脂、豚脂、パーム油、ヤシ油、ナタネ油、ヒマシ油、ヒマワリ油等が例示される。
【０１１２】
脂肪族二価アルコールジエステル以外の有機酸エステルとしては、脂肪酸モノエステル、脂肪族二塩基酸ジエステル、ポリオールエステル及びその他のエステルが例示される。
【０１１３】
脂肪酸モノエステルとしては、炭素数５〜２２の脂肪族直鎖状又は分岐鎖状モノカルボン酸と炭素数３〜２２の直鎖状又は分岐鎖状の飽和若しくは不飽和の脂肪族アルコールとのエステルが挙げられる。
【０１１４】
脂肪族二塩基酸ジエステルとしては、シュウ酸、マロン酸、コハク酸、グルタル酸、アジピン酸、ピメリン酸、スベリン酸、アゼライン酸、セバシン酸、１，９−ノナメチレンジカルボン酸、１，１０−デカメチレンジカルボン酸等脂肪族二塩基酸若しくはその無水物と炭素数３〜２２の直鎖状又は分岐鎖状の飽和若しくは不飽和の脂肪族アルコールとのフルエステルが挙げられる。
【０１１５】
ポリオールエステルとしては、ネオペンチルグリコール、２，２−ジエチルプロパンジオール、２−ブチル２−エチルプロパンンジオール、トリメチロールエタン、トリメチロールプロパン、ペンタエリスリトール、ジトリメチロールプロパン、ジペンタエリスリトール等のネオペンチル型構造のポリオール、１，３−プロパンジオール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１，２−プロパンジオール、２−メチル−１，３−プロパンジオール、１，３−ブタンジオール、２−メチル−１，４−ブタンジオール、１，４−ペンタンジオール、２−メチル−１，５−ペンタンジオール、３−メチル−１，５−ペンタンジオール、１，５−ヘキサンジオール、２−メチル−１，６−ヘキサンジオール、３−メチル−１，６−ヘキサンジオール、１，６−ヘプタンジオール、２−メチル−１，７−ヘプタンジオール、３−メチル−１，７−ヘプタンジオール、４−メチル−１，７−ヘプタンジオール、１，７−オクタンジオール、２−メチル−１，８−オクタンジオール、３−メチル−１，８−オクタンジオール、４−メチル−１，８−オクタンジオール、１，８−ノナンジオール、２−メチル−１，９−ノナンジオール、３−メチル−１，９−ノナンジオール、４−メチル−１，９−ノナンジオール、５−メチル−１，９−ノナンジオール、２−エチル−１，３−ヘキサンジオール、２，４−ジエチル−１，５−ペンタンジオール、グリセリン、ポリグリセリン、ソルビトール等の非ネオペンチル型構造のポリオールと炭素数３〜２２の直鎖状及び／又は分岐鎖状の飽和又は不飽和の脂肪酸とのフルエステルを使用することが可能である。
【０１１６】
その他のエステルとしては、ダイマー酸、水添ダイマー酸などの重合脂肪酸、或いは、縮合ヒマシ油脂肪酸、水添縮合ヒマシ油脂肪酸などのヒドロキシ脂肪酸と炭素数３〜２２の直鎖状若しくは分岐鎖状の飽和又は不飽和の脂肪族アルコールとのエステルが挙げられる。
【０１１７】
ポリアルキレングリコールとしては、アルコールと炭素数２〜４の直鎖状若しくは分岐鎖状のアルキレンオキシドの開環重合体が例示される。アルキレンオキシドとしてはエチレンオキシド、プロピレンオキシド、ブチレンオキシドが挙げられ、これらの１種を用いた重合体、若しくは２種以上の混合物を用いた共重合体が使用可能である。又、片端又は両端の水酸基部分がエーテル化した化合物も使用可能である。重合体の動粘度としては、５．０〜１０００ｍｍ２／ｓ（４０℃）、好ましくは５．０〜５００ｍｍ２／ｓ（４０℃）である。
【０１１８】
ポリビニルエーテルとしては、ビニルエーテルモノマーの重合によって得られる化合物であり、モノマーとしてはメチルビニルエーテル、エチルビニルエーテル、イソプロピルビニルエーテル、ｎ−ブチルビニルエーテル、イソブチルビニルエーテル、ｓｅｃ−ブチルビニルエーテル、ｔｅｒｔ−ブチルビニルエーテル、ｎ−ペンチルビニルエーテル、ｎ−ヘキシルビニルエーテル、２−メトキシエチルビニルエーテル、２−エトキシエチルビニルエーテル等が挙げられる。重合体の動粘度としては、５．０〜１０００ｍｍ２／ｓ（４０℃）、好ましくは５．０〜５００ｍｍ２／ｓ（４０℃）である。
【０１１９】
ポリフェニルエーテルとしては、２個以上の芳香環のメタ位をエーテル結合又はチオエーテル結合でつないだ構造を有する化合物が挙げられ、具体的には、ビス（ｍ−フェノキシフェニル）エーテル、ｍ−ビス（ｍ−フェノキシフェノキシ）ベンゼン、及びそれらの酸素の１個若しくは２個以上を硫黄に置換したチオエーテル類（通称Ｃ−エーテル）等が例示される。
【０１２０】
アルキルフェニルエーテルとしては、ポリフェニルエーテルを炭素数６〜１８の直鎖状若しくは分岐鎖状のアルキル基で置換した化合物が挙げられ、特に１個以上のアルキル基で置換したアルキルジフェニルエーテルが好ましい。
【０１２１】
シリコーン油としては、ジメチルシリコーン、メチルフェニルシリコーンのほか、長鎖アルキルシリコーン、フルオロシリコーン等の変性シリコーンが挙げられる。
【０１２２】
＜スピンドルモータ用潤滑油組成物＞
本発明のスピンドルモータ用潤滑油組成物は、上記の潤滑油の性能を向上させるために、潤滑油（即ち、脂肪族二価アルコールジエステルのみからなる潤滑油、又は脂肪族二価アルコールジエステル及び併用基油）に加えて、酸化防止剤を配合したスピンドルモータ用潤滑油組成物である。
【０１２３】
酸化防止剤としては、フェノール系酸化防止剤、アミン系酸化防止剤、硫黄系酸化防止剤等が挙げられる。その中でも、フェノール系酸化防止剤、アミン系酸化防止剤が推奨される。
【０１２４】
フェノール系酸化防止剤としては、この分野で使用されている公知のものが特に制限されることなく使用できる。これらフェノール系酸化防止剤のうちでも、特に、分子内に硫黄を含有しない炭素数６〜１００、好ましくは１０〜８０のものが好ましい。
【０１２５】
具体的には、２，６−ジ−ｔ−ブチルフェノール、２，６−ジ−ｔ−ブチル−ｐ−クレゾール、４，４’−メチレンビス（２，６−ジ−ｔ−ブチルフェノール）、４，４’−ブチリデンビス（３−メチル−６−ｔ−ブチルフェノール）、２，２’−メチレンビス（４−エチル−６−ｔ−ブチルフェノール）、２，２’−メチレンビス（４−メチル−６−ｔ−ブチルフェノール）、４，４’−イソプロピリデンビスフェノール、２，４−ジメチル−６−ｔ−ブチルフェノール、テトラキス［メチレン−３−（３，５−ジ−ｔ−ブチル−４−ヒドロキシフェニル）プロピオネート］メタン、１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、２，２’−ジヒドロキシ−３，３’−ジ（α−メチルシクロヘキシル）−５，５’−ジメチル−ジフェニルメタン、２，２’−イソブチリデンビス（４，６−ジメチルフェノール）、２，６−ビス（２’−ヒドロキシ−３’−ｔ−ブチル−５’−メチルベンジル）−４−メチルフェノール、１，１’−ビス（４−ヒドロキシフェニル）シクロヘキサン、２，５−ジ−ｔ−アミルヒドロキノン、２，５−ジ−ｔ−ブチルヒドロキノン、１，４−ジヒドロキシアントラキノン、３−ｔ−ブチル−４−ヒドロキシアニソール、２−ｔ−ブチル−４−ヒドロキシアニソール、２，４−ジベンゾイルレゾルシノール、４−ｔ−ブチルカテコール、２，６−ジ−ｔ−ブチル−４−エチルフェノール、２−ヒドロキシ−４−メトキシベンゾフェノン、２，４−ジヒドロキシベンゾフェノン、２，２’−ジヒドロキシ−４−メトキシベンゾフェノン、２，４，５−トリヒドロキシベンゾフェノン、α−トコフェロール、ビス［２−（２−ヒドロキシ−５−メチル−３−ｔ−ブチルベンジル）−４−メチル−６−ｔ−ブチルフェニル］テレフタレート、トリエチレングリコール−ビス［３−（３−ｔ−ブチル−５−メチル−４−ヒドロキシフェニルプロピオネート］、１，６−ヘキサンジオール−ビス［３−（３，５−ジ−ｔ−ブチル−４−ヒドロキシフェニル）プロピオネート］等が例示される。この中でも、特に、２，６−ジ−ｔ−ブチルフェノール、２，６−ジ−ｔ−ブチル−ｐ−クレゾール、４，４’−メチレンビス（２，６−ジ−ｔ−ブチルフェノール）、４，４’−ブチリデンビス（３−メチル−６−ｔ−ブチルフェノール）、２，２’−メチレンビス（４−エチル−６−ｔ−ブチルフェノール）、２，２’−メチレンビス（４−メチル−６−ｔ−ブチルフェノール）、４，４’−イソプロピリデンビスフェノール、２，４−ジメチル−６−ｔ−ブチルフェノール、テトラキス［メチレン−３−（３，５−ジ−ｔ−ブチル−４−ヒドロキシフェニル）プロピオネート］メタン、１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、２，６−ジ−ｔ−ブチル−４−エチルフェノール、ビス［２−（２−ヒドロキシ−５−メチル−３−ｔ−ブチルベンジル）−４−メチル−６−ｔ−ブチルフェニル］テレフタレ��ト、トリエチレングリコール−ビス［３−（３−ｔ−ブチル−５−メチル−４−ヒドロキシフェニルプロピオネート］、１，６−ヘキサンジオール−ビス［３−（３，５−ジ−ｔ−ブチル−４−ヒドロキシフェニル）プロピオネート］が好ましく、更には、２，６−ジ−ｔ−ブチル−ｐ−クレゾール、４，４’−メチレンビス（２，６−ジ−ｔ−ブチルフェノール）、２，６−ジ−ｔ−ブチル−４−エチルフェノールが最も好ましい。
【０１２６】
フェノール系酸化防止剤は１種単独で若しくは２種以上を組み合わせて用いてもよく、その添加量は、通常、スピンドルモータ用潤滑油に対して、０．０１〜５重量％であり、好ましくは０．１〜２重量％である。
【０１２７】
アミン系酸化防止剤としては、この分野で使用されている公知のものが特に制限されることなく使用できる。これらアミン系酸化防止剤のうちでも、特に、分子中に硫黄を含有しない炭素数６〜６０のものであり、好ましくは１０〜４０のものが好ましい。
【０１２８】
具体的には、ジフェニルアミン、モノブチル（直鎖及び分岐鎖を含む）ジフェニルアミン、モノペンチル（直鎖及び分岐鎖を含む）ジフェニルアミン、モノヘキシル（直鎖及び分岐鎖を含む）ジフェニルアミン、モノヘプチル（直鎖及び分岐鎖を含む）ジフェニルアミン、モノオクチル（直鎖及び分岐鎖を含む）ジフェニルアミン等のモノアルキルジフェニルアミン、特にモノ（Ｃ４−Ｃ９アルキル）ジフェニルアミン（即ち、ジフェニルアミンの二つのベンゼン環の一方が、アルキル基、特にＣ４−Ｃ９アルキル基でモノ置換されているもの、即ち、モノアルキル置換されたジフェニルアミン）、ｐ，ｐ’−ジブチル（直鎖及び分岐鎖を含む）ジフェニルアミン、ｐ，ｐ’−ジペンチル（直鎖及び分岐鎖を含む）ジフェニルアミン、ｐ，ｐ’−ジヘキシル（直鎖及び分岐鎖を含む）ジフェニルアミン、ｐ，ｐ’−ジヘプチル（直鎖及び分岐鎖を含む）ジフェニルアミン、ｐ，ｐ’−ジオクチル（直鎖及び分岐鎖を含む）ジフェニルアミン、ｐ，ｐ’−ジノニル（直鎖及び分岐鎖を含む）ジフェニルアミン等のジ（アルキルフェニル）アミン、特にｐ，ｐ’−ジ（Ｃ４−Ｃ９アルキルフェニル）アミン（即ち、ジフェニルアミンの二つのベンゼン環の各々が、アルキル基、特にＣ４−Ｃ９アルキル基でモノ置換されているジアルキル置換のジフェニルアミンであって、二つのアルキル基が同一であるもの）、ジ（モノＣ４−Ｃ９アルキルフェニル）アミンであって、一方のベンゼン環上のアルキル基が他方のベンゼン環上のアルキル基と異なるもの、ジ（ジ−Ｃ４−Ｃ９アルキルフェニル）アミンであって、二つのベンゼン環上の４つのアルキル基のうちの少なくとも１つが残りのアルキル基と異なるもの等のジフェニルアミン類；Ｎ−フェニル−１−ナフチルアミン、Ｎ−フェニル−２−ナフチルアミン、４−オクチルフェニル−１−ナフチルアミン、４−オクチルフェニル−２−ナフチルアミン等のナフチルアミン類；ｐ−フェニレンジアミン、Ｎ−フェニル−Ｎ’−イソプロピル−ｐ−フェニレンジアミン、Ｎ−フェニル−Ｎ’−（１，３−ジメチルブチル）−ｐ−フェニレンジアミン等のフェニレンジアミン類等が例示される。この中でも、特に、ｐ，ｐ’−ジオクチル（直鎖及び分岐鎖を含む）ジフェニルアミン、ｐ，ｐ’−ジノニル（直鎖及び分岐鎖を含む）ジフェニルアミン、Ｎ−フェニル−１−ナフチルアミンが好ましい。なお、本明細書において「（直鎖及び分岐鎖を含む」とは、直鎖アルキル及び分岐鎖アルキルの一方又は双方を含むという意味である。
【０１２９】
アミン系酸化防止剤は１種若しくは２種以上を組み合わせて用い、その添加量は、通常、スピンドルモータ用潤滑油に対して、０．０１〜５重量％であり、好ましくは０．１〜２重量％である。
【０１３０】
フェノール系酸化防止剤とアミン系酸化防止剤は、それぞれの１種若しくは２種以上を組み合わせて用いることが可能である。両者の比率は、特に制限されず広い範囲から適宜選択できるが、一般にはフェノール系酸化防止剤（Ｉ）のアミン系酸化防止剤（ＩＩ）に対する重量比が、（Ｉ）：（ＩＩ）＝１：０．０５〜２０、特に１：０．２〜５となるように併用するのが好ましい。
【０１３１】
好ましい組み合わせとしては、２，６−ジ−ｔ−ブチル−ｐ−クレゾール、４，４’−メチレンビス（２，６−ジ−ｔ−ブチルフェノール）及び２，６−ジ−ｔ−ブチル−４−エチルフェノールからなる群から選ばれる１種若しくは２種以上と、ｐ，ｐ’−ジオクチル（直鎖及び分岐鎖を含む）ジフェニルアミン、ｐ，ｐ’−ジノニル（直鎖及び分岐鎖を含む）ジフェニルアミン、及びＮ−フェニル−１−ナフチルアミンからなる群から選ばれる１種若しくは２種以上からなる組み合わせが例示される。
【０１３２】
具体的には、以下の組み合わせが好ましい：
・２，６−ジ−ｔ−ブチル−ｐ−クレゾール＋ｐ，ｐ’−ジオクチル（直鎖及び分岐鎖を含む）ジフェニルアミン、
・２，６−ジ−ｔ−ブチル−ｐ−クレゾール＋ｐ，ｐ’−ジノニル（直鎖及び分岐鎖を含
む）ジフェニルアミン、
・２，６−ジ−ｔ−ブチル−ｐ−クレゾール＋Ｎ−フェニル−１−ナフチルアミン、
・４，４’−メチレンビス（２，６−ジ−ｔ−ブチルフェノール）＋ｐ，ｐ’−ジオクチ
ル（直鎖及び分岐鎖を含む）ジフェニルアミン、
・４，４’−メチレンビス（２，６−ジ−ｔ−ブチルフェノール）＋ｐ，ｐ’−ジノニル
（直鎖及び分岐鎖を含む）ジフェニルアミン、
・４，４’−メチレンビス（２，６−ジ−ｔ−ブチルフェノール）＋Ｎ−フェニル−１−
ナフチルアミン、
・２，６−ジ−ｔ−ブチル−４−エチルフェノール＋ｐ，ｐ’−ジオクチル（直鎖及び分
岐鎖を含む）ジフェニルアミン、
・２，６−ジ−ｔ−ブチル−４−エチルフェノール＋ｐ，ｐ’−ジノニル（直鎖及び分岐
鎖を含む）ジフェニルアミン、
・２，６−ジ−ｔ−ブチル−４−エチルフェノール＋Ｎ−フェニル−１−ナフチルアミン
等が例示される。この中でも耐熱性に優れる点で、より効果的な組み合わせとして、
・４，４’−メチレンビス（２，６−ジ−ｔ−ブチルフェノール）＋ｐ，ｐ’−ジオクチ
ル（直鎖及び分岐鎖を含む）ジフェニルアミン、
・４，４’−メチレンビス（２，６−ジ−ｔ−ブチルフェノール）＋ｐ，ｐ’−ジノニル
（直鎖及び分岐鎖を含む）ジフェニルアミン、
・４，４’−メチレンビス（２，６−ジ−ｔ−ブチルフェノール）＋Ｎ−フェニル−１−
ナフチルアミン
等が推奨される。
【０１３３】
フェノール系酸化防止剤とアミン系酸化防止剤を組み合わせたその添加量は、通常、スピンドルモータ用潤滑油に対して、０．０１〜５重量％であり、好ましくは０．１〜２重量％である。
【０１３４】
上記のスピンドルモータ用潤滑油組成物の性能をさらに向上させるために、金属清浄剤、無灰分散剤、油性剤、摩耗防止剤、極圧剤、金属不活性剤、防錆剤、粘度指数向上剤、流動点降下剤、消泡剤、加水分解抑制剤等の添加剤の少なくとも１種を適宜配合することも可能である。これらの配合量は、本発明の効果を奏する限り特に限定されるものではないが、その具体的な例を以下に示す。
【０１３５】
金属清浄剤としては、Ｃａ−石油スルフォネート、過塩基性Ｃａ−石油スルフォネート、Ｃａ−アルキルベンゼンスルフォネート、過塩基性Ｃａ−アルキルベンゼンスルフォネート、Ｂａ−アルキルベンゼンスルフォネート、過塩基性Ｂａ−アルキルベンゼンスルフォネート、Ｍｇ−アルキルベンゼンスルフォネート、過塩基性Ｍｇ−アルキルベンゼンスルフォネート、Ｎａ−アルキルベンゼンスルフォネート、過塩基性Ｎａ−アルキルベンゼンスルフォネート、Ｃａ−アルキルナフタレンスルフォネート、過塩基性Ｃａ−アルキルナフタレンスルフォネート等の金属スルフォネート、Ｃａ−フェネート、過塩基性Ｃａ−フェネート、Ｂａ−フェネート、過塩基性Ｂａ−フェネート等の金属フェネート、Ｃａ−サリシレート、過塩基性Ｃａ−サリシレート等の金属サリシレート、Ｃａ−フォスフォネート、過塩基性Ｃａ−フォスフォネート、Ｂａ−フォスフォネート、過塩基性Ｂａ−フォスフォネート等の金属フォスフォネート、過塩基性Ｃａ−カルボキシレート等が使用可能である。これらの金属清浄剤は、使用する場合、スピンドルモータ用潤滑油に対して、通常、１〜１０重量％程度、好ましくは２〜７重量％程度添加するのがよい。
【０１３６】
無灰分散剤としては、ポリアルケニルコハク酸イミド、ポリアルケニルコハク酸アミド、ポリアルケニルベンジルアミン、ポリアルケニルコハク酸エステル等が例示される。これらの無灰分散剤は、単独で又は組合わせて用いてもよく、これを使用する場合、通常、スピンドルモータ用潤滑油に対して、１〜１０重量％、好ましくは２〜７重量％添加することが望ましい。
【０１３７】
油性剤としては、ステアリン酸、オレイン酸などの脂肪族飽和及び不飽和モノカルボン酸、ダイマー酸、水添ダイマー酸などの重合脂肪酸、リシノレイン酸、１２−ヒドロキシステアリン酸などのヒドロキシ脂肪酸、ラウリルアルコール、オレイルアルコールなどの脂肪族飽和及び不飽和モノアルコール、ステアリルアミン、オレイルアミンなどの脂肪族飽和及び不飽和モノアミン、ラウリン酸アミド、オレイン酸アミドなどの脂肪族飽和及び不飽和モノカルボン酸アミド、バチルアルコール、キミルアルコール、セラキルアルコールなどのグリセリンエーテル、ラウリルポリグリセリンエーテル、オレイルポリグリセリルエーテルなどのアルキル若しくはアルケニルポリグリセリルエーテル、ジ（２−エチルヘキシル）モノエタノールアミン、ジイソトリデシルモノエタノールアミンなどのアルキル若しくはアルケニルアミンのポリ（アルキレンオキサイド）付加物等が例示される。これらの油性剤は、単独で又は組合わせて用いてもよく、これを使用する場合、通常、スピンドルモータ用潤滑油に対して、０．０１重量％〜５重量％、好ましくは０．１重量％〜３重量％添加することが望ましい。
【０１３８】
摩耗防止剤・極圧剤としては、トリクレジルホスフェート、クレジルジフェニルホスフェート、アルキルフェニルホスフェート類、トリブチルホスフェート、ジブチルホスフェート等のリン酸エステル類、トリブチルホスファイト、ジブチルホスファイト、トリイソプロピルホスファイト等の亜リン酸エステル類及びこれらのアミン塩等のリン系、硫化油脂、硫化オレイン酸などの硫化脂肪酸、ジベンジルジスルフィド、硫化オレフィン、ジアルキルジスルフィドなどの硫黄系、Ｚｎ−ジアルキルジチオフォスフェート、Ｚｎ−ジアルキルジチオフォスフェート、Ｍｏ−ジアルキルジチオフォスフェート、Ｍｏ−ジアルキルジチオカルバメートなどの有機金属系化合物等が例示される。これらの摩耗防止剤は、単独で又は組み合わせて用いてもよく、これを使用する場合、通常、スピンドルモータ用潤滑油に対して、０．０１〜１０重量％、好ましくは０．１〜５重量％添加することが望ましい。
【０１３９】
金属不活性剤としては、ベンゾトリアゾール系、チアジアゾール系、没食子酸エステル系の化合物等が例示される。これらの金属不活性剤は、単独で又は組み合わせて用いてもよく、これを使用する場合、通常、スピンドルモータ用潤滑油に対して、０．０１〜０．４重量％、好ましくは０．０１〜０．２重量％添加することが望ましい。
【０１４０】
防錆剤としては、ドデセニルコハク酸ハーフエステル、オクタデセニルコハク酸無水物、ドデセニルコハク酸アミドなどのアルキル又はアルケニルコハク酸誘導体、ソルビタンモノオレエート、グリセリンモノオレエート、ペンタエリスリトールモノオレエートなどの多価アルコール部分エステル、Ｃａ−石油スルフォネート、Ｃａ−アルキルベンゼンスルフォネート、Ｂａ−アルキルベンゼンスルフォネート、Ｍｇ−アルキルベンゼンスルフォネート、Ｎａ−アルキルベンゼンスルフォネート、Ｚｎ−アルキルベンゼンスルフォネート、Ｃａ−アルキルナフタレンスルフォネートなどの金属スルフォネート、ロジンアミン、Ｎ−オレイルザルコシンなどのアミン類、ジアルキルホスファイトアミン塩等が例示される。これらの防錆剤は、単独で又は組み合わせて用いてもよく、これを使用する場合、通常、スピンドルモータ用潤滑油に対して、０．０１〜５重量％、好ましくは０．０５〜２重量％添加することが望ましい。
【０１４１】
粘度指数向上剤としては、ポリアルキルメタクリレート、ポリアルキルスチレン、ポリブテン、エチレン−プロピレン共重合体、スチレン−ジエン共重合体、スチレン−無水マレイン酸エステル共重合体などのオレフィン共重合体が例示される。これらの粘度指数向上剤は、単独で又は組み合わせて用いてもよく、これを使用する場合、通常、スピンドルモータ用潤滑油に対して、０．１〜１５重量％、好ましくは０．５〜７重量％添加することが望ましい。
【０１４２】
流動点降下剤としては、塩素化パラフィンとアルキルナフタレンの縮合物、塩素化パラフィンとフェノールの縮合物、既述の粘度指数向上剤であるポリアルキルメタクリレート、ポリアルキルスチレン、ポリブテン等が例示される。これらの流動点降下剤は、単独で又は組み合わせて用いてもよく、これを使用する場合、通常、スピンドルモータ用潤滑油に対して、０．０１〜５重量％、好ましくは０．１〜３重量％添加することが望ましい。
【０１４３】
消泡剤としては、液状シリコーンが適しており、これを使用する場合、その添加量は、通常、スピンドルモータ用潤滑油に対して、０．０００５〜０．０１重量％である。
【０１４４】
加水分解抑制剤としては、アルキルグリシジルエーテル類、アルキルグリシジルエステル類、アルキレングリコールグリシジルエーテル類、脂環式エポキシ類、フェニルグリシジルエーテルなどのエポキシ化合物、ジ−ｔｅｒｔ−ブチルカルボジイミド、１，３−ジ−ｐ−トリルカルボジイミドなどのカルボジイミド化合物が使用可能であり、通常、スピンドルモータ用潤滑油に対して、０．０５〜２重量％添加するのが望ましい。
【０１４５】
＜流体軸受＞
本発明の流体軸受は、上記のスピンドルモータ用潤滑油組成物を用いることを特徴とし、流体軸受の具体的な例としては、図１に示すものが挙げられる。図１は、本発明の流体軸受の概略構成を模式的に示した断面図の一例である。
【０１４６】
本発明の流体軸受は、ボールベアリング等の機構を有さず、軸とスリーブとからなり、それらの間に収容された潤滑油組成物によって互いに直接接触することがないように間隔が保持される流体軸受であれば、機械的に特に限定されるものではない。図１の流体軸受は、軸（１）に、ラジアル動圧発生溝（３）及び（４）とスラストプレート（７）の上下に、スラスト動圧発生溝（５）及び（６）が設けた流体軸受の例である。これらの動圧溝（３）、（４）、（５）及び（６）は、本例ではヘリングボーン形状に形成されているが、必ずしもこの形状に限定されず、スパイラル形状、円弧形状、直線形状などに形成されても良い。
【０１４７】
また、ラジアル動圧発生溝（３）及び（４）は軸（１）の外周面の代わりにスリーブ（２）の内周面に形成されても良く、ストラス動圧発生溝（５）及び（６）は、それぞれスリーブ（２）の下端面とカウンタープレート（８）の上面の代わりにスラストプレート（７）の上面と下面に形成しても良い。これらの動圧溝（３）、（４）、（５）及び（６）と、それぞれが臨む各対向面との間の微小隙間には、本発明の潤滑油組成物（９）が封入されている。
【０１４８】
以上の構成を有する流体軸受において、例えば軸（１）が回転駆動されると、動圧溝（３）及び（４）によって微小隙間内の潤滑油組成物にラジアル方向の動圧が発生するとともに、軸受面によって微小隙間内の潤滑油組成物にアキシャル方向の動圧（スラスト力）が発生するため、これらの動圧によってスラストプレート（７）付き軸（１）がスリーブ（２）及びカウンタープレート（８）に対して非接触状態で高速回転する。
【０１４９】
本発明の流体軸受は、基油自体の安定性、粘度特性、低温特性、且つ耐揮発性が良好なスピンドルモータ用潤滑油を用いたスピンドルモータ用潤滑油組成物を潤滑油（９）として用いているので、潤滑油組成物の保持量を増やさずに従来の潤滑油組成物を用いた流体軸受よりも長い軸受寿命が得られる。従って、小型で高精度・高速回転が求められるスピンドルモータ等に適用される流体軸受として好適である。
【０１５０】
＜スピンドルモータ＞
本発明のスピンドルモータは、上記の流体軸受を用いることを特徴とし、スピンドルモータの具体的な例としては、図２に示すものが挙げられる。図２は、本発明のスピンドルモータの概略構成を模式的に示した断面図の一例である。
【０１５１】
本発明のスピンドルモータは、ベース（１１）に形成された壁にステータコイル（１２）が設けられ、ハブ（１０）の内周面にステータコイル（１２）と対向してロータマグネット（１３）が取り付けられて、モータ駆動部が構成されている。このモータ駆動部により回転部が回転駆動すると、ラジアル方向、スラスト方向ともに、潤滑油組成物（９）に動圧が発生し、回転部と固定部とが非接触で回転が支持される。
【実施例】
【０１５２】
以下に実施例を掲げて本発明を詳しく説明するが、本発明はこれら実施例に限定されるものではない。また、各例における潤滑油の物理特性及び化学特性は以下の方法により評価した。
【０１５３】
（ａ）全酸価
ＪＩＳ−Ｋ−２５０１（１９９２）に準拠して測定した。
【０１５４】
（ｂ）動粘度
ＪＩＳ−Ｋ−２２８３（２０００）に準拠して、４０℃、１００℃における動粘度を測定した。但し、０℃動粘度はＪＩＳ−Ｋ−２２８３（２０００）に規定される動粘度−温度関係式より算出した。
【０１５５】
（ｃ）粘度指数
ＪＩＳ−Ｋ−２２８３（２０００）に準拠して算出した。
【０１５６】
（ｄ）低温流動性試験
ＪＩＳ−Ｋ−２２６９（１９８７）に準拠して流動点を測定した。
【０１５７】
（ｅ）体積抵抗率
ＪＩＳ−Ｃ−２１０１（１９９９）に準拠して２５℃における体積抵抗率を測定した。
【０１５８】
（ｆ）耐熱性試験
実施例又は比較例の各々のエステルに対し、２，２’−メチレンビス−２，６−ジ−ｔｅｒｔ−ブチルフェノール（東京化成工業（株）製）、ＩＲＧＡＮＯＸ Ｌ５７（ＢＡＳＦ社製）、各０．５重量％を添加溶解させて潤滑油（以下、この組成のものを「添加油」という。）を調製した。添加油を、内径５３ｍｍ、高さ５６ｍｍの５０ｍｌビーカーに約２ｇを秤量し、２００ｍｌビーカーで蓋をした後、オーブン中１５０℃で７日間加熱した。加熱後の添加油の揮発量は下記の式に従い算出し、揮発量が少ないものほど耐熱性に優れる。
揮発量（％）＝［（Ｗ０−Ｗ）／Ｗ０］×１００
［式中、Ｗ０は試験前の重量を示し、Ｗは試験後の重量を示す。］。
【０１５９】
（ｇ）プロトン核磁気共鳴スペクトル（１Ｈ−ＮＭＲ）
１Ｈ−ＮＭＲは、脂肪族二価アルコールジエステルを、ＣＤＣｌ３ に溶かして、ＣＤＣｌ３溶液にした後、核磁気共鳴装置（Ｖａｒｉａｎ ＵＮＩＴＹ ＩＮＯＶＡ ５００）を用い、１Ｈ?ＮＭＲ（５００ＭＨｚ）測定で行った。
【０１６０】
（ｈ）ＩＲスペクトル
ＩＲスペクトルは、脂肪族二価アルコールジエステルを、赤外分光分析装置（ＰＥＲＫＩＮ  ＥＬＭＥＲ ４００）を用い、ＡＴＲ法（減衰全反射法）で行った。
【０１６１】
＜使用原料＞
３−メチル−１，５−ペンタンジオール：クラレ（株）製［ＭＰＤ］
２，４−ジエチル−１，５−ペンタンジオール：東京化成工業（株）製［２，４−Ｄｉｅｔｈｙｌ−１，５−ｐｅｎｔａｎｅｄｉｏｌ（ＤＬ−ａｎｄ ｍｅｓｏ−ｍｉｘｔｕｒｅ）］
ｎ−ヘプタン酸：アルケマ社製［ＮＯＲＭＡＬ ＨＥＰＴＡＮＯＩＣ ＡＣＩＤ］を蒸留精製したものを使用（ｎＣ７酸）
ｎ−オクタン酸：新日本理化（株）製［カプリル酸］を蒸留精製したものを使用（ｎＣ８酸）
ｎ−ノナン酸：ＯＸＥＡ社製［ｎ−Ｐｅｌａｒｇｏｎｉｃ Ａｃｉｄ］を蒸留精製したものを使用（ｎＣ９酸）
ｎ−デカン酸：新日本理化（株）製［カプリン酸］を蒸留精製したものを使用（ｎＣ１０酸）
ｎ−ウンデカン酸：東京化成工業（株）製［Ｕｎｄｅｃａｎｏｉｃ Ａｃｉｄ］を蒸留精製したものを使用（ｎＣ１１酸）
【０１６２】
［製造例１］
３−メチル−１，５−ペンタンジオール２３０ｇ、及びＫＯＨ １．２ｇを攪拌装置、温度制御装置、自動導入装置を備えた反応缶に仕込み、１１０℃、減圧条件下にて脱水を行った。脱水後窒素置換を行い、１５０℃まで昇温した後、エチレンオキシド８５．８ｇ（対アルコール１モル）を２時間かけて送入し、さらにエチレンオキシド送入終了後、同温度で１時間熟成を行った。熟成終了後、酢酸１．２ｇを反応缶に仕込み、８０℃、３０分間攪拌した後、抜き出しを行って、平均付加モル数が１モルであるエチレンオキシド付加反応物を得た。得られたエチレンオキシド付加反応混合物を、蒸留精製することにより、３−メチル−１，５−ペンタンジオールのエチレンオキシド１モル付加物を得た。
【０１６３】
［製造例２］
３−メチル−１，５−ペンタンジオール２３０ｇ、及びＫＯＨ２．４ｇを攪拌装置、温度制御装置、自動導入装置を備えた反応缶に仕込み、１１０℃、減圧条件下にて脱水を行った。脱水後窒素置換を行い、１５０℃まで昇温した後、プロピレンオキシド１１３．３ｇ（対アルコール１モル）を２時間かけて送入し、さらにプロピレンオキシド送入終了後、同温度で３時間熟成を行った。熟成終了後、酢酸２．４ｇを反応缶に仕込み、８０℃、３０分間攪拌した後、抜き出しを行って、平均付加モル数が１モルであるプロピレンオキシド付加反応物を得た。得られたプロピレンオキシド付加反応混合物を、蒸留精製することにより、３−メチル−１，５−ペンタンジオールのプロピレンオキシド１モル付加物を得た。
【０１６４】
［製造例３］
２，４−ジエチル−１，５−ペンタンジオール２５７．３ｇ、及びＫＯＨ １．２ｇを攪拌装置、温度制御装置、自動導入装置を備えた反応缶に仕込み、１１０℃、減圧条件下にて脱水を行った。脱水後窒素置換を行い、１５０℃まで昇温した後、エチレンオキシド８５．８ｇ（対アルコール１モル）を２時間かけて送入し、さらにエチレンオキシド送入終了後、同温度で１時間熟成を行った。熟成終了後、酢酸１．２ｇを反応缶に仕込み、８０℃、３０分間攪拌した後、抜き出しを行って、平均付加モル数が１モルであるエチレンオキシド付加反応物を得た。得られたエチレンオキシド付加反応混合物を、蒸留精製することにより、２，４−ジエチル−１，５−ペンタンジオールのエチレンオキシド１モル付加物を得た。
【０１６５】
［実施例１］
撹拌器、温度計及び冷却管付き水分分留受器を備えた１リットルの四ツ口フラスコにｎ−ヘプタン酸３９７．８ｇ（３．０６モル）、３−メチル−１，５−ペンタンジオールのエチレンオキシド１モル付加物２４３．０ｇ（１．５モル）、キシレン３０ｇ及び触媒として酸化スズ０．６ｇを仕込み、窒素雰囲気下、徐々に２２０℃まで昇温した。理論生成水量（５４ｇ）を目安にして留出してくる生成水を水分分留受器で除去しながら減圧下でエステル化反応を約６時間行った。反応終了後、過剰の酸を蒸留で除去した。次いで、反応終了後の全酸価に対して過剰の苛性ソーダ水溶液で中和後、中性になるまで水洗してエステル化反応粗物を得た。さらに得られたエステル化反応粗物は活性炭で処理後、濾過をして、本発明の３−メチル−１，５−ペンタンジオールのエチレンオキシド１モル付加物−ジ（ｎ−ヘプタノエート）５３４．４ｇを得た。本化合物の構造は、１Ｈ−ＮＭＲ、ＩＲスペクトルにより確認した。また、動粘度、粘度指数、低温流動性試験、体積抵抗率及び耐熱性試験を行い、それらの試験結果を表１に示した。
【０１６６】
１Ｈ−ＮＭＲを図３に、ＩＲスペクトルを図４に示した。
【０１６７】
［実施例２］
ｎ−ヘプタン酸に代えてｎ−オクタン酸４４０．６ｇ（３．０６モル）を用いた以外は、実施例１と同様の方法により、本発明の３−メチル−１，５−ペンタンジオールのエチレンオキシド１モル付加物−ジ（ｎ−オクタノエート）５４６．０ｇを得た。本化合物の構造は、１Ｈ−ＮＭＲ、ＩＲスペクトルにより確認した。また、動粘度、粘度指数、低温流動性試験、体積抵抗率及び耐熱性試験を行い、それらの試験結果を表１に示した。
【０１６８】
１Ｈ−ＮＭＲを図５に、ＩＲスペクトルを図６に示した。
【０１６９】
［実施例３］
ｎ−ヘプタン酸に代えてｎ−ノナン酸４８３．５ｇ（３．０６モル）を用いた以外は、実施例１と同様の方法により、本発明の３−メチル−１，５−ペンタンジオールのエチレンオキシド１モル付加物−ジ（ｎ−ノナノエート）５５７．６ｇを得た。本化合物の構造は、１Ｈ−ＮＭＲ、ＩＲスペクトルにより確認した。また、動粘度、粘度指数、低温流動性試験、体積抵抗率及び耐熱性試験を行い、それらの試験結果を表１に示した。
【０１７０】
１Ｈ−ＮＭＲを図７に、ＩＲスペクトルを図８に示した。
【０１７１】
［実施例４］
ｎ−ヘプタン酸に代えてｎ−デカン酸５２６．３ｇ（３．０６モル）を用いた以外は、実施例１と同様の方法により、本発明の３−メチル−１，５−ペンタンジオールのエチレンオキシド１モル付加物−ジ（ｎ−デカノエート）５６９．１ｇを得た。本化合物の構造は、１Ｈ−ＮＭＲ、ＩＲスペクトルにより確認した。また、動粘度、粘度指数、低温流動性試験、体積抵抗率及び耐熱性試験を行い、それらの試験結果を表１に示した。
【０１７２】
１Ｈ−ＮＭＲを図９に、ＩＲスペクトルを図１０に示した。
【０１７３】
［実施例５］
３−メチル−１，５−ペンタンジオールのエチレンオキシド１モル付加物に代えて３−メチル−１，５−ペンタンジオールのプロピレンオキシド１モル付加物２６４．０ｇ（１．５モル）を使用し、反応時間８時間とした以外は、実施例１と同様の方法により、本発明の３−メチル−１，５−ペンタンジオールのプロピレンオキシド１モル付加物−ジ（ｎ−ヘプタノエート）５２４．４ｇを得た。本化合物の構造は、１Ｈ−ＮＭＲ、ＩＲスペクトルにより確認した。また、動粘度、粘度指数、低温流動性試験、体積抵抗率及び耐熱性試験を行い、それらの試験結果を表１に示した。
【０１７４】
１Ｈ−ＮＭＲを図１１に、ＩＲスペクトルを図１２に示した。
【０１７５】
［実施例６］
ｎ−ヘプタン酸に代えてｎ−オクタン酸４４０．６ｇ（３．０６モル）を使用し、３−メチル−１，５−ペンタンジオールのエチレンオキシド１モル付加物に代えて３−メチル−１，５−ペンタンジオールのプロピレンオキシド１モル付加物２６４．０ｇ（１．５モル）を使用し、反応時間８時間とした以外は、実施例１と同様の方法により、本発明の３−メチル−１，５−ペンタンジオールのプロピレンオキシド１モル付加物−ジ（ｎ−オクタノエート）５８０．０ｇを得た。本化合物の構造は、１Ｈ−ＮＭＲ、ＩＲスペクトルにより確認した。また、動粘度、粘度指数、低温流動性試験、体積抵抗率及び耐熱性試験を行い、それらの試験結果を表１に示した。
【０１７６】
１Ｈ−ＮＭＲを図１３に、ＩＲスペクトルを図１４に示した。
【０１７７】
［実施例７］
ｎ−ヘプタン酸に代えてｎ−ノナン酸４８３．５ｇ（３．０６モル）を使用し、３−メチル−１，５−ペンタンジオールのエチレンオキシド１モル付加物に代えて３−メチル−１，５−ペンタンジオールのプロピレンオキシド１モル付加物２６４．０ｇ（１．５モル）を使用し、反応時間８時間とした以外は、実施例１と同様の方法により、本発明の３−メチル−１，５−ペンタンジオールのプロピレンオキシド１モル付加物−ジ（ｎ−ノナノエート）６０５．８ｇを得た。本化合物の構造は、１Ｈ−ＮＭＲ、ＩＲスペクトルにより確認した。また、動粘度、粘度指数、低温流動性試験、体積抵抗率及び耐熱性試験を行い、それらの試験結果を表１に示した。
【０１７８】
１Ｈ−ＮＭＲを図１５に、ＩＲスペクトルを図１６に示した。
【０１７９】
［実施例８］
ｎ−ヘプタン酸に代えてｎ−デカン酸５２６．３ｇ（３．０６モル）を使用し、３−メチル−１，５−ペンタンジオールのエチレンオキシド１モル付加物に代えて３−メチル−１，５−ペンタンジオールのプロピレンオキシド１モル付加物２６４．０ｇ（１．５モル）を使用し、反応時間８時間とした以外は、実施例１と同様の方法により、本発明の３−メチル−１，５−ペンタンジオールのプロピレンオキシド１モル付加物−ジ（ｎ−デカノエート）６３３．８ｇを得た。本化合物の構造は、１Ｈ−ＮＭＲ、ＩＲスペクトルにより確認した。また、動粘度、粘度指数、低温流動性試験、体積抵抗率及び耐熱性試験を行い、それらの試験結果を表１に示した。
【０１８０】
１Ｈ−ＮＭＲを図１７に、ＩＲスペクトルを図１８に示した。
【０１８１】
［実施例９］
ｎ−ヘプタン酸に代えてｎ−オクタン酸４４０．６ｇ（３．０６モル）を使用し、３−メチル−１，５−ペンタンジオールのエチレンオキシド１モル付加物に代えて２，４−ジエチル−１，５−ペンタンジオールのエチレンオキシド１モル付加物３０６．０ｇ（１．５モル）を使用した以外は、実施例１と同様の方法により、本発明の２，４−ジエチル−１，５−ペンタンジオールのエチレンオキシド１モル付加物−ジ（ｎ−オクタノエート）６３６．１ｇを得た。本化合物の構造は、１Ｈ−ＮＭＲ、ＩＲスペクトルにより確認した。また、動粘度、粘度指数、低温流動性試験、体積抵抗率及び耐熱性試験を行い、それらの試験結果を表１に示した。
【０１８２】
１Ｈ−ＮＭＲを図１９に、ＩＲスペクトルを図２０に示した。
【０１８３】
［実施例１０］
ｎ−ヘプタン酸に代えてｎ−ノナン酸４８３．５ｇ（３．０６モル）を使用し、３−メチル−１，５−ペンタンジオールのエチレンオキシド１モル付加物に代えて２，４−ジエチル−１，５−ペンタンジオールのエチレンオキシド１モル付加物３０６．０ｇ（１．５モル）を使用した以外は、実施例１と同様の方法により、本発明の２，４−ジエチル−１，５−ペンタンジオールのエチレンオキシド１モル付加物−ジ（ｎ−ノナノエート）６７５．２ｇを得た。本化合物の構造は、１Ｈ−ＮＭＲ、ＩＲスペクトルにより確認した。また、動粘度、粘度指数、低温流動性試験、体積抵抗率及び耐熱性試験を行い、それらの試験結果を表１に示した。
【０１８４】
１Ｈ−ＮＭＲを図２１に、ＩＲスペクトルを図２２に示した。
【０１８５】
［比較例１］
新日本理化（株）製のサンソサイザーＤＯＡ（ジ−２−エチルヘキシルアジペート：以下、「ＤＯＡ」という。）の動粘度、粘度指数、低温流動性試験、体積抵抗率及び耐熱性試験を行い、表１に示した。
【０１８６】
［比較例２］
新日本理化（株）製のサンソサイザーＤＩＤＡ（ジ−イソデシルアジペート：以下、「ＤＩＤＡ」という。）の動粘度、粘度指数、低温流動性試験、体積抵抗率及び耐熱性試験を行い、表１に示した。
【０１８７】
［比較例３］
新日本理化（株）製のサンソサイザーＤＯＳ（ジ−２−エチルヘキシルセバケート：以下、「ＤＯＳ」という。）の動粘度、粘度指数、低温流動性試験、体積抵抗率及び耐熱性試験を行い、表１に示した。
【０１８８】
【表１】
0005928176.tif 000006
【０１８９】
表１から、本潤滑油は、比較例１のＤＯＡ、比較例２のＤＩＤＡ及び比較例３のＤＯＳと比較すると、粘度特性（動粘度、粘度指数）、低温流動性、導電性及び耐熱性のすべてにおいて欠点がない潤滑油であることがわかる。
【産業上の利用可能性】
【０１９０】
本発明の潤滑油は、広い温度範囲で粘度の変化率が小さく（粘度指数が高い）、低温においても低粘度であり、導電性がよく且つ耐揮発性が優れている。そのため、各種の潤滑油、即ち、冷凍機用潤滑油、エンジン用潤滑油、ギヤ用潤滑油、軸受用潤滑油、自動変速機用潤滑油、無段変速機用潤滑油、パワーステアリング用潤滑油、アクティブサスペンション用潤滑油、ショックアブゾーバー用潤滑油、タービン用潤滑油、コンプレッサー用潤滑油、油圧作動油又はグリース用基油として好適に使用することができる。
【符号の説明】
【０１９１】
１  軸
２  スリーブ
３、４  ラジアル動圧発生溝
５、６  スラスト動圧発生溝
７  スラストプレート
８  カウンタープレート
９  潤滑油組成物
１０  ハブ
１１  ベース
１２  ステータコイル
１３  ロータマグネット
【図１】
0005928176.tif 000011
【図２】
0005928176.tif 000012
【図３】
0005928176.tif 000013
【図４】
0005928176.tif 000014
【図５】
0005928176.tif 000015
【図６】
0005928176.tif 000016
【図７】
0005928176.tif 000017
【図８】
0005928176.tif 000018
【図９】
0005928176.tif 000019
【図１０】
0005928176.tif 000020
【図１１】
0005928176.tif 000021
【図１２】
0005928176.tif 000022
【図１３】
0005928176.tif 000023
【図１４】
0005928176.tif 000024
【図１５】
0005928176.tif 000025
【図１６】
0005928176.tif 000026
【図１７】
0005928176.tif 000027
【図１８】
0005928176.tif 000028
【図１９】
0005928176.tif 000029
【図２０】
0005928176.tif 000030
【図２１】
0005928176.tif 000031
【図２２】
0005928176.tif 000032